(57)【要約】  移動通信端末が通信を開始する際の遅延を低減させるとともに、移動通信端末の電力リソースの消費を抑える技術が開示される。複数のインタフェース（ＩＦ−１（１０３０）及びＩＦ−２（１０２８））を有するＭＮ（モバイルノード）（１０１２）の一方のインタフェースＩＦ−１が、接続ポイント（サービングＰｏＡ（１００８））に接続されている。ここで、ＩＦ−１を使用した通信からＩＦ−２を使用した通信に切り換える場合、ＭＮは、ＩＦ−２を使用して接続しようとしている接続ポイント（ターゲットＰｏＡ（１０１０））に対して、ＩＦ−１及びサービングＰｏＡ経由でページングリクエストメッセージを送信する。このページングリクエストメッセージを受信したターゲットＰｏＡは、ビーコン送信周期の短縮やＭＮ用の送信スロットの設定などを行うことで、ＭＮによる接続の確立が効率良く行われるようになる。
2008139707.tif 000002
【特許請求の範囲】
【請求項１】
ネットワークに無線通信を介して接続するためのインタフェースと、
この後に接続を試みようとする第２接続ポイントの前記ネットワーク上の識別情報を取得する識別情報取得手段と、
前記ネットワーク上の第１接続ポイントに接続中の前記インタフェースから、前記第２接続ポイントへの接続の準備を要求する要求メッセージを前記第１接続ポイントを経由して前記第２接続ポイントに送信する要求メッセージ送信手段とを、
有する移動通信端末。
【請求項２】
前記第２接続ポイントの前記識別情報を静的に保持する識別情報格納手段を有し、
前記第２接続ポイントの前記識別情報を取得する識別情報取得手段が、前記識別情報格納手段に格納されている前記識別情報を参照することによって、前記第２接続ポイントの前記識別情報を取得するように構成されている請求項１に記載の移動通信端末。
【請求項３】
前記ネットワーク上の所定の情報サーバに問い合わせを行う問い合わせ手段と有し、
前記第２接続ポイントの前記識別情報を取得する識別情報取得手段が、前記問い合わせ手段に前記所定のサーバから前記第２接続ポイントの前記識別情報を取得させるように構成されている請求項１に記載の移動通信端末。
【請求項４】
前記要求メッセージに対する応答メッセージであって、前記準備が行われたことを示す前記応答メッセージを受信する応答メッセージ受信手段と、
前記応答メッセージ受信手段における前記応答メッセージの受信を確認した後、所定の方法で前記第２接続ポイントへのインタフェースの接続を試みる接続制御手段とを、
有する請求項１に記載の移動通信端末。
【請求項５】
前記応答メッセージに特定のタイミング情報が含まれており、前記特定のタイミング情報に応じて、前記第２接続ポイントに接続するインタフェースに係る電力供給の制御を行う給電制御手段を有する請求項４に記載の移動通信端末。
【請求項６】
前記ネットワークに無線通信を介して接続するための前記インタフェースを複数有しており、前記第１接続ポイントに接続されている前記インタフェースとは異なるインタフェースで前記第２接続ポイントへの接続を試みるように構成されている請求項１に記載の移動通信端末。
【請求項７】
前記要求メッセージが、前記移動通信端末の接続の意志を通知するためのメッセージである請求項１に記載の移動通信端末。
【請求項８】
前記移動通信端末の接続の意志を通知するためのメッセージが、ＩＥＥＥ８０２．２１の仕様に基づいて実現される請求項７に記載の移動通信端末。
【請求項９】
前記要求メッセージが、前記移動通信端末が使用可能なリソースの監視を行うよう要求するためのメッセージである請求項１に記載の移動通信端末。
【請求項１０】
前記移動通信端末が使用可能なリソースの監視を行うよう要求するためのメッセージが、ＩＥＥＥ８０２．２１の仕様に基づいて実現される請求項７に記載の移動通信端末。
【請求項１１】
前記要求メッセージが前記第２接続ポイントとの同期を確立するために必要な情報を要求するものであり、前記第２接続ポイントとの同期を確立するために必要な情報を含む、前記要求メッセージに対する応答メッセージを受信する応答メッセージ受信手段と、
前記第２接続ポイントとの同期を確立するために必要な情報に基づいて、前記第２接続ポイントとの同期確立を試みる同期確立手段とを、
有する請求項１に記載の移動通信端末。
【請求項１２】
前記第２接続ポイントとの同期を確立するために必要な情報が、前記第２接続ポイントからの同期信号の送信タイミングを示す情報であり、前記第２接続ポイントからの同期信号の送信タイミングに一致するタイミングで前記第２接続ポイントから前記同期信号が送信される請求項１１に記載の移動通信端末。
【請求項１３】
ネットワーク上に位置する通信装置であって、
移動通信端末が前記ネットワークに接続できるように前記移動通信端末のインタフェースと無線通信を介して接続している第１接続ポイント経由で、前記移動通信端末がこの後に接続を試みようとする第２接続ポイントへの接続の準備を要求する要求メッセージを受信する要求メッセージ受信手段と、
前記要求メッセージ受信手段で前記要求メッセージを受信した場合に、前記第２接続ポイントに対して前記移動通信端末による接続の準備を行うように指示するとともに、前記要求メッセージに対する応答メッセージであって、前記準備が行われたことを示す前記応答メッセージを前記第１接続ポイント経由で前記移動通信端末に送信する応答メッセージ送信手段とを、
有する通信装置。
【請求項１４】
前記第２接続ポイントに対して、前記移動通信端末が前記第２接続ポイントへの接続を試みる際のビーコンの送信間隔を狭くするように指示するように構成されている請求項１３に記載の通信装置。
【請求項１５】
前記移動通信端末がこの後に接続を試みようとする第２接続ポイントの候補が複数存在し、前記複数の第２接続ポイントの候補のそれぞれから前記移動通信端末への応答メッセージに、前記移動通信端末が前記第２接続ポイントへの接続に必要な情報を取得することができる特定のタイミング情報が含まれており、前記複数の第２接続ポイントの候補のそれぞれによって設定された前記特定のタイミング情報が同時期にオーバラップしていないか確認する競合確認手段と、
前記競合確認手段において、前記複数の第２接続ポイントの候補によって設定された前記特定のタイミング情報同士が同時期にオーバラップしている場合には、一方の前記複数の第２接続ポイントの候補に対して、前記特定のタイミング情報の再設定を要求する再設定要求手段とを、
有する請求項１３に記載の通信装置。
【請求項１６】
前記応答メッセージが、前記移動通信端末に関する接続パラメータを含むメッセージである請求項１３に記載の通信装置。
【請求項１７】
前記移動通信端末に関する接続パラメータを含むメッセージが、ＩＥＥＥ８０２．２１の仕様に基づいて実現される請求項１６に記載の通信装置。
【請求項１８】
前記応答メッセージが、前記移動通信端末が必要とするリソースが使用可能となった旨を通知するためのメッセージである請求項１３に記載の通信装置。
【請求項１９】
前記移動通信端末が必要とするリソースが使用可能となった旨を通知するためのメッセージが、ＩＥＥＥ８０２．２１の仕様に基づいて実現される請求項１８に記載の通信装置。
【請求項２０】
前記要求メッセージが前記第２接続ポイントとの同期を確立するために必要な情報を要求するものであり、前記応答メッセージが前記第２接続ポイントとの同期を確立するために必要な情報を含むように構成されている請求項１３に記載の通信装置。
【請求項２１】
前記第２接続ポイントとの同期を確立するために必要な情報が、前記第２接続ポイントからの同期信号の送信タイミングを示す情報であり、前記第２接続ポイントからの同期信号の送信タイミングに一致するタイミングで前記第２接続ポイントから前記同期信号が送信される請求項２０に記載の通信装置。
【請求項２２】
ネットワークに接続されているとともに、移動通信端末が前記ネットワークに接続できるように移動通信端末のインタフェースと無線通信を介して接続することが可能な接続ポイントとして機能する通信装置であって、
前記移動通信端末が前記ネットワークに接続できるように前記移動通信端末のインタフェースと無線通信を介して接続している別の接続ポイント経由で、前記移動通信端末がこの後に自身に接続を試みようとしており、前記接続の準備の要求を受ける要求受信手段と、
前記要求受信手段によって受信した前記要求に係る前記移動通信端末に対して、前記接続に必要な情報を前記移動通信端末に提供する特定のタイミング情報を設定するタイミング設定手段と、
前記要求受信手段で受信した前記要求に対する応答メッセージに前記特定のタイミング情報を挿入して、前記移動通信端末に返送する応答手段とを、
有する通信装置。
【請求項２３】
前記特定のタイミング情報で示される特定のタイミングにおいて、前記移動通信端末に提供する前記接続に必要な情報を含むビーコンの送信間隔を狭くするビーコン送信制御手段を有する請求項２２に記載の通信装置。
【請求項２４】
前記移動通信端末に返送した前記特定のタイミング情報に対して、所定の通信装置から変更するように指示を受けた場合には、前記特定のタイミングとは異なるタイミングを示す別のタイミング情報を生成し、前記別のタイミング情報を前記移動通信端末に返送するように構成されている請求項２２に記載の通信装置。
【請求項２５】
ネットワークに接続されているとともに、移動通信端末が前記ネットワークに接続できるように移動通信端末のインタフェースと無線通信を介して接続することが可能な接続ポイントとして機能する通信装置であって、
前記移動通信端末が前記ネットワークに接続できるように前記移動通信端末のインタフェースと無線通信を介して接続している別の接続ポイント経由で、前記移動通信端末がこの後に通信装置自身に接続を試みようとしており、前記接続の準備の要求を受ける要求受信手段と、
前記要求受信手段で受信した前記要求に対する応答メッセージに、前記移動通信端末が通信装置自身との同期を確立するために必要な情報を挿入して、前記移動通信端末に返送する応答手段と、
前記同期を確立するために必要な情報に基づいて、同期信号の送信を行う同期信号送信手段とを、
有する通信装置。
【請求項２６】
前記同期を確立するために必要な情報が、前記通信装置自身からの同期信号の送信タイミングを示す情報であり、前記同期信号送信手段は、前記同期信号の送信タイミングに一致するタイミングで前記同期信号を送信するように構成されている請求項２５に記載の通信装置。
【発明の詳細な説明】
【技術分野】
【０００１】
本発明は、移動通信端末及び通信装置に関し、特に無線メディアを介して接続を行う移動通信端末及び通信装置に関する。
【背景技術】
【０００２】
パケット交換型データ通信ネットワークでは、モバイルノード（ＭＮ：Mobile Node）は、複数の通信インタフェースを有し、これらの通信インタフェースを用いて同一のコレスポンデントノード（ＣＮ：Correspondent Node）に接続することが可能である。【０００３】
この場合、ＭＮは、例えば電力の節約や通信費が安価なネットワークインタフェースの使用などを目的として、通信インタフェースから別の通信インタフェースへ通信に使用する通信インタフェースを切り換えることが可能である。【０００４】
ネットワークアクセスポイントへの接続のため、ＭＮは、ドーマント(dormant)状態のインタフェースを起動して、利用可能なネットワークのスキャンを行う必要がある。そして、ＭＮは、同期信号を待機し、さらには、チャンネル／タイムスロットのリソースを要求するためにチャンネルアクセスタイムスロットを待機する必要がある。【０００５】
この場合、ＭＮは、まずインタフェースを起動してアクセスポイントにクロックを同期させて、続いて、ネットワークに参加する新たなＭＮに割り当てられている送信時間の競合に関する情報を得るためにアクセスポイントのビーコンを常時監視し、最終的に競合に基づいた送信スロットにおいて、アクセスポイントへの登録を行う。【０００６】
また、近年、下記の非特許文献１に記載されているように、無線メディアを統合し、異種ネットワーク（例えば３ＧＰＰとＷＬＡＮ（Wireless Local Area Network：無線ＬＡＮ））間におけるハンドオーバを可能にする技術の開発が進んでいる。このハンドオーバでは、基本的にＭＮが複数の異種ネットワークインタフェースを有し、様々な状況に応じて効率良い通信を行うために使用するインタフェースを変えることが可能である。
【非特許文献１】IEEE P802.21 Specification Draft 02.00, September 2006.
【非特許文献２】3GPP TS 36.300v8.3.0 “3rd Generation Partnership Project;Technical Specification Group Radio Access Network, Evolved Universal Terrestrial Radio Access (E-UTRA) and Evolved Universal Terrestrial Radio Access Network (E-UTRAN), Overall description, Stage 2", 2007-12
【非特許文献３】3GPP TSG-RAN WG3#56 Tdoc R3-070780 “Network transport QoS for Home NodeBs (HNB)”, 2007-05
【０００７】
上記の問題点に鑑み、ＭＮのインタフェースがネットワークアクセスポイントに接続を行う場合、まずビーコンなどのブロードキャストメッセージを受信して情報を取得する必要がある。通常、ビーコンは所定の周期で送信されており、ＭＮはビーコンを受信して必要な情報を取得するまでに、長いときには、１周期近く（場合によっては数周期分）の期間だけ待機する必要がある。すなわち、ＭＮは、インタフェースを長期間ドーマント状態あるいはアクティブな状態に保つ必要があり、これによって多量の電力が消費されることになるという問題がある。【０００８】
さらに、ＭＮが複数のインタフェースを有しており、この期間にＭＮが別のインタフェースを通じてデータを受信していた場合には、ドーマント状態のインタフェースがネットワークアクセスポイントに完全に接続されるまでは、そのインタフェースを起動状態のままにしておく必要がある。【０００９】
すなわち、インタフェースの切り換えを行う場合には、切り換えられる両方のインタフェースを同時に起動しておく必要があり、ＭＮのバッテリ電力が著しく消費されることとなる。一方、バッテリ電力の消費を避けるために、ドーマント状態のインタフェースを通じて別のネットワークアクセスポイントに接続／登録を完全に行う前にアクティブなインタフェースのオフにしたならば、ＭＮへのサービスが途切れ、サービス品質（ＱｏＳ：Quality of Service）が中断される可能性がある。
【発明の開示】
【００１０】
上記の問題を解決するため、本発明は、移動通信端末が通信を開始する際の遅延を低減させるとともに、移動通信端末の電力リソースの消費を抑えることが可能な移動通信端末及び通信装置を提供することを目的とする。
【００１１】
また、本発明の移動通信端末は、上記の目的を達成するため、ネットワークに無線通信を介して接続するためのインタフェースと、
この後に接続を試みようとする第２接続ポイントの前記ネットワーク上の識別情報を取得する識別情報取得手段と、
前記ネットワーク上の第１接続ポイントに接続中の前記インタフェースから、前記第２接続ポイントへの接続の準備を要求する要求メッセージを前記第１接続ポイントを経由して前記第２接続ポイントに送信する要求メッセージ送信手段とを、
有する。
上記の構成により、移動通信端末が第２接続ポイントに接続する際に、効率的な接続の確立が実現され、遅延や無駄な電力の消費が起こらないようにすることが可能となる。
【００１２】
また、本発明の移動通信端末は、上記の構成に加えて、前記第２接続ポイントの前記識別情報を静的に保持する識別情報格納手段を有し、
前記第２接続ポイントの前記識別情報を取得する識別情報取得手段が、前記識別情報格納手段に格納されている前記識別情報を参照することによって、前記第２接続ポイントの前記識別情報を取得するように構成されている。
上記の構成により、移動通信端末は、自身が保持している情報を参照して、第２接続ポイントへの接続の準備を要求する要求メッセージを第２接続ポイントに送信することが可能となる。
【００１３】
また、本発明の移動通信端末は、上記の構成に加えて、前記ネットワーク上の所定の情報サーバに問い合わせを行う問い合わせ手段と有し、
前記第２接続ポイントの前記識別情報を取得する識別情報取得手段が、前記問い合わせ手段に前記所定のサーバから前記第２接続ポイントの前記識別情報を取得させるように構成されている。
上記の構成により、移動通信端末は、情報サーバに問い合わせを行うことにより、第２接続ポイントへの接続の準備を要求する要求メッセージを第２接続ポイントに送信することが可能となる。
【００１４】
また、本発明の移動通信端末は、上記の構成に加えて、前記要求メッセージに対する応答メッセージであって、前記準備が行われたことを示す前記応答メッセージを受信する応答メッセージ受信手段と、
前記応答メッセージ受信手段における前記応答メッセージの受信を確認した後、所定の方法で前記第２接続ポイントへのインタフェースの接続を試みる接続制御手段とを、
有する。
上記の構成により、第２接続ポイントへの効率的な接続の準備が完了した旨を確認することが可能となる。
【００１５】
また、本発明の移動通信端末は、上記の構成に加えて、前記応答メッセージに特定のタイミング情報が含まれており、前記特定のタイミング情報に応じて、前記第２接続ポイントに接続するインタフェースに係る電力供給の制御を行う給電制御手段を有する。
上記の構成により、特定のタイミングに合わせたインタフェースの起動を行うことによって、タイミング良く情報を取得することが可能となり、効率的な接続の確立処理が行われるようになる。
【００１６】
また、本発明の移動通信端末は、上記の構成に加えて、前記ネットワークに無線通信を介して接続するための前記インタフェースを複数有しており、前記第１接続ポイントに接続されている前記インタフェースとは異なるインタフェースで前記第２接続ポイントへの接続を試みるように構成されている。
上記の構成により、複数のインタフェースを有する移動通信端末において、効率的な接続の確立が実現される。
【００１７】
また、本発明の移動通信端末は、上記の構成に加えて、前記要求メッセージが、前記移動通信端末の接続の意志を通知するためのメッセージである。
この構成により、別の目的のために使用されるメッセージと組み合わせて、本発明に係る要求メッセージを実現することが可能である。
【００１８】
また、本発明の移動通信端末は、上記の構成に加えて、前記移動通信端末の接続の意志を通知するためのメッセージが、ＩＥＥＥ８０２．２１の仕様に基づいて実現される。
この構成により、既存のＩＥＥＥ８０２．２１の仕様に本発明を適用させることが可能となる。
【００１９】
また、本発明の移動通信端末は、上記の構成に加えて、前記要求メッセージが、前記移動通信端末が使用可能なリソースの監視を行うよう要求するためのメッセージである。
この構成により、別の目的のために使用されるメッセージと組み合わせて、本発明に係る要求メッセージを実現することが可能である。
【００２０】
また、本発明の移動通信端末は、上記の構成に加えて、前記移動通信端末が使用可能なリソースの監視を行うよう要求するためのメッセージが、ＩＥＥＥ８０２．２１の仕様に基づいて実現される。
この構成により、既存のＩＥＥＥ８０２．２１の仕様に本発明を適用させることが可能となる。
【００２１】
また、本発明の移動通信端末は、上記の構成に加えて、前記要求メッセージが前記第２接続ポイントとの同期を確立するために必要な情報を要求するものであり、前記第２接続ポイントとの同期を確立するために必要な情報を含む、前記要求メッセージに対する応答メッセージを受信する応答メッセージ受信手段と、
前記第２接続ポイントとの同期を確立するために必要な情報に基づいて、前記第２接続ポイントとの同期確立を試みる同期確立手段とを、
有する。
上記の構成により、移動通信端末は、例えば同期信号の送信抑制を行っている接続ポイントとの間で、同期確立を行うことが可能となる。
【００２２】
また、本発明の移動通信端末は、上記の構成に加えて、前記第２接続ポイントとの同期を確立するために必要な情報が、前記第２接続ポイントからの同期信号の送信タイミングを示す情報であり、前記第２接続ポイントからの同期信号の送信タイミングに一致するタイミングで前記第２接続ポイントから前記同期信号が送信される。
上記の構成により、移動通信端末は、同期信号の送信タイミングを示す情報に基づいて、同期信号を確実に受信することが可能となり、接続ポイントとの間で同期確立を行うことが可能となる。
【００２３】
また、本発明の通信装置は、上記の目的を達成するため、ネットワーク上に位置する通信装置であって、
移動通信端末が前記ネットワークに接続できるように前記移動通信端末のインタフェースと無線通信を介して接続している第１接続ポイント経由で、前記移動通信端末がこの後に接続を試みようとする第２接続ポイントへの接続の準備を要求する要求メッセージを受信する要求メッセージ受信手段と、
前記要求メッセージ受信手段で前記要求メッセージを受信した場合に、前記第２接続ポイントに対して前記移動通信端末による接続の準備を行うように指示するとともに、前記要求メッセージに対する応答メッセージであって、前記準備が行われたことを示す前記応答メッセージを前記第１接続ポイント経由で前記移動通信端末に送信する応答メッセージ送信手段とを、
有する。
上記の構成により、移動通信端末が第２接続ポイントに接続する際に、効率的な接続の確立が実現され、遅延や無駄な電力の消費が起こらないようにすることが可能となる。
【００２４】
また、本発明の通信装置は、上記の構成に加えて、前記第２接続ポイントに対して、前記移動通信端末が前記第２接続ポイントへの接続を試みる際のビーコンの送信間隔を狭くするように指示するように構成されている。
上記の構成により、移動通信端末は、第２接続ポイントとの接続を確立する際に、通常よりも短い待機時間でビーコンを受信することができるようになる。
【００２５】
また、本発明の通信装置は、上記の構成に加えて、前記移動通信端末がこの後に接続を試みようとする第２接続ポイントの候補が複数存在し、前記複数の第２接続ポイントの候補のそれぞれから前記移動通信端末への応答メッセージに、前記移動通信端末が前記第２接続ポイントへの接続に必要な情報を取得することができる特定のタイミング情報が含まれており、前記複数の第２接続ポイントの候補のそれぞれによって設定された前記特定のタイミング情報が同時期にオーバラップしていないか確認する競合確認手段と、
前記競合確認手段において、前記複数の第２接続ポイントの候補によって設定された前記特定のタイミング情報同士が同時期にオーバラップしている場合には、一方の前記複数の第２接続ポイントの候補に対して、前記特定のタイミング情報の再設定を要求する再設定要求手段とを、
有する。
上記の構成により、同一タイミングで複数の第２接続ポイントの候補から情報が送信された場合に発生し得る衝突によって、移動通信端末が情報を正確に受信することができなくなってしまうことを防ぐことが可能となる。
【００２６】
また、本発明の通信装置は、上記の構成に加えて、前記応答メッセージが、前記移動通信端末に関する接続パラメータを含むメッセージである。
この構成により、別の目的のために使用されるメッセージと組み合わせて、本発明に係る応答メッセージを実現することが可能である。
【００２７】
また、本発明の通信装置は、上記の構成に加えて、前記移動通信端末に関する接続パラメータを含むメッセージが、ＩＥＥＥ８０２．２１の仕様に基づいて実現される。
この構成により、既存のＩＥＥＥ８０２．２１の仕様に本発明を適用させることが可能となる。
【００２８】
また、本発明の通信装置は、上記の構成に加えて、前記応答メッセージが、前記移動通信端末が必要とするリソースが使用可能となった旨を通知するためのメッセージである。
この構成により、別の目的のために使用されるメッセージと組み合わせて、本発明に係る応答メッセージを実現することが可能である。
【００２９】
また、本発明の通信装置は、上記の構成に加えて、前記移動通信端末が必要とするリソースが使用可能となった旨を通知するためのメッセージが、ＩＥＥＥ８０２．２１の仕様に基づいて実現される。
この構成により、既存のＩＥＥＥ８０２．２１の仕様に本発明を適用させることが可能となる。
【００３０】
また、本発明の通信装置は、上記の構成に加えて、前記要求メッセージが前記第２接続ポイントとの同期を確立するために必要な情報を要求するものであり、前記応答メッセージが前記第２接続ポイントとの同期を確立するために必要な情報を含むように構成されている。
上記の構成により、要求メッセージの送信者である移動通信端末に対して、接続ポイントとの間で同期確立を行えるようにするための情報を通知することが可能となる。
【００３１】
また、本発明の通信装置は、上記の構成に加えて、前記第２接続ポイントとの同期を確立するために必要な情報が、前記第２接続ポイントからの同期信号の送信タイミングを示す情報であり、前記第２接続ポイントからの同期信号の送信タイミングに一致するタイミングで前記第２接続ポイントから前記同期信号が送信される。
上記の構成により、移動通信端末は、同期信号の送信タイミングを示す情報に基づいて、同期信号を確実に受信することが可能となり、接続ポイントとの間で同期確立を行うことが可能となる。
【００３２】
また、本発明の通信装置は、上記の目的を達成するため、ネットワークに接続されているとともに、移動通信端末が前記ネットワークに接続できるように移動通信端末のインタフェースと無線通信を介して接続することが可能な接続ポイントとして機能する通信装置であって、
前記移動通信端末が前記ネットワークに接続できるように前記移動通信端末のインタフェースと無線通信を介して接続している別の接続ポイント経由で、前記移動通信端末がこの後に自身に接続を試みようとしており、前記接続の準備の要求を受ける要求受信手段と、
前記要求受信手段によって受信した前記要求に係る前記移動通信端末に対して、前記接続に必要な情報を前記移動通信端末に提供する特定のタイミング情報を設定するタイミング設定手段と、
前記要求受信手段で受信した前記要求に対する応答メッセージに前記特定のタイミング情報を挿入して、前記移動通信端末に返送する応答手段とを、
有する。
上記の構成により、移動通信端末が第２接続ポイントに接続する際に、効率的な接続の確立が実現され、遅延や無駄な電力の消費が起こらないようにすることが可能となる。
【００３３】
また、本発明の通信装置は、上記の構成に加えて、前記特定のタイミング情報で示される特定のタイミングにおいて、前記移動通信端末に提供する前記接続に必要な情報を含むビーコンの送信間隔を狭くするビーコン送信制御手段を有する。
上記の構成により、移動通信端末は、第２接続ポイントとの接続を確立する際に、通常よりも短い待機時間でビーコンを受信することができるようになる。
【００３４】
また、本発明の通信装置は、上記の構成に加えて、前記移動通信端末に返送した前記特定のタイミング情報に対して、所定の通信装置から変更するように指示を受けた場合には、前記特定のタイミングとは異なるタイミングを示す別のタイミング情報を生成し、前記別のタイミング情報を前記移動通信端末に返送するように構成されている。
上記の構成により、同一タイミングで複数の第２接続ポイントの候補から情報が送信された場合に発生し得る衝突によって、移動通信端末が情報を正確に受信することができなくなってしまうことを防ぐことが可能となる。
【００３５】
また、本発明の通信装置は、上記の目的を達成するため、ネットワークに接続されているとともに、移動通信端末が前記ネットワークに接続できるように移動通信端末のインタフェースと無線通信を介して接続することが可能な接続ポイントとして機能する通信装置であって、
前記移動通信端末が前記ネットワークに接続できるように前記移動通信端末のインタフェースと無線通信を介して接続している別の接続ポイント経由で、前記移動通信端末がこの後に通信装置自身に接続を試みようとしており、前記接続の準備の要求を受ける要求受信手段と、
前記要求受信手段で受信した前記要求に対する応答メッセージに、前記移動通信端末が通信装置自身との同期を確立するために必要な情報を挿入して、前記移動通信端末に返送する応答手段と、
前記同期を確立するために必要な情報に基づいて、同期信号の送信を行う同期信号送信手段とを、
有する。
上記の構成により、通信装置は、例えば、同期を確立するために必要な情報を渡すことで移動通信端末の選択的な接続制御を行うことが可能となる。
【００３６】
また、本発明の通信装置は、上記の構成に加えて、前記同期を確立するために必要な情報が、前記通信装置自身からの同期信号の送信タイミングを示す情報であり、前記同期信号送信手段は、前記同期信号の送信タイミングに一致するタイミングで前記同期信号を送信するように構成されている。
上記の構成により、移動通信端末は、同期信号の送信タイミングを示す情報に基づいて、同期信号を確実に受信することが可能となり、接続ポイントとの間で同期確立を行うことが可能となる。
【００３７】
本発明は、上記の構成を有しており、移動通信端末が通信を開始する際の遅延を低減させるという効果や、移動通信端末の電力リソースの消費を抑えるという効果を有している。
【図面の簡単な説明】
【００３８】
【図１】本発明の第１の実施の形態におけるネットワーク構成の一例を示す図
【図２】本発明の第２の実施の形態における動作の一例を示すシーケンスチャート
【図３】本発明の第３の実施の形態におけるネットワーク構成の一例を示す図
【図４】本発明の第３の実施の形態における動作の一例を示すシーケンスチャート
【図５】本発明の第４の実施の形態におけるネットワーク構成の一例を示す図
【図６】本発明の第４の実施の形態における動作の一例を示すシーケンスチャート
【図７】本発明の第５の実施の形態における動作の一例を示すシーケンスチャート
【図８】本発明の第５の実施の形態におけるサービングＰｏＡが保持しているページングテーブルレコードの一例を示す図
【図９】本発明の第５の実施の形態におけるサービングＰｏＡの処理の一例を示すフローチャート
【図１０】本発明の第５の実施の形態におけるサービングＰｏＡの時間フレーム内におけるオンデマンドのページング（ＯＤＰ）用のタイムスロットの配置の一例を示す図
【図１１】本発明の第６の実施の形態におけるサービングＰｏＡが保持するページングリクエストテーブルの一例を示す図
【図１２】本発明を実現するためのＭＮの構成の一例を示す図
【図１３】本発明を実現するためのＰｏＡの構成の一例を示す図
【図１４】本発明の第７の実施の形態における動作の概要を示すシーケンスチャート
【図１５】本発明の第７の実施の形態における動作の一例を示すシーケンスチャート
【図１６】本発明の第８の実施の形態における動作の一例を示すシーケンスチャート
【図１７】本発明の第９の実施の形態における動作の一例を示すシーケンスチャート
【図１８】本発明の第１０の実施の形態における動作の一例を示すシーケンスチャート
【図１９】本発明の第１１の実施の形態における動作の一例を示すシーケンスチャート
【図２０】本発明の第１２の実施の形態における動作の概要を示すシーケンスチャート
【図２１】本発明の第１２の実施の形態における動作の一例を示すシーケンスチャート
【図２２】本発明の第１５の実施の形態において、ビーコンタイミングと同期タイミングとのスケールの違いを表すための図
【図２３】本発明の第１５の実施の形態におけるＬＴＥ／ＳＡＥシステムの一例を示す図
【図２４】本発明の第１５の実施の形態における判定モデルの一例を模式的に示す図
【発明を実施するための最良の形態】
【００３９】
以下、図面を参照しながら、本発明の実施の形態について説明する。なお、以下の説明では、本発明を説明するために、特定の番号や時間、構造、プロトコル名、及びその他のパラメータなどが詳細に説明される場合があるが、本明細書で用いられている特定の条件は、本発明を説明するために用いられているにすぎず、本発明を限定するものではない。【００４０】
＜第１の実施の形態＞
まず、本発明の第１の実施の形態について説明する。図１には、本発明の第１の実施の形態におけるネットワーク構成の一例が図示されている。なお、図１には、モバイルノード（ＭＮ：Mobile Node）（１０１２）、サービングＰｏＡ（Serving Point Of Attachment）（１００８）、ターゲットＰｏＡ（Ｔａｒｇｅｔ Point Of Attachment）（１０１０）、インターネット１０６０の接続関係が図示されている。【００４１】
図１において、ＭＮ（１０１２）は、２つのインタフェース（ＩＦ−１（１０３０）及びＩＦ−２（１０２８））を有している。なお、一例としては、一方のインタフェースは３ＧＰＰネットワークに接続可能であり、他方のインタフェースはＷＬＡＮに接続可能な異種ネットワークインタフェースである。ＭＮ（１０１２）は、ＩＦ−１（１０３０）を通じて、サービングＰｏＡ（１００８）に接続されている。一方、別のネットワークタイプのインタフェースであるＩＦ−２（１０２８）は、現在、電源が切られた状態にあって、いかなる信号の送受信も行わない状態にある。【００４２】
ＭＮ（１０１２）は、ある時刻において、ＩＦ−１（１０３０）から別のネットワークインタフェース（すなわち、ＩＦ−２（１０２８））に切り換えて、ターゲットＰｏＡ（１０１０）を通じてＩＦ−２（１０２８）からデータを受信しようとしたとする。【００４３】
なお、サービングＰｏＡ（１００８）は、ＭＮ（１０１２）が通信を行うためにＭＮ（１０１２）のインタフェースが既に接続されている接続ポイントを表している。一方、ターゲットＰｏＡは、ＭＮ（１０１２）のあるインタフェースがこれから接続を行おうとしている接続ポイント（あるいは、まだ接続されていない接続ポイント）を表している。【００４４】
通常、ディープスリープモード又は非接続モードにおいては、ＭＮ（１０１２）は少なくとも所定の期間は起動（ウェイクアップ）し、ＰｏＡ（Point of Attachment：接続ポイント）からブロードキャストメッセージ（例えば、特別なビーコン）を受信する。この特別なビーコンには、ＭＮ（１０１２）がＰｏＡとの接続を開始して適切な送信タイムスロット（あるいは受信タイムスロット）を定めるために必要な情報（例えば、ＰｏＡとの同期や正しい競合ウィンドウパラメータの取得など）が含まれている。【００４５】
なお、通常、この所定の期間は、例えば通常のビーコン間隔の数回分程度までの非常に長い期間になってしまう可能性がある。したがって、ＭＮ（１０１２）は、このブロードキャストメッセージを１回聞き逃した場合（あるいは、受信した１回のブロードキャストメッセージだけでは必要なすべての情報が得られなかった場合など）には、別のブロードキャストメッセージを受信するまでの期間（すなわち、ビーコン間隔）、インタフェースを起動状態にし続ける必要がある。【００４６】
なお、ＭＮ（１０１２）は、この期間は、電力を節約するためにディープスリープ状態になることはできない。例えば、ＷＬＡＮネットワークでは、ある情報要素（例えば、ＱｏＳパラメータなど）が、毎回のビーコンに含まれているとは限らない。したがって、ＭＮ（１０１２）は、インタフェースをディープスリープ状態にすることなく、ＡＰ（すなわち、ターゲットＰｏＡ（１０１０））にクエリ（問い合わせ）を行うか、あるいは、次に特別なビーコンがブロードキャストされるのを待つ必要がある。【００４７】
この状態は、例えば、ＭＮ（１０１２）は、ある時間だけ待機した後でクエリを送信する機会を得なければならなかったり、ビーコン間隔だけ待機状態になったりする必要があり、長時間の遅延を引き起こす可能性があるとともに、ＭＮ（１０１２）の限られた電力を消費してしまう可能性がある。【００４８】
処理を促進して遅延を少なくするため、ＭＮ（１０１２）は、まるで別のノードがＭＮ（１０１２）のＩＦ−２（１０２８）への接続を試みているかのように、既存の接続（例えばＩＦ−１（１０３０）及びサービングＰｏＡ（１００８）、インターネット（１０６０））を経由して、ページングリクエストメッセージをターゲットＰｏＡ（１０１０）に送信する。【００４９】
上記のページングリクエストを通常のシステムにおけるページングと区別するため、このページングリクエストメッセージには、特別なメディア独立ページングオブジェクト（ＭＩＰＯ： Media Independent Paging Object）が含まれている。【００５０】
例えば、ＭＩＰＯには、ページングが、ＭＮ（１０１２）自身によって開始された旨を示す情報（例えば、フラグやＭＮ（１０１２）の識別子、あるいは、ターゲットＰｏＡ（１０１０）との間における任意のセキュリティアソシエーション情報）が含まれている。また、ＭＮ(１０１２)は、ページングリクエストメッセージに、ＭＮ（１０１２）自身が所望する様々な要求を挿入することで、ＭＮ（１０１２）が所望する条件を要求することが可能である。【００５１】
ページングリクエストメッセージを受信すると、ターゲットＰｏＡ（１０１０）はＩＦ−２（１０２８）上のＭＮ（１０１２）を起動させるための通常の処理（例えば、必要なコンテキストの検索、リソースの割り当て、送信スケジュールの調整など）を実行する。同時に、ターゲットＰｏＡ（１０１０）は、ページングリクエストメッセージ内のＭＩＰＯを調べて、ＭＩＰＯがそのローカルの検証を通った場合には特別な動作を実行する。【００５２】
例えば、ＭＮ（１０１２）の識別子が有効であり、かつセキュリティアソシエーションが正統なものであることをターゲットＰｏＡ（１０１０）が検証した場合に、ターゲットＰｏＡ（１０１０）は、ＭＮ（１０１２）の接続確立のために必要な情報を、通常のスケジュール期間（通常予定されている期間）Ｔよりも早く（狭く）ブロードキャストする。なお、ＭＮ（１０１２）の接続確立のために必要な情報には、例えば、関連するＱｏＳパラメータセットやタイミング情報などが含まれる。【００５３】
ターゲットＰｏＡ（１０１０）が行うことができる動作の一例として、ポーリングリストにＭＮ（１０１２）を設定し、次のスケジュール期間でＩＦ−２（１０２８）からのリクエストを待機せずに、ＭＮ（１０１２）に対して送信機会を割り当てることが挙げられる。【００５４】
なお、ＭＮ（１０１２）がある特定の情報のみを必要としている場合には、ターゲットＰｏＡ（１０１０）（例えば、ＡＰ）は、この特別な情報をビーコンに埋め込み、ビーコン間隔ごとに送信するように調整する。この結果、ＭＮ（１０１２）はそのインタフェース（ＩＦ−２（１０３０））を起動した場合に、ターゲットＰｏＡ（１０１０）からのビーコン間隔が通常よりも狭くなっているため、必要な情報を通常よりも迅速に取得できるようになる。【００５５】
また、ターゲットＰｏＡ（１０１０）は、別の接続（例えば、インターネット１０６０、サービングＰｏＡ（１００８）及びＩＦ−１（１０３０））を経由してＭＮ（１０１２）にページングレスポンスメッセージを送信することが可能である。これにより、ＭＮ（１０１２）に関連情報（例えば、ＡＰがブロードキャストメッセージを送信する期間Ｔ）が提供されるようになる。さらに、ターゲットＰｏＡ（１０１０）は、アクセス技術（１０２４）の実際のタイミングには依存しない情報を含ませてもよい。すなわち、例えば何らかの鍵情報、ウィンドウサイズ、接続の識別値、あるいはその他の様々な情報が、サービングＰｏＡ（１００８）及びＩＦ−１（１０３０）を経由してＭＮ（１０１２）に直接送信されてもよい。【００５６】
なお、別の動作として、ページングリクエストメッセージに、ＭＩＰＯのトリガ情報要素（ＴＩＥ：Trigger Information Element）が含まれてもよい。ターゲットＰｏＡ（１０１０）は、このＴＩＥを受信すると、ページングレスポンスメッセージを即座に生成する代わりに、監視スケジュールを設定する。そして、ＴＩＥに関連する情報が閾値を超えたことが監視によって把握された場合に、ターゲットＰｏＡ（１０１０）は、起動（ウェイクアップ）イベントを作成し、この起動イベントを別のインタフェース（すなわち、ＩＦ−１（１０３０））及びサービングＰｏＡ（１００８）経由でＭＮ（１０１２）に送信されるページングレスポンスに挿入する。【００５７】
なお、このような閾値を超える一例としては、ターゲットＰｏＡ（１０１０）に格納され待機されているパケット(キューイングされているパケット）が所定の制限を超えた場合が挙げられる。この閾値を超えるイベントの発生によって、ＭＮ（１０１２）は、ＩＦ−１（１０３０）で受信する起動イベントに基づきＩＦ−２（１０２８）において起動されるようになり、その結果、単に所定の期間に起動状態となっている場合に比べてより迅速に、キューイングされているパケットを受信することができるようになる。【００５８】
＜第２の実施の形態＞
次に、本発明の第２の実施の形態について説明する。図２には、本発明の第２の実施の形態における動作の一例を示すシーケンスチャートが図示されている。図２に示すシーケンスチャートの初期状態として、図１に図示されているように、ＭＮ（１０１２）のＩＦ−１（１０３０）がサービングＰｏＡ（１００８）に接続されており、サービングＰｏＡ（１００８）経由でデータ（２００１：Ｄａｔａ）を受信しているものとする。【００５９】
この状態において、ＭＮ（１０１２）は、要求に応じた（オンデマンドの）ページングシグナルを送信するようにターゲットＰｏＡ（１０１０）にリクエストするため、ページングリクエストメッセージ（２００２：Ｐａｇｉｎｇ＿Ｒｅｑ）をそのサービングＰｏＡ（１００８）に送信する。サービングＰｏＡ（１００８）は、ターゲットＰｏＡ（１０１０）にページングリクエストメッセージ（２００４：Ｐａｇｉｎｇ＿Ｒｅｑ）を転送する。【００６０】
ページングリクエストメッセージは、下記のフィールドを有している。【００６１】
・送信元及びあて先アドレスやメッセージ識別子などの情報を含む共通ヘッダ
・セッションＩＤ
・ページングリクエストＩＤ
・必要なリソース
・ターゲットＰｏＡのＩＤ（例えば、ＭＮの履歴として保持されているか、あらかじめ情報が設定されている）
・ドーマント状態のインタフェース（ここでは、ＩＦ−２（１０２８））のタイプ
・ターゲットＰｏＡの加入者情報【００６２】
ターゲットＰｏＡ（１０１０）は、ページングリクエストメッセージのリソース要求フィールドに記載されているＭＮ（１０１２）が必要としているリソースをＭＮ（１０１２）に割り当てられるか否かをチェックする。そして、ターゲットＰｏＡ（１０１０）は、必要とされるリソースをＭＮ（１０１２）に割り当てることができる場合には、サービングＰｏＡ（１００８）にページングレスポンスメッセージ（２００７：Ｐａｇｉｎｇ＿Ｃｆｒｍ）を送信する。【００６３】
ページングレスポンスメッセージは、下記のフィールドを有している。【００６４】
・送信元及びあて先アドレスやメッセージ識別子などの情報を含む共通ヘッダ
・セッションＩＤ
・ページングリクエストＩＤ
・ページング予定相対時刻（Relative Scheduled Paging time）
・利用可能なリソース
・ターゲットＰｏＡのＩＤ
・チャンネル番号
・確認メッセージを受信する受信時刻（オプション）【００６５】
ページング予定相対時刻は、ＭＮ（１０１２）がある期間だけアクティブ状態にするための相対的な時刻であり、ＭＮ（１０１２）が必要とする情報を取得することをターゲットＰｏＡ（１０１０）が保証できる時刻である。【００６６】
なお、ＭＮ（１０１２）はこのときにはサービングＰｏＡ（１００８）と同期しているので、サービングＰｏＡ（１００８）の時計に合っているが、この予定された起動時刻（ウェイクアップ時刻）は、ターゲットＰｏＡ（１０１０）の時計に基づいている。【００６７】
ページングレスポンスメッセージ（２００７：Ｐａｇｉｎｇ＿Ｒｅｓ）を受信したサービングＰｏＡ（１００８）は、ページングレスポンスメッセージ（２００８：Ｐａｇｉｎｇ＿Ｒｅｓ）をＭＮ（１０１２）に送信する。このとき、ＭＮ（１０１２）はページング確認メッセージ（２００９、２０１０：Ｐａｇｉｎｇ＿Ｃｆｒｍ）をターゲットＰｏＡ（１０１０）に送り返し、ＭＮ（１０１２）がターゲットＰｏＡ（１０１０）からデータを受信する準備ができているか否かを通知してもよい。【００６８】
ページング確認メッセージは、下記のフィールドを有している。【００６９】
・送信元及びあて先アドレスやメッセージ識別子などの情報を含む共通ヘッダ
・ページングリクエストＩＤ
・ターゲットＰｏＡのＩＤ【００７０】
次に、ＭＮ（１０１２）は、ページングレスポンスメッセージ（２００８）に記載されているウェイクアップ時刻（ページング予定相対時刻フィールド）にＩＦ−２（１０２８）を起動させるようにスケジュール調整を行う。また、ターゲットＰｏＡ（１０１０）は、ページング予定相対時刻において、ＭＮ（１０１２）に対して短いオンデマンドのページングメッセージ（２０１４：Ｐａｇｉｎｇ）を送信する。【００７１】
オンデマンドのページングメッセージは、下記のフィールドを有している。【００７２】
・送信元及びあて先アドレスやメッセージ識別子などの情報を含む共通ヘッダ
・ページングリクエストＩＤ
・ターゲットＰｏＡのＩＤ
・データ送信予定時刻
・確認メッセージの送信予定時刻
・無線リソースが利用可能であるという確認を行う確認メッセージを送信するためにスケジュールされた時刻【００７３】
ページングメッセージ（２０１４：Ｐａｇｉｎｇ）は、ターゲットＰｏＡ（１０１０）を経由してインタフェース（ＩＦ−２）に送信されるメディアアクセスコントロール（ＭＡＣ：Medium Access Control）レイヤの制御シグナルである。通常、ページングメッセージ（２０１４：Ｐａｇｉｎｇ）は、確立されるべき接続の呼び出し待機が存在していることをＭＮ（１０１２）に警告するために送信される。【００７４】
さらに、ページングメッセージ（２０１４：Ｐａｇｉｎｇ）に、ＭＮ（１０１２）がデータ送受信を行う際にＭＮ（１０１２）に割り当てることが可能な無線リソース（例えば、チャンネル番号、タイムスロット、データレートなど）の情報を含ませてもよい。これら無線リソースに関する情報は、ページングレスポンスメッセージ（２００８：Ｐａｇｉｎｇ＿Ｒｅｓ）に含ませてもよい。さらに、ページングメッセージ（２０１４：Ｐａｇｉｎｇ）を受信する前は、ＭＮ（１０１２）のＩＦ−２（１０２８）は完全にオフの状態になっていてもよく、ページングメッセージ（２０１４）によって、ターゲットＰｏＡ（１０１０）からインタフェースＩＦ−２（１０２８）を経由してＭＮ（１０１２）に到達可能であることがテストされてもよい。【００７５】
ページングメッセージ（２０１４：Ｐａｇｉｎｇ）がＭＮ（１０１２）でエラーがない状態で受信された場合には，ＭＮ（１０１２）は、確認メッセージ（２０１６：Ｃｏｎｆｉｒｍ）をターゲットＰｏＡ（１０１０）に送り返す。【００７６】
確認メッセージは、下記のフィールドを有している。【００７７】
・送信元及びあて先アドレスやメッセージ識別子などの情報を含む共通ヘッダ
・ページングリクエストＩＤ
・ターゲットＰｏＡのＩＤ【００７８】
また、確認メッセージ（２０１６：Ｃｏｎｆｉｒｍ）をＭＮ（１０１２）から受信した後、ターゲットＰｏＡ（１０１０）は、ハンドオーバ完了メッセージ（２０２０：ＨＯ（Handover Complete））をサービングＰｏＡ（１００８）に送信する。【００７９】
ＨＯメッセージは、下記のフィールドを有している。【００８０】
・送信元及びあて先アドレスやメッセージ識別子（メッセージのタイプ、予約、リザーブ（ＲＥＳＥＲＶＥ）、ティア（ＴＥＡＲ）など）の情報を含む共通ヘッダ
・予約識別情報【００８１】
ターゲットＰｏＡ（１０１０）は、データ送信予定時刻（ページングメッセージ内に記載）に、ＭＮ（１０１２）あてのデータ（２０２２：Ｄａｔａ）の送信を開始する。また、ＭＮ（１０１２）は、ページングメッセージ（２０１４）に記載されているデータ送信予定時刻にドーマント状態のインタフェース（ここでは、ＩＦ−２（１０２８））アクティブ状態にする。【００８２】
＜第３の実施の形態＞
次に、本発明の第３の実施の形態について説明する。図３には、本発明の第３の実施の形態におけるネットワーク構成の一例が図示されている。また、図４には、本発明の第３の実施の形態における動作の一例を示すシーケンスチャートが図示されている。なお、図４には、図３に図示されているネットワーク構成に基づく動作が図示されている。また、図４に示すシーケンスチャートの初期状態として、図３に図示されているように、ＭＮ（３０１６）のＩＦ−１（３０４０）がサービングＰｏＡ（３０１０）に接続されており、サービングＰｏＡ（３０１０）経由でデータ（４００１：Ｄａｔａ）を受信しているものとする。【００８３】
図３において、ＭＮ（３０１６）が動作中のインタフェース（ＩＦ−１（３０４０））からドーマント状態のインタフェース（ＩＦ−２（３０３８））に切り換えようとしている場合に、ＭＮ（３０１６）がドーマント状態のＩＦ−２（３０３８）に対するターゲットＰｏＡ（３０１２、３０１４）に関する情報を持っていない場合や、サービングＰｏＡ（３０１０）にターゲットＰｏＡに関する情報が存在しない可能性もある。【００８４】
しかしながら、サービングＰｏＡ（３０１０）は、図３に示すように、ターゲットＰｏＡとなり得る接続ポイントに関する情報を得るために、情報サーバ（ＩＳ：Information Server）（３００８）にアクセスできる場合がある。【００８５】
ＭＮ（３０１６）が、ＩＦ−１（３０４０）から別のネットワークインタフェース（ＩＦ−２（３０３８））に切り換える際に、まず、ＭＮ（３０１６）はターゲットＰｏＡからページングメッセージを受信する必要がある。ＭＮ（３０１６）のためのオンデマンドのページングメッセージを送信するようにターゲットＰｏＡに対して要求するため、ＭＮ（３０１６）は、まず、現在の位置情報（例えば、ＧＰＳ位置情報）及びＩＦ−２（３０３８））のネットワークインタフェースのタイプ情報を含む情報リクエストメッセージ（４００２：Ｉｎｆｏ＿Ｒｅｑ）をサービングＰｏＡ（３０１０）に送信する。【００８６】
情報リクエストメッセージは、下記のフィールドを有している。【００８７】
・送信元及びあて先アドレスやメッセージ識別子などの情報を含む共通ヘッダ
・ページングリクエストＩＤ
・ドーマント状態のインタフェースのタイプ
・ＭＮの加入者情報
・ＭＮの位置情報【００８８】
サービングＰｏＡ（３０１０）は、情報サーバ（３００８）に情報リクエストメッセージ（４００４：Ｉｎｆｏ＿Ｒｅｑ）を転送する。そして、情報サーバ（３００８）は、自身のデータベースをチェックする。このデータベースには、ある範囲を有する地理的な領域とネットワークＰｏＡとの対応情報が格納されている。情報サーバ（３００８）のデータベースは、例えば、ＭＮ（３０１６）が位置している領域（ＭＮ（３０１６）の現在位置を含む領域）を担当しているネットワークＰｏＡを探索するため、ＧＰＳサーバにリンクされている。【００８９】
情報サーバ（３００８）は、データベースを参照して、ＭＮ（３０１６）の現在位置に対応する１つ又は複数のネットワークＰｏＡの情報を情報レスポンスメッセージ（４００６：Ｉｎｆｏ＿Ｒｅｓ）によってサービングＰｏＡ（３０１０）に返送する。【００９０】
情報レスポンスメッセージは、下記のフィールドを有している。【００９１】
・送信元及びあて先アドレスやメッセージ識別子などの情報を含む共通ヘッダ
・ページングリクエストＩＤ
・ターゲットＰｏＡ−１のＩＤ
・ターゲットＰｏＡ−２のＩＤ
・ターゲットＰｏＡ−ＮのＩＤ
（ターゲットＰｏＡの数は１つ又は複数であってよい）【００９２】
サービングＰｏＡ（３０１０）は、ＭＮ（３０１６）に情報レスポンスメッセージ（４００８：Ｉｎｆｏ＿Ｒｅｓ）を送信する。ＭＮ（３０１６）は情報レスポンスメッセージ（４００８：Ｉｎｆｏ＿Ｒｅｓ）を受信すると、ターゲットＰｏＡを選択する。この選択は、例えば加入者情報やコストなどに基づいて行われてもよい。【００９３】
ターゲットＰｏＡを選択した後、ＭＮ（３０１６）は、選択したターゲットＰｏＡ（例えば、２つのターゲットＰｏＡ３０１２、３０１４）あてのページングリクエストメッセージを、集約されたページングリクエストメッセージ（４０１０：Ｐａｇｉｎｇ＿Ｒｅｑ）によって、サービングＰｏＡ（３０１０）に送信する。【００９４】
集約されたページングリクエストメッセージは、下記のフィールドを有している。【００９５】
・送信元及びあて先アドレスやメッセージ識別子などの情報を含む共通ヘッダ【００９６】
・セッションＩＤ
・ページングリクエストＩＤ
・必要なＱＳＰＥＣ
・利用可能なＱＳＰＥＣ
・ターゲットＰｏＡ−１のＩＤ
・ターゲットＰｏＡ−２のＩＤ
・ターゲットＰｏＡ−ＮのＩＤ
・ドーマント状態のインタフェースのタイプ
・ターゲットＰｏＡの加入者情報
（ターゲットＰｏＡの数は１つ又は複数であってよい）【００９７】
集約ページングリクエストメッセージ（４０１０：Ｐａｇｉｎｇ＿Ｒｅｑ）をＭＮ（３０１６）から受信すると、サービングＰｏＡ（３０１０）は、各ページングリクエストメッセージ（４０１２、４０１４：Ｐａｇｉｎｇ＿Ｒｅｑ）を集約ページングリクエストメッセージ（４０１０：Ｐａｇｉｎｇ＿Ｒｅｑ）集約ページングリクエストメッセージ（４０１０：Ｐａｇｉｎｇ＿Ｒｅｑ）に記載されているターゲットＰｏＡ（３０１２、３０１４）に送信する。【００９８】
ページングリクエストメッセージ（４０１２、４０１４：Ｐａｇｉｎｇ＿Ｒｅｑ）を受信すると、ターゲットＰｏＡ（３０１２、３０１４）は、ページングレスポンスメッセージ（４０１６、４０１８）をサービングＰｏＡ（３０１０）に返送する。そして、サービングＰｏＡ（３０１０）は、２つのページングレスポンスメッセージ（４０１９、４０２２）をＭＮ（３０１６）に送信する。【００９９】
サービングＰｏＡ（３０１０）からページングレスポンスメッセージ（４０１９、４０２２）を受信すると、ＭＮ（３０１６）は、ページングレスポンスメッセージ（４０１９、４０２２）に記載されているページング予定相対時刻において、ＩＦ−２（３０３８）へ切り換える。【０１００】
ＭＮ（３０１６）は、ページングレスポンスメッセージ（４０１９、４０２２）に記載されたページング予定相対時刻において、ドーマント状態のＩＦ−２（３０２８）をアクティブ状態にし、ターゲットＰｏＡ（３０１２、３０１４）からのページングメッセージの受信待機状態となる。【０１０１】
ＭＮ（３０１６）がターゲットＰｏＡ（３０１２、３０１４）からページングメッセージ（４０２４、４０２６）を受信すると、ＭＮ（３０１８）は、ページングメッセージ（４０２４、４０２６）のシグナル品質に基づいて、最適なターゲットＰｏＡ（ここでは、ターゲットＰｏＡ３０１４とする）を選択する。【０１０２】
なお、ページングメッセージ（４０２４、４０２６）には、ＭＮ（３０１６）が確認メッセージを送信する時刻（確認メッセージの送信予定時刻）と、ＭＮ（３０１６）がデータ受信を開始するスケジュールされたデータ送信時刻（データ送信予定時刻）とが含まれている。【０１０３】
ＭＮ（３０１６）は、送信予定時刻（ページングメッセージに記載されている確認メッセージの送信予定時刻）に確認メッセージ（４０２８：Ｃｏｎｆｉｒｍ）を選択されたターゲットＰｏＡ（３０１４）に送信し、さらにハンドオーバが完了した旨を示すハンドオーバ完了メッセージ（４０２９：ＨＯ）が選択されたターゲットＰｏＡ（３０１４）からサービングＰｏＡ（３０１０）に送信され、サービングＰｏＡ（３０１０）とＭＮ（３０１６）との間の接続が切断されるとともに、サービングＰｏＡ（３０１０）から選択されたターゲットＰｏＡ（３０１４）にデータ（４０３２：Ｄａｔａ）の転送が行われる。そして、  ＭＮ（３０１６）は、予定された起動時刻（ウェイクアップ時刻）に、選択されたターゲットＰｏＡ（３０１４）から送信されるデータ（４０３４：Ｄａｔａ）の受信を開始する。【０１０４】
＜第４の実施の形態＞
次に、本発明の第４の実施の形態について説明する。図５には、本発明の第４の実施の形態におけるネットワーク構成の一例が図示されている。また、図６には、本発明の第４の実施の形態における動作の一例を示すシーケンスチャートが図示されている。なお、図６には、図５に図示されているネットワーク構成に基づく動作が図示されている。また、図６に示すシーケンスチャートの初期状態として、図５に図示されているように、ＭＮ（５０１６）のＩＦ−１（５０３６）がサービングＰｏＡ（５０１２）に接続されており、サービングＰｏＡ（５０１２）経由でデータ（６００４：Ｄａｔａ）を受信しているものとする。【０１０５】
図５に図示されているように、ＭＮ（５０１６）が動作中のインタフェースからドーマント状態のインタフェースに切り換えようとしているネットワークに、ページングコントローラ（ＰＣ：Paging Controller）（図５のＰＣ−１（５００８）及びＰＣ−２（５０１０））が存在する場合もある。このページングコントローラ（５００８、５０１０）は、オンデマンドのページングメッセージをＭＮ（５０１６）に送信するターゲットＰｏＡとの間で、ＭＮ（５０１６）が通信を行えるようにするものである。【０１０６】
上述のように、ＭＮ（５０１６）がＩＦ−１（５０３６）から別のネットワークインタフェース（例えば、ＩＦ−２（５０３８））（最初は電源オフの状態）に切り換えようとしている場合、ＭＮ（５０１６）は、ターゲットＰｏＡ（５０１４）からのページングメッセージを受信する必要がある。【０１０７】
ＩＦ−２（５０３８）をアクティブ状態にしてページングメッセージを待機する通常の処理を行うことなく、ターゲットＰｏＡ（５０１４）からのページングメッセージを受信するために、ＭＮ（５０１６）は、図６に図示されているように、オンデマンドのページングリクエストメッセージ（６００６：Ｐａｇｉｎｇ＿Ｒｅｑ）をサービングＰｏＡ（５０１２）に送信する。サービングＰｏＡ（５０１２）は、ページングコントローラ（ＰＣ−１）（５００８）にページングリクエストメッセージ（６００８：Ｐａｇｉｎｇ＿Ｒｅｑ）を転送する。また、ＰＣ−１（５００８）は、ページングリクエストメッセージ（６０１０：Ｐａｇｉｎｇ＿Ｒｅｑ）をＰＣ−２（５０１０）に転送する。さらに、このページングリクエストメッセージ（６０１２）は転送されて、ページングリクエストメッセージ（６０１２：Ｐａｇｉｎｇ＿Ｒｅｑ）がターゲットＰｏＡ（５０１４）に到達する。【０１０８】
ターゲットＰｏＡ（５０１４）は、ページングリクエストメッセージ（６０１２：Ｐａｇｉｎｇ＿Ｒｅｑ）を受信すると、ＰＣ−２（５０１０）、ＰＣ−１（５００８）、ターゲットＰｏＡ（５０１２）を経由してＭＮ（５０１６）にページングレスポンスメッセージ（６０２２、６０２４、６０２６、６０２８：Ｐａｇｉｎｇ＿Ｒｅｓ）を送信する。【０１０９】
ＭＮ（５０１６）は、ページングレスポンスメッセージ（６０２８：Ｐａｇｉｎｇ＿Ｒｅｓ）を受信すると、このページングレスポンスメッセージ（６０２８：Ｐａｇｉｎｇ＿Ｒｅｓ）に記載されている起動時刻（ウェイクアップ時刻）にＩＦ−２（５０３８）を起動し、ターゲットＰｏＡ（５０１４）からのページングメッセージ（６０３０：Ｐａｇｉｎｇ）を受信する。【０１１０】
ページングメッセージ（６０３０：Ｐａｇｉｎｇ）をエラーのない状態で受信すると、ＭＮ（５０１６）は、ターゲットＰｏＡ（５０１４）から送信されたページングメッセージ（６０３０：Ｐａｇｉｎｇ）を受信したインタフェースと同一のネットワークインタフェースＩＦ−２（５０３８）を経由して、ターゲットＰｏＡ（５０１４）に確認メッセージ（６０３２：Ｃｏｎｆｉｒｍ）を送信する。【０１１１】
また、ターゲットＰｏＡ（５０１４）は、確認メッセージ（６０３２）を受信すると、ハンドオーバの完了を通知するハンドオーバ完了メッセージ（６０３４：ＨＯ）をＰＣ−２（５０１０））に送信する。ＰＣ−２（５０１０）はハンドオーバ完了メッセージ（６０３６：ＨＯ）をＰＣ−１（５００８）に転送し、ＰＣ−１（５００８）はハンドオーバ完了メッセージ（６０３８：ＨＯ）をサービングＰｏＡ（５０１２）に転送する。【０１１２】
＜第５の実施の形態＞
次に、本発明の第５の実施の形態について説明する。図７には、本発明の第５の実施の形態における動作の一例を示すシーケンスチャートが図示されている。なお、図７には、図３に図示されているネットワーク構成に基づく動作が図示されている。また、図７に示すシーケンスチャートの初期状態として、図３に図示されているように、ＭＮ（３０１６）のＩＦ−１（３０４０）がサービングＰｏＡ（３０１０）に接続されており、サービングＰｏＡ（３０１０）経由でデータ（７００１：Ｄａｔａ）を受信しているものとする。【０１１３】
なお、図７に示すシーケンスチャートに示されている処理の中には、先に説明した図４に示すシーケンスチャートと同様の処理を行うものもあり、ここでは、必要な処理についてのみ説明を行う。また、制御ノード３００６は、ＭＮ（３０１６）へのデータパスの分岐点／集約点に相当するノードである。制御ノード（３０１６）は、例えば、サービングＰｏＡ（３０１０）から送信された集約ページングリクエストメッセージ（７０１１）を、ターゲットＰｏＡ−１（３０１２）へのページングリクエストメッセージ（７０１２）と、ターゲットＰｏＡ−２（３０１４）へのページングリクエストメッセージ（７０１４）とに分散させる分岐点や、ターゲットＰｏＡ−１（３０１２）からのページングレスポンスメッセージ（７０２０）と、ターゲットＰｏＡ−２からのページングリクエストメッセージ（７０１８）とを、１つの集約ページングレスポンスメッセージ（７０２２）にまとめてサービングＰｏＡ（３０１０）に送信する集約点としての機能を有している。この制御ノード（３００６）は、データパスの効率的な管理を行う上で有用であるが、本発明では、必須のノードではない。すなわち、例えば制御ノード（３００６）を設けずに、サービングＰｏＡ（３０１０）がターゲットＰｏＡ−１（３０１２）及びターゲットＰｏＡ−２（３０１４）へのメッセージを集約／分散せずに、各ターゲットＰｏＡとの間で独立してメッセージの送受信を行えばよい。【０１１４】
本発明の第５の実施の形態では、図３に図示されているネットワーク構成において、２つのターゲットＰｏＡ−１（３０１２）及びターゲットＰｏＡ−２（３０１４）がＭＮ（３０１６）へのページングメッセージを、同時又は非常に近いタイミングで送信するようにスケジューリングが行われてしまった場合について説明する。【０１１５】
このようなスケジューリングによって、２つのページングメッセージが衝突してしまう場合には、ＭＮ（３０１６）がこれら２つのページングメッセージを正確に受信できない可能性がある。【０１１６】
例えば、図７に図示されているように、ターゲットＰｏＡ−１（３０１２）及びターゲットＰｏＡ−２（３０１４）が、同一のページング予定相対時刻に設定して、ページングレスポンスメッセージ（７０１８、７０２０）をＭＮ（３０１６）に送信したとする。【０１１７】
このとき、図７においては、ターゲットＰｏＡ−１（３０１２）からのページングレスポンスメッセージ（７０２０）が制御ノード（７０２０）で受信され、その後、ターゲットＰｏＡ−２（３０１４）からのページングレスポンスメッセージ（７０１８）が制御ノード（３００６）で受信されて、制御ノード（３００６）からサービングＰｏＡ（３０１０）にこれらのページングレスポンスメッセージ（７０２０、７０１８）が集約された集約ページングレスポンスメッセージ（７０２２）が送信されている。【０１１８】
なお、制御ノード（３００６）を設けない構成を考え、まず、ターゲットＰｏＡ−１（３０１２）からのページングレスポンスメッセージ（７０２０）がサービングＰｏＡ（３０１０）で受信され、その後、ターゲットＰｏＡ−２（３０１４）からのページングレスポンスメッセージ（７０１８）がサービングＰｏＡ（３０１０）で受信されたと考えてもよい。【０１１９】
以下、図９を参照しながら、この場合におけるサービングＰｏＡの処理の一例について説明する。図９には、本発明の第５の実施の形態におけるサービングＰｏＡの処理の一例を示すフローチャートが図示されている。【０１２０】
サービングＰｏＡ（３０１０）は、ページングレスポンスメッセージを受信すると（ステップＳ９０００）、同一のＭＮのＩＤに関して、自身が保持しているページングテーブルレコード（図８参照）の各エントリ（既に定まっているスケジュールに係るエントリ）のページング予定相対時刻と、受信したページングレスポンスメッセージに含まれているページング予定相対時刻とが競合していないか否か（同一時刻又は非常に近い時刻でオーバラップしているか否か）を確認する（ステップＳ９００２）。【０１２１】
両方のページング予定相対時刻が競合している場合には、受信したページングレスポンスメッセージの送信元に対して、ページング予定相対時刻の変更（再スケジュール）を指示する再スケジュールメッセージを送信する（ステップＳ９００４）。一方、両方のページング予定相対時刻が競合していない場合には、図８に図示されているようなページングエントリテーブルにエントリを追加して、受信したページングレスポンスメッセージの内容をそのエントリに記載する（ステップＳ９００４）。また、サービングＰｏＡ（３０１０）は、この受信したページングレスポンスメッセージをＭＮ（３０１６）に転送する（ステップＳ９００６）。【０１２２】
図７においては、サービングＰｏＡ（３０１０）は、集約ページングレスポンスメッセージ（７０２２）内の複数のページングレスポンスメッセージのうちの最初に処理を行うもの（あるいは、制御ノード（３００６）を設けない構成の場合には、最初に受信して処理を行ったページングレスポンスメッセージ）に関しては、ＭＮ（３０１６）に転送する。その結果、図７に図示されているように、ページングレスポンスメッセージ（７０２４：Ｐａｇｉｎｇ＿Ｒｅｓ）はＭＮ（３０１６）に転送される。一方、同一時間又は非常に近い時間でページング予定相対時刻がオーバラップしているページングレスポンスメッセージ（７０１８：Ｐａｇｉｎｇ＿Ｒｅｓ）に関しては、図７に図示されているように、再スケジュールメッセージ（７０２６：Ｒｅｓｃｈｅｄｕｌｅ）が返送される。【０１２３】
返送されてきた再スケジュールメッセージ（７０２８：Ｒｅｓｃｈｅｄｕｌｅ）を受信したターゲットＰｏＡ−１（３０１２）は、先に送信したページングレスポンスメッセージに含まれているページング予定相対時刻とは異なる時刻を新たに設定した別のページングレスポンスメッセージ（７０３０：Ｐａｇｉｎｇ＿Ｒｅｓ）を生成して送信する返送する。この新たに送信されたページングレスポンスメッセージに関しても、図９に図示されているアルゴリズムを用いて同様にページング予定相対時刻のオーバラップの確認が行われ、時刻の競合がない場合には、ページングレスポンスメッセージ（７０３３：Ｐａｇｉｎｇ＿Ｒｅｓ）がＭＮ（３０１６）に転送される。【０１２４】
なお、再スケジュールメッセージは、下記のフィールドを有している。
・送信元及びあて先アドレスやメッセージ識別子などの情報を含む共通ヘッダ
・ページングリクエストＩＤ
・ターゲットＰｏＡのＩＤ【０１２５】
＜第６の実施の形態＞
次に、本発明の第６の実施の形態について説明する。【０１２６】
上述の第１〜第３の実施の形態において、ターゲットＰｏＡは、モバイルノードから要求されたオンデマンドのページングメッセージを送信する。このとき図１０に図示されているように、ターゲットＰｏＡは、ターゲットＰｏＡの時間フレーム内において、モバイルノードから要求されたオンデマンドのページングメッセージを送信するための短いオンデマンドのページング（ＯＤＰ：on-demand Paging）用のタイムスロット（１０００１、１０００２、１０００３）や無線チャンネルを有するようにする。【０１２７】
この場合、ターゲットＰｏＡは、図１１に図示されているように、自身が受信したオンデマンドのページングリクエストメッセージの一覧を含むテーブルを保持している。ターゲットＰｏＡは、ページングリクエストメッセージを受信すると、図１１に図示されているようなオンデマンドのページングリクエストテーブルにエントリを追加し、受信したページングリクエストメッセージの内容を挿入する。また、ターゲットＰｏＡは、オンデマンドのページングメッセージを送信するための次の利用可能な空きタイムスロットを確認し、ページングリクエストに従って送信するオンデマンドのページングメッセージの送信フレーム番号や送信タイムスロットを設定する。【０１２８】
また、図１２は、本発明を実現するためのＭＮの構成の一例を示す図である。なお、図１２には、上述のすべての実施の形態を実現できるようなＭＮの構成が模式的に図示されているが、適宜必要な機能のみを選択的に使用又は実装することで、上述の実施の形態のそれぞれの機能を実現する構成にすることが可能である。【０１２９】
図１２に図示されているＭＮは、１つ又は複数の無線通信インタフェース１２００１（図１２では２つの無線通信インタフェース１２００１を図示）、識別情報取得部１２００２、ページングリクエストメッセージ送信部１２００３、ページングレスポンスメッセージ受信部１２００４、接続制御部１２００５、給電制御部１２００６を有している。【０１３０】
無線通信インタフェース１２００１は、ＰｏＡ（サービングＰｏＡやターゲットＰｏＡ）と無線通信を介して接続するためのインタフェースである。【０１３１】
また、識別情報取得部１２００２は、ターゲットＰｏＡの識別情報を取得するための機能を有している。ターゲットＰｏＡの識別情報は、例えば過去の移動履歴や何らかの設定情報、あるいは、情報サーバに対する問い合わせなどによって取得することが可能である。【０１３２】
また、ページングリクエストメッセージ送信部１２００３は、接続されているサービングＰｏＡ経由でターゲットＰｏＡに対して送信されるページングリクエストメッセージを生成して送信する機能を有している。【０１３３】
また、ページングレスポンスメッセージ受信部１２００４は、ページングリクエストメッセージに対する応答であり、ターゲットＰｏＡにおける接続処理の準備ができたことや、ページング予約相対時刻などの各種情報を含むページングレスポンスメッセージを受信して処理する機能を有している。【０１３４】
また、接続制御部１２００５は、ページングレスポンスメッセージに従って、このメッセージに含まれる情報要素に基づいてターゲットＰｏＡとの接続確立処理を行う機能を有している。【０１３５】
また、給電制御部１２００６は、各無線通信インタフェース１２００１のモード（アクティブモード、ドーマントモード、スリープモードなど）を管理し、非動作時における無駄な電力消費を抑える機能を有している。【０１３６】
また、図１３は、本発明を実現するためのＰｏＡ（サービングＰｏＡ又はターゲットＰｏＡ）の構成の一例を示す図である。なお、図１２には、上述のすべての実施の形態を実現できるようなＭＮの構成が模式的に図示されているが、適宜必要な機能のみを選択的に使用又は実装することで、上述の実施の形態のそれぞれの機能を実現する構成にすることが可能である。【０１３７】
図１３に図示されているＰｏＡは、無線通信インタフェース１３００１、ネットワークインタフェース１３００２、ページングリクエストメッセージ受信部１３００３、ページングレスポンスメッセージ送信部１３００４、競合確認部１３００５、再スケジュール要求部１３００６、タイミング設定部１３００７、ビーコン送信制御部１３００８を有している。【０１３８】
無線通信インタフェース１３００１は、ＭＮと無線通信を介して接続するためのインタフェースである。また、ネットワークインタフェース１３００２は、コアネットワークやインターネットなどに接続するためのインタフェースである。したがって、ＭＮは、ＰｏＡと接続することで、無線通信インタフェース１３００１、ネットワークインタフェース１３００２を通じて、インターネットなどに接続することが可能である。【０１３９】
また、ページングリクエストメッセージ受信部１３００３は、ＭＮ（あるいは、ＭＮからの要求を中継するその他の通信装置）から送信されるページングリクエストメッセージを受信して処理する機能を有している。【０１４０】
また、ページングレスポンスメッセージ送信部１３００４は、ページングリクエストメッセージに対する応答であり、ターゲットＰｏＡにおける接続処理の準備ができたことや、ページング予約相対時刻などの各種情報を含むページングレスポンスメッセージを生成して送信する機能を有している。【０１４１】
また、競合確認部１３００５は、複数のターゲットＰｏＡの候補のそれぞれが設定したページング予定相対時刻が同一のＭＮに対して同一のタイミングあるいは非常に近いタイミングでオーバラップしていないかどうかを確認する機能を有している。なお、競合確認部１３００５では、図８に図示されているページングテーブルレコードの管理も行われている。【０１４２】
また、再スケジュール要求部１３００６は、ページング予定相対時刻のオーバラップが確認された場合に、どちらか一方のターゲットＰｏＡに対して、ページング予定相対時刻の変更を要求する再スケジュールメッセージの送信を行う機能を有している。【０１４３】
また、タイミング設定部１３００７は、ページングリクエストメッセージによってＭＮの接続の確立を支援するように要求を受けた場合に、ＭＮの電力消費を抑えるための最適な起動時刻を示すページング予定相対時刻を設定する機能を有している。このページング予定相対時刻は、例えばページングリクエストメッセージに挿入されてＭＮに通知される。【０１４４】
また、ビーコン送信制御部１３００８は、ビーコンの送信間隔（送信周期）を調整する機能を有している。本発明では、基本的にＭＮがターゲットＰｏＡに接続する際には、ビーコン受信に係る待機時間を短くするためにビーコン送信間隔を通常よりも狭くする。また、例えばページング予定相対時刻に合わせてビーコン送信間隔を狭くすることで、ＭＮは、通知された時刻に迅速に（少ない待機時間で）ビーコンを受信することができるようになる。【０１４５】
さらに、下記の本発明の第７〜第１４の実施の形態において、本発明が、ＩＥＥＥ８０２．２１のフレームワーク（枠組み）に適用され、このフレームワーク内で実施可能であることについて説明する。【０１４６】
＜第７の実施の形態＞
以下、本発明の第７の実施の形態について説明する。図１４には、本発明の第７の実施の形態における動作の概要を示すシーケンスチャートが図示されている。【０１４７】
ＭＮ（１０１２）は、まず、接続の意志（接続を行うことを所望している旨）をターゲットＰｏＡ（１０１０）に通知する。このメッセージ（１４０３０）は、アクティブなインタフェースＩＦ−１（１０３０）を通じてサービングＰｏＡ（１００８）に伝送される。サービングＰｏＡ（１００８）は、ＭＮ（１０１２）による接続の意志を通知するメッセージ（１４０４０）をターゲットＰｏＡ（１０１０）に送信する。【０１４８】
ターゲットＰｏＡ（１０１０）は、このメッセージ（１４０４０）を受けて、ＭＮ（１０１２）が確立しようとしている接続に有用なパラメータ（ＭＮ（１０１２）の接続パラメータ）を含むメッセージを返信してもよい。ＭＮ（１０１２）の接続パラメータを含むメッセージ（１４０５０、１４０６０）は、サービングＰｏＡ（１００８）を経由して、ＭＮ（１０１２）に伝送される。【０１４９】
また、ターゲットＰｏＡ（１０１０）は、ＭＮ（１０１２）との間で行われようとしている接続（ＭＮ（１０１２）が所望している接続）に対する準備を開始してもよい（１４０７０）。この場合、ＭＮ（１０１２）は、サービングＰｏＡ（１００８）から接続パラメータを受信すると、ＩＦ−２（１０２８）を動作させて（１４０８０）、ターゲットＰｏＡ（１０１０）から直接送られてくる更なる接続パラメータ（１４０９０）を受信してもよい。【０１５０】
ＩＥＥＥ８０２．２１仕様のプリミティブ（構成要素）を変更する拡張を若干行うことで、本発明を実現することが可能である。例えば、ＭＮ（１０１２）が、ＭＩＨＦ（Media Independent Handover Function：メディア独立ハンドオーバ機能）のＩＳ（Information Service：情報サービス）コンポーネントを利用して、ターゲットＰｏＡ（１０１０）に関する情報を取得できるようにすることが可能である。【０１５１】
図１５には、本発明の第７の実施の形態におけるコールフロー動作の一例を示すシーケンスチャートが図示されている。ＭＮ（１０１２）は、MIH_Get_Information Request message（ＭＩＨゲットインフォメーションリクエストメッセージ）（１５０３０）をサービングＰｏＡ（１００８）に送信する。MIH_Get_Information Request messageは、ＩＳサーバ（１５０１０）に伝送される（１５０４０）。【０１５２】
ＩＳサーバ（１５０１０）は、必要な情報を既に持っているかもしれず、あるいは、関連するネットワークノードにその情報の問い合わせを行ってもよい。問い合わせを行う場合には、例えば、MIH_N2N_HO_Query_Resources message（ＭＩＨ＿Ｎ２Ｎハンドオーバクエリリソースメッセージ）を使用することが可能であり、ＩＳサーバ（１５０１０）から、ＰｏＡの候補となり得るポテンシャルＰｏＡ（１５０２０）（ターゲットＰｏＡ（１０１０）を含む）に対して、MIH_N2N_HO_Query_Resources Request messageが送信される（１５０５０）。おして、ＩＳサーバ（１５０１０）は、問い合わせ先のネットワークノードから応答（MIH_N2N_HO_Query_Resources Response message）を受信すると（１５０６０）、サービングＰｏＡ（１００８）を経由して、MIH_Get_Information Request message（１５０４０）への応答（MIH_Get_Information Response message）を行う（１５０７０、１５０８０）。【０１５３】
これらのメッセージにＭＮ（１０１２）によるターゲットＰｏＡ（１０１０）への接続パラメータの要求や、その応答（接続パラメータ）を挿入することによって、本発明を実現することが可能である。【０１５４】
＜第８の実施の形態＞
次に、本発明の第８の実施の形態について説明する。本発明の第８の実施の形態において、ＩＳサーバ（１５０１０）は、既存のページングシステムを利用して、ＭＮ（１０１２）に関する接続パラメータを検索することが可能である。【０１５５】
このようなシナリオでは、ＭＮ（１０１２）のＩＦ−２（１０３０）の代わりに、関連するページングコントローラにページングリクエストを送信するために、新たなＩＥＥＥ８０２．２１プリミティブが用いられる可能性がある。例えば、ＥＡＰ（PPP Extensible Authentication Protocol）をサポートするＡＡＡ（Authentication、Authorization、Accounting）などのセキュリティフレームワークが適切に設定されて、技術（アクセスシステム）間又はドメイン間での交換がサポートされる必要がある。【０１５６】
セキュリティフレームワークによって、プロキシネットワークアクセス経由による信頼関係の事前確立（pre-emptive establishment）が可能となり得る。例えば、ＷｉＭＡＸ（Worldwide Interoperability for Microwave Access）ネットワークとの間でセキュリティアソシエーションをあらかじめ確立しておくことで、ＷｉＦｉによる接続のみを使用いる場合であっても、セッションを移す際にシームレスなユーザエクスペリエンスを実現することが可能となる。【０１５７】
ページングリクエストは、ＭＮ（１０１２）による接続の意志（ＭＮ（１０１２）が接続を行おうとしている）とみなすことが可能である。ページングコントローラは、レスポンスメッセージによって、関連する接続パラメータを応答してもよい。このメッセージを実現することが可能なものとしては、ターゲットＰｏＡ（１０１０）ネットワーク上においてＭＮ（１０１２）のページングを開始するトリガとして用いられる、ＩＥＥＥ８０２．２１仕様のpaging UE_Location_Query message（ページングＵＥロケーションクエリメッセージ）が挙げられる。【０１５８】
また、図１６には、本発明の第８の実施の形態において、ＭＮ（１０１２）がＩＦ−２（１０２８）を通じて接続する特定のターゲットＰｏＡ（１０１０）を既に決定している場合のシナリオの一例を示すシーケンスチャートが図示されている。【０１５９】
ＭＮ（１０１２）による接続の意志は、MIH_MH_HO_Candidate_Query Request message（ＭＩＨ＿ＭＨハンドオーバ候補クエリリクエストメッセージ）（１６０１０）によって伝送される。なお、サービングＰｏＡ（１００８）とターゲットＰｏＡ（１０１０）との間においては、MIH_N2N_HO_Candidate_Query Request message（ＭＩＨ＿Ｎ２Ｎ＿ハンドオーバ候補クエリリクエストメッセージ）（１６０２０）を用いて中継されてもよい。【０１６０】
一方、ターゲットＰｏＡ（１０１０）から送信される接続パラメータは、例えば、ターゲットＰｏＡ（１０１０）からサービングＰｏＡ１００８に、MIH_N2N_HO_Candidate_Query Response message（ＭＩＨ＿Ｎ２Ｎハンドオーバ候補クエリレスポンスメッセージ）（１６０３０）によって運ばれ、サービングＰｏＡ（１００８）からＭＮ（１０１２）に、MIH_MH_HO_Candidate_Query Response message（ＭＩＨ＿ＭＨハンドオーバ候補クエリレスポンスメッセージ）（１６０４０）によって伝送されてもよい。【０１６１】
＜第９の実施の形態＞
次に、本発明の第９の実施の形態について説明する。本発明の第９の実施の形態において、ＭＮ（１０１２）の接続の意志や、ターゲットＰｏＡ（１０１０）からの接続パラメータなどの交換が、MIH_MH_HO_Commit（ＭＩＨ＿ＭＨハンドオーバコミット）プリミティブやMIH_N2N_HO_Commit（ＭＩＨ＿Ｎ２Ｎハンドオーバコミット）プリミティブを使用して伝送されてもよい。【０１６２】
図１７には、本発明の第９の実施の形態において、ＭＮ（１０１２）がターゲットＰｏＡ（１０１０）に接続を行おうとしていることを示す接続の意志が、サービングＰｏＡ（１００８）に送信されるMIH_MH_HO_Commit Request message（ＭＩＨ＿ＭＨハンドオーバコミットリクエストメッセージ）によって送信される場合のシーケンスチャートが図示されている。【０１６３】
図１７において、ＭＮ（１０１２）によるターゲットＰｏＡ（１０１０）への接続の意志（ＭＮ（１０１２）がターゲットＰｏＡ（１０１０）に接続を行う旨）が、サービングＰｏＡ（１００８）に送信されるMIH_MH_HO_Commit Request message（１７０１０）によって伝送される。また、この接続の意志は、サービングＰｏＡ（１００８）からターゲットＰｏＡ（１０１０）へは、MIH_N2N_HO_Commit Request message（ＭＩＨ＿Ｎ２Ｎハンドオーバコミットリクエストメッセージ）（１７０２０）によって伝送されてもよい。【０１６４】
ターゲットＰｏＡ（１０１０）は、上述の実施の形態と同様にＭＮ（１０１２）が迅速に接続できるようにするために有用な追加パラメータ（例えば、接続パラメータ）を含むMIH_N2N_HO_Commit Response message（ＭＩＨ＿Ｎ２Ｎハンドオーバコミットレスポンスメッセージ）（１７０３０）で応答を行う。また、追加パラメータは、サービングＰｏＡ（１００８）から送信されるMIH_MH_HO_Commit Response message（ＭＩＨ＿ＭＨハンドオーバコミットレスポンスメッセージ）（１７０４０）を使用してＭＮ（１０１２）に伝送可能である。【０１６５】
＜第１０の実施の形態＞
次に、本発明の第１０の実施の形態について説明する。複数のインタフェースを有するＭＮ（１０１２）の省電力を実現するため、オプションとして、ＩＥＥＥ８０２．２１フレームワークに基づく異種ページングシステムが実現可能となることが予見される。【０１６６】
図１８には、本発明の第１０の実施の形態において、ＭＮ（１０１２）のＩＦ−１（１０３０）がアイドルモードを終了して、ターゲットＰｏＡ（１０１０）に通知を行う場合の動作の一例を示すシーケンスチャートが図示されている。【０１６７】
ＭＮ（１０１２）は、Paging_IM_Exit Request message（ページングＩＭイグジットリクエストメッセージ）（１８０２０）を使用して、ＭＮ（１０１２）のＩＦ−１（１０３０）がアイドルモードを終了する旨をＩＦ−１（１０３０）からネットワークに通知する。サービングＰｏＡ（１００８）は、ターゲットＰｏＡ（１０１０）を管理しているページングコントローラ（１８０１０）にこのメッセージ（１８０３０）を転送する（１６０３０）。【０１６８】
ページングコントローラ（１８０１０）は、この時点でＭＮ（１０１２）による接続の意志（１８０４０）をターゲットＰｏＡ（１０１０）に通知することが可能である。また、ターゲットＰｏＡ（１０１０）は、ＭＮ（１０１２）に関する接続パラメータ（１６０５０）をページングコントローラ（１８０１０）に応答することが可能である。ページングコントローラ（１８０１０）は、ターゲットＰｏＡ（１０１０）から供給された接続パラメータを含むPaging_IM_Exit Response message（ページングＩＭイグジットレスポンスメッセージ）（１８０６０）を送信する。この接続パラメータを含むPaging_IM_Exit Response message（１８０７０）は、さらに、サービングＰｏＡ（１００８）からＭＮ（１０１２）に伝送される。【０１６９】
＜第１１の実施の形態＞
次に、本発明の第１１の実施の形態について説明する。図１９には、本発明の第１１の実施の形態において、ＭＮ（１０１２）がPaging_Indication Request（ページング指示リクエスト）プリミティブを使用して、接続の意志をターゲットＰｏＡ（１０１０）に通知する場合のシーケンスチャートが図示されている。【０１７０】
図１９において、ＭＮ（１０１２）は、Paging_Indication Request message（ページング指示リクエストメッセージ）（１９０１０）をネットワークに送信する。サービングＰｏＡ（１００８）は、ターゲットＰｏＡ（１０１０）を担当しているページングコントローラ（１８０１０）にこのPaging_Indication Request message（１９０２０）を転送する。【０１７１】
ページングコントローラ（１８０１０）は、この時点で、ＭＮ１０１２による接続の意志（１８０４０）をターゲットＰｏＡ（１０１０）に通知することが可能である。また、ターゲットＰｏＡ（１０１０）は、ＭＮ（１０１２）に関する接続パラメータ（１８０５０）をページングコントローラ（１８０１０）に応答することが可能である。ページングコントローラ（１８０１０）は、ターゲットＰｏＡ（１０１０）から供給された接続パラメータを含むPaging_Indication Response message（ページング指示レスポンスメッセージ）（１９０３０）を送信する。この接続パラメータを含むPaging_Indication Response message（１９０４０）は、さらに、サービングＰｏＡ（１００８）からＭＮ（１０１２）に伝送される。【０１７２】
＜第１２の実施の形態＞
次に、本発明の第１２の実施の形態について説明する。本発明の第１２の実施の形態では、ＭＮ（１０１２）が、ターゲットＰｏＡ（１０１０）におけるリソースのレベルの監視を望んでいるものとする。このようにＭＮ（１０１２）がターゲットＰｏＡ（１０１０）におけるリソースのレベルの監視を望む場合としては、例えば、十分なリソースが利用可能な状態となってからターゲットＰｏＡ（１０１０）に接続しようとする場合や、バッファがほぼいっぱいになった場合にのみページの最適化を行う場合などが挙げられる。図２０には、本発明の第１２の実施の形態における動作の概要を示すシーケンスチャートが図示されている。【０１７３】
図２０において、ターゲットＰｏＡ（１０１０）は、初期状態として、ＭＮ（１０１２）（あるいは、不特定のクライアント）に対するリソースを十分に確保することができない状態にあるとする。【０１７４】
ＭＮ（１０１２）は、例えば、十分なリソースが利用可能な状態のターゲットＰｏＡ１０１０に接続するため、ターゲットＰｏＡ１０１０において所望のリソースの監視するよう要求するResource Monitor Request message（リソース監視リクエストメッセージ）（２００２０）を送信する。サービングＰｏＡ１００８は、要求されたリソースレベルの監視を行うよう要求するこのResource Monitor Request message（２００３０）をターゲットＰｏＡ（１０１０）に伝送する。【０１７５】
このメッセージを受信したターゲットＰｏＡ（１０１０）は、リソース監視（リソースモニタリング）を行って（２００４０）、ＭＮ（１０１０）が必要とするリソースレベル（要求されたリソースレベル）を超えるリソースが確保できる状態となった場合に、所望のレベルのリソースが得られた旨の通知（Sufficiet Resource Notification）（２００５０）をＭＮ（１０１２）に送信する。この通知メッセージ（Sufficiet Resource Notification）（２００６０）は、サービングＰｏＡ（１００８）を中継してＭＮ（１０１２）に送信される。このようにＭＮ（１０１２）とターゲットＰｏＡ（１０１０）との間で交換されるメッセージを利用して、ＭＮ（１０１２）が接続パラメータを取得できるようにすることも可能である。【０１７６】
また、例えば、図２１に図示されている実施例を実現することで、本発明に係る機能をＩＥＥＥ８０２．２１のフレームワーク内で利用できるようにすることが可能となる。図２１においても、ターゲットＰｏＡ（１０１０）は、初期状態として、ＭＮ（１０１２）（あるいは、不特定のクライアント）に対するリソースを十分に確保することができない状態にあるとする。【０１７７】
ＭＮ（１０１２）は、まず、監視対象のリソースを指定するためのMIH_Event_Subscribe Request message（ＭＩＨイベント予約リクエストメッセージ）（２１０１０）を送信する。MIH_Event_Subscribe Request messageは、サービングＰｏＡ（１００８）からターゲットＰｏＡ（１０１０）に転送される（２１０２０）。【０１７８】
次に、ＭＮ（１０１２）は、監視対象のリソースに関する所望の閾レベルを設定するためのMIH_Link_Configure_Thresholds Request message（ＭＩＨリンク構成閾値リクエストメッセージ）（２１０３０）を送信する。このMIH_Link_Configure_Thresholds Request messageも同様に、サービングＰｏＡ（１００８）によってターゲットＰｏＡ（１０１０）に転送される（２１０４０）。【０１７９】
ターゲットＰｏＡ（１０１０）は、リソース監視（リソースモニタリング）を行って（２００４０）、ＭＮ（１０１０）が必要とするリソースレベル（要求されたリソースレベル）以上のリソースが確保できる状態となった場合に、所望のレベルのリソースが得られた旨の通知（MIH_Link_Parameters_Report Indication）（２１０５０）をＭＮ（１０１２）に送信する。この通知メッセージ（MIH_Link_Parameters_Report Indication）（２１０６０）は、サービングＰｏＡ（１００８）を中継してＭＮ（１０１２）に送信される。【０１８０】
＜第１３の実施の形態＞
次に、本発明の第１３の実施の形態について説明する。本発明の第１３の実施の形態において、ＭＮ（１０１２）は、例えばリソースレベルが必要な閾値を超えた場合にページング処理を開始するようにターゲットＰｏＡ（１０１０）に要求するためのMIH_Link_Actions primitive（ＭＩＨリンクアクションプリミティブ）を利用して、本発明に係る情報交換を実現することも可能である。【０１８１】
＜第１４の実施の形態＞
次に、本発明の第１４の実施の形態について説明する。本発明の第１４の実施の形態において、ターゲットＰｏＡ（１０１０）が積極的に処理を行うことで、ＩＥＥＥ８０２．２１に規定されている適切なプリミティブを利用して、ＭＮ（１０１２）に通知を行ってもよい。なお、ターゲットＰｏＡ（１０１０）が積極的に行う処理の一例としては、例えば、ビーコンの期間やビーコンの情報量などのビーコンのブロードキャストパラメータの調整処理、リソースやＱｏＳ保証の事前予約処理、セキュリティメカニズム動作や最適化処理などが挙げられる。【０１８２】
＜第１５の実施の形態＞
例えば図２２に図示されているように、ＭＡＣレイヤで制御され、アクセスシステムの同期のために送信されるビーコンのタイミング（ビーコンタイミング）に対し、物理レイヤにおいて装置の同期のために送信される同期信号のタイミング（同期タイミング）が、より細かなスケール（若しくはその逆に大きなスケール）で存在することが考えられる。【０１８３】
各レイヤにおける同期のタイミングのあり方はレイヤごとに様々であるが、ＰｏＡのそれぞれのレイヤにおいて必要な同期のタイミングの観点において、上述の各実施の形態において示したようにビーコンタイミングを通知するページング機能へ本発明を適用するだけではなく、当該第１５の実施の形態で説明するようにサービングＰｏＡにおけるターゲットＰｏＡの同期タイミングを通知することに本発明を適用することも可能である。以下、本発明の第１５の実施の形態において、サービングＰｏＡにおけるターゲットＰｏＡの同期タイミングを通知する場合の動作例について説明する。【０１８４】
なお、ビーコンタイミングと同期タイミングとの間には、例えば時間スケール上の差異や制御を行うレイヤの違いなどがあるものの、ネットワーク側から周期的に（必ずしも厳密な一定期間ごとではなく、システムが許容できる範囲内で誤差を持つ場合も含まれる）報知される情報、信号であるという点では同じであり、ビーコンタイミングに対してだけではなく、同期タイミングに対して本発明を適用することが可能である。【０１８５】
ＰｏＡとなり得る基地局間においては、接続可能な端末（ＭＮ）の数を調整することで、処理負荷や各ＰｏＡのサービスエリアの均衡、選択的な端末の管理（優先制御など）を行うことができる関係にある場合がある。このようなＰｏＡの関係性を持つ一例として、３ＧＰＰ（3rd Generation Partnership Project）におけるＬＴＥ／ＳＡＥ（Long Term Evolution/System Architecture Evolution）システムが挙げられる。【０１８６】
図２３には、本発明の第１５の実施の形態におけるＬＴＥ／ＳＡＥシステムの一例が図示されている。図２３に図示されているように、ＬＴＥ／ＳＡＥシステムでは、主に屋外に設置される、セル半径の大きなマクロセル無線通信基地局装置（ｅＮＢ：Evolved NodeB）に加えて、家庭やオフィス、更にはレストランなどの屋内施設に、フェムトセル（Femto Cell）と呼ばれる、数十メートル程度のセル半径の小セル無線通信基地局装置（Ｈ−ｅＮＢ：Home Evolved NodeB）の設置が検討されている。３ＧＰＰで検討されている小セル無線通信基地局装置は、限られたグループメンバにだけアクセスを許可することが検討されている。このようなセルは限定加入者グループ（ＣＳＧ：Closed Subscriber Group）セルと呼ばれる。【０１８７】
アクセスが許可された無線通信端末装置（ＵＥ：User Equipment）は、ＣＳＧセルを形成する無線通信基地局装置（以下、ＣＳＧ基地局と記載）に優先的に接続するようネットワークから制御される。すなわち、任意のＵＥがＣＳＧ基地局のエリアに入った場合、ｅＮＢからの電波を受信できたとしても、ＣＳＧ基地局に優先度に応じて（例えば認証レベルで）接続制御される。なお、３ＧＰＰにおけるＬＴＥ／ＳＡＥシステムに関しては、例えば、非特許文献２や非特許文献３に開示されている。【０１８８】
上述のＬＴＥ／ＳＡＥシステムのようなシステムにおいて、各基地局への端末の配分（どの端末をどの基地局に接続させるか）を制御する方法として、例えば、端末の収容可能数が上限に近づいてきた基地局は同期信号の送信を抑制する方法（同期信号の送信抑制方法）が存在する。同期信号の報知方法にも様々な種類があり、その目的にも差異があるが、比較的初期段階の基地局との同期信号の送信自体が抑制されると、端末は、新たに基地局に接続（接続可能な基地局を探索）する際に基地局と同期自体が取れないため、その基地局と接続ができなかったり、その基地局自体を発見できなかったりする。【０１８９】
上述のように、特定の基地局における同期信号の送信を抑制することによって、新規に接続しようとする端末が（例えば、認証レベルよりも早い段階で）この特定の基地局に対して接続できないように制御することが可能である。なお、基地局からの同期信号の送信が抑制された場合であっても、既にこの基地局との同期が確立している端末については、そのタイミングを維持する（また、基地局との同期確立後に参照可能となる詳細な同期信号を受信する）ことによって接続を維持することが可能である。ただし、例えばアクティブな通信を終了したり、送信や受信を終了したりしたような場合など、端末がいったん基地局との同期状態を解消した場合の後には、その端末は、未接続な端末と同様に基地局との間で同期状態を確立することができなくなる。このように、基地局からの同期信号の送信を抑制した場合には、通信を終了した端末が順次基地局を離れていくことによって、基地局の端末収容数（すなわち混雑）が低減していくことになる。【０１９０】
しかしながら、このような同期信号の送信抑制方法を用いると、例えば、上述のＣＳＧ基地局において、グループメンバの制御を行っている状態で、その制御端末（例えばＣＳＧ基地局の所有者の端末）がそのＣＳＧ基地局との通信を終了してしまうと、それ以降、制御端末はＣＳＧ基地局に直接接続できなくなってしまうことが考えられる。すなわち、たとえ制御端末であっても、他の端末と同様に、ＣＳＧ基地局からの同期信号を受信できないため、ＣＳＧ基地局との間で再び同期状態を確立することができなくなってしまう。【０１９１】
したがって、制御端末が、自身が管理するネットワークの制御を行うために、例えば、マクロセル無線通信基地局装置（ｅＮＢ）経由で通信を行う必要が生じてしまうことになる。また、制御端末は、同期信号の送信抑制をｅＮＢ経由で解除することが可能かもしれないが、この場合、同期信号の送信抑制の解除と同時に他の端末（このＣＳＧ基地局に接続できないよう制御されていた端末）も同期信号が検出可能となってＣＳＧ基地局に接続できてしまう可能性があり、端末の管理上望ましくない状態となってしまう。【０１９２】
このようにＣＳＧ基地局で同期信号の送信抑制を行っている場合であっても、本発明を用いることで、特定の端末（例えば、制御端末）に対してターゲットＰｏＡ（ＣＳＧ基地局）の同期タイミングをサービングＰｏＡ（ｅＮＢ）から通知し、特定の端末がターゲットＰｏＡに接続できるようにすることが可能である。【０１９３】
例えば、本発明を用いる場合の最も端的な方法としては、ターゲットＰｏＡとの初期の同期確立後に確認可能な詳細な同期のための同期信号の送信タイミングをサービングＰｏＡから（すなわち、サービングＰｏＡ経由で）通知する方法が挙げられる。この方法では、サービングＰｏＡにしか接続できない状態にある制御端末は、まずサービングＰｏＡ経由でターゲットＰｏＡに接続するために必要な同期に関する情報を依頼する。同期に関する情報は、例えばターゲットＰｏＡの詳細な同期信号を受信するために必要な情報を含むタイミングのトリガである。【０１９４】
ネットワーク側では必要な確認を完了した後、サービングＰｏＡ経由でターゲットＰｏＡ（若しくはサービングＰｏＡそのもの）が制御端末に対して同期に関する情報を送信する。これにより、ターゲットＰｏＡからの同期信号の送信は抑制された状態のまま、制御端末は、サービングＰｏＡ経由で受信した同期に関する情報に基づいて、ターゲットＰｏＡから送信される詳細な同期信号を受信し、ターゲットＰｏＡとの接続状態を確立することが可能となる。【０１９５】
また、初期段階の同期確立を行わない状態で詳細な同期信号を受信することが困難な場合は、別の使用方法として、制御端末がまずサービングＰｏＡ経由でターゲットＰｏＡからの同期信号の送信を一定期間（一定回数）のみ送信するよう依頼するとともに、この同期信号を受信するために必要な情報を含むタイミングのトリガを依頼することも可能である。【０１９６】
ネットワーク側では必要な確認を完了した後、サービングＰｏＡ経由でターゲットＰｏＡ（若しくはサービングＰｏＡそのもの）が制御端末に対して、ターゲットＰｏＡから同期信号が送信されるタイミングでトリガを送信する。これにより、制御端末はトリガの受信に合わせてターゲットＰｏＡからの同期信号を受信し、ターゲットＰｏＡとの接続状態を確立することが可能となる。なお、このとき、ターゲットＰｏＡは、制御端末が接続可能となるように同期信号を限定的に送信するのみであるので、この限定的な同期信号の送信タイミングを知らない他の端末が同期信号を発見する可能性を低く抑えることが可能となり、制御端末のみ接続させるようにすることで同期信号の送信抑制の効果を最大限維持することが可能となる。【０１９７】
なお、実際のシステムにおいては、基地局との間で同期状態を確立しようとする端末は、ただ１回の同期信号の受信を基に同期を確立することは少なく、複数回の同期信号の受信を行って十分な受信状態（同期状態）となった場合に同期を確立することが考えられる。【０１９８】
十分な同期状態となったか否かの判定基準は、例えば、受信電力、同期信号の連続受信回数、同期に関するパラメータの閾値との比較など、様々な基準を採用することが可能である。以下では、その判定モデルとして、例えば、同期信号の送信周期として適切なタイミングにおいて４回中３回の正しい受信ができた場合に同期確立ができたとみなせるモデルを用いた場合について説明する。この判定モデルによれば、より効果的に、他の端末によるターゲットＰｏＡへの接続を抑制しながら、制御端末のみをターゲットＰｏＡに接続させることが可能となる。【０１９９】
このように、ターゲットＰｏＡは同期信号の送信依頼を適切な制御端末から受けると、通常の端末（最終的には接続許可を得られないような非優先の端末など）が同期確立しようとしてもその判定基準に満たないような頻度で同期信号の送信を開始し、ターゲットＰｏＡから同期信号を送信しているタイミングに関して、適切な制御端末（優先的に接続することが許可されている端末）に対してサービングＰｏＡ経由で通知する。【０２００】
なお、この通知は、例えば、ターゲットＰｏＡから同期信号が送信されるタイミングでサービングＰｏＡからそのタイミングに合わせたトリガを送信することで行われてもよく、あるいは、絶対的な時刻や相対的な時刻（サービングＰｏＡの所定信号からの経過時間）などの情報（送信パターン情報）を含むトリガを制御端末に渡すことで行われてもよい。また、ターゲットＰｏＡは制御端末からの送信依頼に応じて、同期信号の送信を開始してもよく、あるいは、通常の端末にとっては同期信号として利用できない送信パターン（すなわち、同期確立の判定基準に満たない頻度）で同期信号を送信しているのであれば、制御端末からの送信依頼とは無関係に同期信号の送信を行っていてもよい。【０２０１】
また、図２４は、本発明の第１５の実施の形態における判定モデルの一例を模式的に示す図である。なお、図２４は、制御端末がターゲットＰｏＡ及びサービングＰｏＡから信号を受信するタイミングを示すものである。例えば図２４に図示されているように、制御端末は、ターゲットＰｏＡから同期信号が送信されるタイミングを示すトリガをサービングＰｏＡから受信し、このトリガ受信のタイミングでターゲットＰｏＡからの同期信号を検出、受信することが可能となる。そして、例えばトリガに基づいてターゲットＰｏＡからの同期信号を３回連続して受信できた段階で、制御端末はターゲットＰｏＡとの間で同期確立を完了することが可能となる。なお、図２４の判定モデルでは、通常の端末（ターゲットＰｏＡへの接続が許可されていない端末）は、ターゲットＰｏＡから送信される同期信号の送信パターンを把握していないので、同期信号が一定間隔で送信される送信パターンを想定しており、同期信号を３回連続で受信することが不可能である。したがって、通常の端末はターゲットＰｏＡとの間で同期確立を行うことができず、ターゲットＰｏＡから送信される同期信号の送信パターンを把握している制御端末のみが、ターゲットＰｏＡとの間で同期確立を行うことが可能となる。【０２０２】
このように、通常の端末が同期信号として利用できない同期タイミングでターゲットＰｏＡから送信される同期信号に関して、この制御端末のみがターゲットＰｏＡからの同期信号を高い頻度で受信することに成功し、速やかにターゲットＰｏＡとの間で同期確立を完了することが可能となる。【０２０３】
なお、上述の説明では、同期信号の送信を抑制しているＣＳＧ基地局に特別に接続させたい端末として、例えばＣＳＧ基地局の所有者の端末などのような制御端末を一例に説明を行ったが、本発明では、任意の無線通信端末を選択的に接続させることが可能である。【０２０４】
また、上述の判定モデルでは、所定の同期信号の送信回数（一例として４回）に対して、制御端末が閾値以上の回数（一例として３回）だけ同期信号の受信に成功した場合に同期確立が完了したとみなしているが、その判定基準は、同期信号の受信回数だけではなく、平均受信電力の大きさが閾値を超えた場合を同期確立の完了とみなすなど、任意のパラメータが一定の基準を満たした場合を同期確立が完了したとみなすことが可能である。【０２０５】
また、ＬＴＥ／ＳＡＥシステムにおけるＣＳＧ基地局の例では、比較的初期段階の基地局との同期信号として、例えば、Ｐ−ＳＳ（Primary Synchronization Signal）、Ｓ−ＳＳ（Secondary Synchronization Signal）のいずれかまたはその両方が考えられる。また、Ｐ−ＳＳを比較的初期段階の基地局との同期信号、Ｓ−ＳＳを詳細な同期信号として適用することも可能である。【０２０６】
なお、上述の各実施の形態では、ＭＮが２つのインタフェース（ＩＦ−１及びＩＦ−２）を有しているが、３つ以上のインタフェースを有する場合も同様に本発明は適用される。また、本発明は、基本的には、複数のインタフェースのうちの１つが接続状態にあり（サービングＰｏＡと接続）、さらに、別のインタフェースの接続を行おうとする際（ターゲットＰｏＡへの接続）に、サービングＰｏＡ経由で情報のやり取りを行っておくことで、ターゲットＰｏＡとの接続を効率良く行うものである。すなわち、ＭＮは、空間的あるいは周波数的に異なる一方のパスを経由して他方のパスの接続効率を向上させるように構成されている。【０２０７】
一方、ＭＮにとって複数のパスは、空間的あるいは周波数的にだけではなく、時間的にも存在している。すなわち、ＭＮは、ある時間に接続していたパスを経由して情報のやり取りを行うことで、別の時間（この後の接続）における接続効率を向上させることも可能である。本発明は、このように空間的あるいは周波数的に複数のパスが存在する場合だけでなく、時間的に複数のパスが存在する場合に対しても同様に適用可能である。なお、時間的に複数のパスが存在する場合は、ＭＮが必ずしも複数のインタフェースを持つ必要がないことは明らかである。すなわち、時間的に複数のパスが存在する場合に適用された場合には、ＭＮは、１つのインタフェースのみを有するＭＮに対しても本発明は適用可能である。さらに、ＭＮのネットワークインタフェースが複数であることを前提に説明を行っているが、本発明を実施するうえでの論理的なインタフェースが複数あればよい。例えば、１つの無線部を複数の接続方式で共用し、ネットワークインタフェースの観点からはその変化が問題にならない程度の速度で切り替えたり、レイヤ２で論理的なリンクを維持したりすることにより、ネットワーク部からは複数のインタフェースを介してネットワークに接続している場合と同等に動作できるよう構成されていてもよい。【０２０８】
また、上述の本発明の各実施の形態の説明で用いた各機能ブロックは、典型的には集積回路であるＬＳＩ（Large Scale Integration）として実現される。これらは個別に１チップ化されてもよいし、一部又はすべてを含むように１チップ化されてもよい。なお、ここでは、ＬＳＩとしたが、集積度の違いにより、ＩＣ（Integrated Circuit）、システムＬＳＩ、スーパーＬＳＩ、ウルトラＬＳＩと呼称されることもある。【０２０９】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。【０２１０】
さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適応などが可能性としてあり得る。
【産業上の利用可能性】
【０２１１】
本発明は、移動通信端末が通信を開始する際の遅延を低減させるという効果や、移動通信端末の電力リソースの消費を抑えるという効果を有しており、無線メディアを介して接続を行うための通信技術に適用可能であり、特に、移動通信端末が複数のネットワークインタフェースを使用して通信を行うための通信技術に適用可能である。
【図１】
2008139707.tif 000003
【図２】
2008139707.tif 000004
【図３】
2008139707.tif 000005
【図４】
2008139707.tif 000006
【図５】
2008139707.tif 000007
【図６】
2008139707.tif 000008
【図７】
2008139707.tif 000009
【図８】
2008139707.tif 000010
【図９】
2008139707.tif 000011
【図１０】
2008139707.tif 000012
【図１１】
2008139707.tif 000013
【図１２】
2008139707.tif 000014
【図１３】
2008139707.tif 000015
【図１４】
2008139707.tif 000016
【図１５】
2008139707.tif 000017
【図１６】
2008139707.tif 000018
【図１７】
2008139707.tif 000019
【図１８】
2008139707.tif 000020
【図１９】
2008139707.tif 000021
【図２０】
2008139707.tif 000022
【図２１】
2008139707.tif 000023
【図２２】
2008139707.tif 000024
【図２３】
2008139707.tif 000025
【図２４】
2008139707.tif 000026
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
ネットワークに無線通信を介して接続するためのインタフェースと、
この後に接続を試みようとする第２接続ポイントの前記ネットワーク上の識別情報を取得する識別情報取得手段と、
前記ネットワーク上の第１接続ポイントに接続中の前記インタフェースから、前記第２接続ポイントへの接続の準備を要求する要求メッセージを前記第１接続ポイントを経由して前記第２接続ポイントに送信する要求メッセージ送信手段とを、
有する移動通信端末。
【請求項２】
前記第２接続ポイントの前記識別情報を静的に保持する識別情報格納手段を有し、
前記第２接続ポイントの前記識別情報を取得する識別情報取得手段が、前記識別情報格納手段に格納されている前記識別情報を参照することによって、前記第２接続ポイントの前記識別情報を取得するように構成されている請求項１に記載の移動通信端末。
【請求項３】
前記ネットワーク上の所定の情報サーバに問い合わせを行う問い合わせ手段と有し、
前記第２接続ポイントの前記識別情報を取得する識別情報取得手段が、前記問い合わせ手段に前記所定のサーバから前記第２接続ポイントの前記識別情報を取得させるように構成されている請求項１に記載の移動通信端末。
【請求項４】
前記要求メッセージに対する応答メッセージであって、前記準備が行われたことを示す前記応答メッセージを受信する応答メッセージ受信手段と、
前記応答メッセージ受信手段における前記応答メッセージの受信を確認した後、所定の方法で前記第２接続ポイントへのインタフェースの接続を試みる接続制御手段とを、
有する請求項１に記載の移動通信端末。
【請求項５】
前記応答メッセージに特定のタイミング情報が含まれており、前記特定のタイミング情報に応じて、前記第２接続ポイントに接続するインタフェースに係る電力供給の制御を行う給電制御手段を有する請求項４に記載の移動通信端末。
【請求項６】
前記ネットワークに無線通信を介して接続するための前記インタフェースを複数有しており、前記第１接続ポイントに接続されている前記インタフェースとは異なるインタフェースで前記第２接続ポイントへの接続を試みるように構成されている請求項１に記載の移動通信端末。
【請求項７】
前記要求メッセージが、前記移動通信端末の接続の意志を通知するためのメッセージである請求項１に記載の移動通信端末。
【請求項８】
前記移動通信端末の接続の意志を通知するためのメッセージが、ＩＥＥＥ８０２．２１の仕様に基づいて実現される請求項７に記載の移動通信端末。
【請求項９】
前記要求メッセージが、前記移動通信端末が使用可能なリソースの監視を行うよう要求するためのメッセージである請求項１に記載の移動通信端末。
【請求項１０】
前記移動通信端末が使用可能なリソースの監視を行うよう要求するためのメッセージが、ＩＥＥＥ８０２．２１の仕様に基づいて実現される請求項７に記載の移動通信端末。
【請求項１１】
前記要求メッセージが前記第２接続ポイントとの同期を確立するために必要な情報を要求するものであり、前記第２接続ポイントとの同期を確立するために必要な情報を含む、前記要求メッセージに対する応答メッセージを受信する応答メッセージ受信手段と、
前記第２接続ポイントとの同期を確立するために必要な情報に基づいて、前記第２接続ポイントとの同期確立を試みる同期確立手段とを、
有する請求項１に記載の移動通信端末。
【請求項１２】
前記第２接続ポイントとの同期を確立するために必要な情報が、前記第２接続ポイントからの同期信号の送信タイミングを示す情報であり、前記第２接続ポイントからの同期信号の送信タイミングに一致するタイミングで前記第２接続ポイントから前記同期信号が送信される請求項１１に記載の移動通信端末。
【請求項１３】
ネットワーク上に位置する通信装置であって、
移動通信端末が前記ネットワークに接続できるように前記移動通信端末のインタフェースと無線通信を介して接続している第１接続ポイント経由で、前記移動通信端末がこの後に接続を試みようとする第２接続ポイントへの接続の準備を要求する要求メッセージを受信する要求メッセージ受信手段と、
前記要求メッセージ受信手段で前記要求メッセージを受信した場合に、前記第２接続ポイントに対して前記移動通信端末による接続の準備を行うように指示するとともに、前記要求メッセージに対する応答メッセージであって、前記準備が行われたことを示す前記応答メッセージを前記第１接続ポイント経由で前記移動通信端末に送信する応答メッセージ送信手段とを、
有する通信装置。
【請求項１４】
前記第２接続ポイントに対して、前記移動通信端末が前記第２接続ポイントへの接続を試みる際のビーコンの送信間隔を狭くするように指示するように構成されている請求項１３に記載の通信装置。
【請求項１５】
前記移動通信端末がこの後に接続を試みようとする第２接続ポイントの候補が複数存在し、前記複数の第２接続ポイントの候補のそれぞれから前記移動通信端末への応答メッセージに、前記移動通信端末が前記第２接続ポイントへの接続に必要な情報を取得することができる特定のタイミング情報が含まれており、前記複数の第２接続ポイントの候補のそれぞれによって設定された前記特定のタイミング情報が同時期にオーバラップしていないか確認する競合確認手段と、
前記競合確認手段において、前記複数の第２接続ポイントの候補によって設定された前記特定のタイミング情報同士が同時期にオーバラップしている場合には、一方の前記複数の第２接続ポイントの候補に対して、前記特定のタイミング情報の再設定を要求する再設定要求手段とを、
有する請求項１３に記載の通信装置。
【請求項１６】
前記応答メッセージが、前記移動通信端末に関する接続パラメータを含むメッセージである請求項１３に記載の通信装置。
【請求項１７】
前記移動通信端末に関する接続パラメータを含むメッセージが、ＩＥＥＥ８０２．２１の仕様に基づいて実現される請求項１６に記載の通信装置。
【請求項１８】
前記応答メッセージが、前記移動通信端末が必要とするリソースが使用可能となった旨を通知するためのメッセージである請求項１３に記載の通信装置。
【請求項１９】
前記移動通信端末が必要とするリソースが使用可能となった旨を通知するためのメッセージが、ＩＥＥＥ８０２．２１の仕様に基づいて実現される請求項１８に記載の通信装置。
【請求項２０】
前記要求メッセージが前記第２接続ポイントとの同期を確立するために必要な情報を要求するものであり、前記応答メッセージが前記第２接続ポイントとの同期を確立するために必要な情報を含むように構成されている請求項１３に記載の通信装置。
【請求項２１】
前記第２接続ポイントとの同期を確立するために必要な情報が、前記第２接続ポイントからの同期信号の送信タイミングを示す情報であり、前記第２接続ポイントからの同期信号の送信タイミングに一致するタイミングで前記第２接続ポイントから前記同期信号が送信される請求項２０に記載の通信装置。
【請求項２２】
ネットワークに接続されているとともに、移動通信端末が前記ネットワークに接続できるように移動通信端末のインタフェースと無線通信を介して接続することが可能な接続ポイントとして機能する通信装置であって、
前記移動通信端末が前記ネットワークに接続できるように前記移動通信端末のインタフェースと無線通信を介して接続している別の接続ポイント経由で、前記移動通信端末がこの後に自身に接続を試みようとしており、前記接続の準備の要求を受ける要求受信手段と、
前記要求受信手段によって受信した前記要求に係る前記移動通信端末に対して、前記接続に必要な情報を前記移動通信端末に提供する特定のタイミング情報を設定するタイミング設定手段と、
前記要求受信手段で受信した前記要求に対する応答メッセージに前記特定のタイミング情報を挿入して、前記移動通信端末に返送する応答手段とを、
有する通信装置。
【請求項２３】
前記特定のタイミング情報で示される特定のタイミングにおいて、前記移動通信端末に提供する前記接続に必要な情報を含むビーコンの送信間隔を狭くするビーコン送信制御手段を有する請求項２２に記載の通信装置。
【請求項２４】
前記移動通信端末に返送した前記特定のタイミング情報に対して、所定の通信装置から変更するように指示を受けた場合には、前記特定のタイミングとは異なるタイミングを示す別のタイミング情報を生成し、前記別のタイミング情報を前記移動通信端末に返送するように構成されている請求項２２に記載の通信装置。
【請求項２５】
ネットワークに接続されているとともに、移動通信端末が前記ネットワークに接続できるように移動通信端末のインタフェースと無線通信を介して接続することが可能な接続ポイントとして機能する通信装置であって、
前記移動通信端末が前記ネットワークに接続できるように前記移動通信端末のインタフェースと無線通信を介して接続している別の接続ポイント経由で、前記移動通信端末がこの後に通信装置自身に接続を試みようとしており、前記接続の準備の要求を受ける要求受信手段と、
前記要求受信手段で受信した前記要求に対する応答メッセージに、前記移動通信端末が通信装置自身との同期を確立するために必要な情報を挿入して、前記移動通信端末に返送する応答手段と、
前記同期を確立するために必要な情報に基づいて、同期信号の送信を行う同期信号送信手段とを、
有する通信装置。
【請求項２６】
前記同期を確立するために必要な情報が、前記通信装置自身からの同期信号の送信タイミングを示す情報であり、前記同期信号送信手段は、前記同期信号の送信タイミングに一致するタイミングで前記同期信号を送信するように構成されている請求項２５に記載の通信装置。
【手続補正２】
【補正対象書類名】明細書
【補正対象項目名】全文
【補正方法】変更
【補正の内容】
【発明の詳細な説明】
【技術分野】
【０００１】
本発明は、移動通信端末及び通信装置に関し、特に無線メディアを介して接続を行う移動通信端末及び通信装置に関する。
【背景技術】
【０００２】
パケット交換型データ通信ネットワークでは、モバイルノード（ＭＮ：Mobile Node）は、複数の通信インタフェースを有し、これらの通信インタフェースを用いて同一のコレスポンデントノード（ＣＮ：Correspondent Node）に接続することが可能である。
【０００３】
この場合、ＭＮは、例えば電力の節約や通信費が安価なネットワークインタフェースの使用などを目的として、通信インタフェースから別の通信インタフェースへ通信に使用する通信インタフェースを切り換えることが可能である。
【０００４】
ネットワークアクセスポイントへの接続のため、ＭＮは、ドーマント(dormant)状態のインタフェースを起動して、利用可能なネットワークのスキャンを行う必要がある。そして、ＭＮは、同期信号を待機し、さらには、チャンネル／タイムスロットのリソースを要求するためにチャンネルアクセスタイムスロットを待機する必要がある。
【０００５】
この場合、ＭＮは、まずインタフェースを起動してアクセスポイントにクロックを同期させて、続いて、ネットワークに参加する新たなＭＮに割り当てられている送信時間の競合に関する情報を得るためにアクセスポイントのビーコンを常時監視し、最終的に競合に基づいた送信スロットにおいて、アクセスポイントへの登録を行う。
【０００６】
また、近年、下記の非特許文献１に記載されているように、無線メディアを統合し、異種ネットワーク（例えば３ＧＰＰとＷＬＡＮ（Wireless Local Area Network：無線ＬＡＮ））間におけるハンドオーバを可能にする技術の開発が進んでいる。このハンドオーバでは、基本的にＭＮが複数の異種ネットワークインタフェースを有し、様々な状況に応じて効率良い通信を行うために使用するインタフェースを変えることが可能である。
【非特許文献１】IEEE P802.21 Specification Draft 02.00, September 2006.
【非特許文献２】3GPP TS 36.300v8.3.0 “3rd Generation Partnership Project;Technical Specification Group Radio Access Network, Evolved Universal Terrestrial Radio Access (E-UTRA) and Evolved Universal Terrestrial Radio Access Network (E-UTRAN), Overall description, Stage 2", 2007-12
【非特許文献３】3GPP TSG-RAN WG3#56 Tdoc R3-070780 “Network transport QoS for Home NodeBs (HNB)”, 2007-05
【発明の開示】
【発明が解決しようとする課題】
【０００７】
上記の問題点に鑑み、ＭＮのインタフェースがネットワークアクセスポイントに接続を行う場合、まずビーコンなどのブロードキャストメッセージを受信して情報を取得する必要がある。通常、ビーコンは所定の周期で送信されており、ＭＮはビーコンを受信して必要な情報を取得するまでに、長いときには、１周期近く（場合によっては数周期分）の期間だけ待機する必要がある。すなわち、ＭＮは、インタフェースを長期間ドーマント状態あるいはアクティブな状態に保つ必要があり、これによって多量の電力が消費されることになるという問題がある。
【０００８】
さらに、ＭＮが複数のインタフェースを有しており、この期間にＭＮが別のインタフェースを通じてデータを受信していた場合には、ドーマント状態のインタフェースがネットワークアクセスポイントに完全に接続されるまでは、そのインタフェースを起動状態のままにしておく必要がある。
【０００９】
すなわち、インタフェースの切り換えを行う場合には、切り換えられる両方のインタフェースを同時に起動しておく必要があり、ＭＮのバッテリ電力が著しく消費されることとなる。一方、バッテリ電力の消費を避けるために、ドーマント状態のインタフェースを通じて別のネットワークアクセスポイントに接続／登録を完全に行う前にアクティブなインタフェースのオフにしたならば、ＭＮへのサービスが途切れ、サービス品質（ＱｏＳ：Quality of Service）が中断される可能性がある。
【００１０】
上記の問題を解決するため、本発明は、移動通信端末が通信を開始する際の遅延を低減させるとともに、移動通信端末の電力リソースの消費を抑えることが可能な移動通信端末及び通信装置を提供することを目的とする。
【課題を解決するための手段】
【００１１】
また、本発明の移動通信端末は、上記の目的を達成するため、ネットワークに無線通信を介して接続するためのインタフェースと、
この後に接続を試みようとする第２接続ポイントの前記ネットワーク上の識別情報を取得する識別情報取得手段と、
前記ネットワーク上の第１接続ポイントに接続中の前記インタフェースから、前記第２接続ポイントへの接続の準備を要求する要求メッセージを前記第１接続ポイントを経由して前記第２接続ポイントに送信する要求メッセージ送信手段とを、
有する。
上記の構成により、移動通信端末が第２接続ポイントに接続する際に、効率的な接続の確立が実現され、遅延や無駄な電力の消費が起こらないようにすることが可能となる。
【００１２】
また、本発明の移動通信端末は、上記の構成に加えて、前記第２接続ポイントの前記識別情報を静的に保持する識別情報格納手段を有し、
前記第２接続ポイントの前記識別情報を取得する識別情報取得手段が、前記識別情報格納手段に格納されている前記識別情報を参照することによって、前記第２接続ポイントの前記識別情報を取得するように構成されている。
上記の構成により、移動通信端末は、自身が保持している情報を参照して、第２接続ポイントへの接続の準備を要求する要求メッセージを第２接続ポイントに送信することが可能となる。
【００１３】
また、本発明の移動通信端末は、上記の構成に加えて、前記ネットワーク上の所定の情報サーバに問い合わせを行う問い合わせ手段と有し、
前記第２接続ポイントの前記識別情報を取得する識別情報取得手段が、前記問い合わせ手段に前記所定のサーバから前記第２接続ポイントの前記識別情報を取得させるように構成されている。
上記の構成により、移動通信端末は、情報サーバに問い合わせを行うことにより、第２接続ポイントへの接続の準備を要求する要求メッセージを第２接続ポイントに送信することが可能となる。
【００１４】
また、本発明の移動通信端末は、上記の構成に加えて、前記要求メッセージに対する応答メッセージであって、前記準備が行われたことを示す前記応答メッセージを受信する応答メッセージ受信手段と、
前記応答メッセージ受信手段における前記応答メッセージの受信を確認した後、所定の方法で前記第２接続ポイントへのインタフェースの接続を試みる接続制御手段とを、
有する。
上記の構成により、第２接続ポイントへの効率的な接続の準備が完了した旨を確認することが可能となる。
【００１５】
また、本発明の移動通信端末は、上記の構成に加えて、前記応答メッセージに特定のタイミング情報が含まれており、前記特定のタイミング情報に応じて、前記第２接続ポイントに接続するインタフェースに係る電力供給の制御を行う給電制御手段を有する。
上記の構成により、特定のタイミングに合わせたインタフェースの起動を行うことによって、タイミング良く情報を取得することが可能となり、効率的な接続の確立処理が行われるようになる。
【００１６】
また、本発明の移動通信端末は、上記の構成に加えて、前記ネットワークに無線通信を介して接続するための前記インタフェースを複数有しており、前記第１接続ポイントに接続されている前記インタフェースとは異なるインタフェースで前記第２接続ポイントへの接続を試みるように構成されている。
上記の構成により、複数のインタフェースを有する移動通信端末において、効率的な接続の確立が実現される。
【００１７】
また、本発明の移動通信端末は、上記の構成に加えて、前記要求メッセージが、前記移動通信端末の接続の意志を通知するためのメッセージである。
この構成により、別の目的のために使用されるメッセージと組み合わせて、本発明に係る要求メッセージを実現することが可能である。
【００１８】
また、本発明の移動通信端末は、上記の構成に加えて、前記移動通信端末の接続の意志を通知するためのメッセージが、ＩＥＥＥ８０２．２１の仕様に基づいて実現される。
この構成により、既存のＩＥＥＥ８０２．２１の仕様に本発明を適用させることが可能となる。
【００１９】
また、本発明の移動通信端末は、上記の構成に加えて、前記要求メッセージが、前記移動通信端末が使用可能なリソースの監視を行うよう要求するためのメッセージである。
この構成により、別の目的のために使用されるメッセージと組み合わせて、本発明に係る要求メッセージを実現することが可能である。
【００２０】
また、本発明の移動通信端末は、上記の構成に加えて、前記移動通信端末が使用可能なリソースの監視を行うよう要求するためのメッセージが、ＩＥＥＥ８０２．２１の仕様に基づいて実現される。
この構成により、既存のＩＥＥＥ８０２．２１の仕様に本発明を適用させることが可能となる。
【００２１】
また、本発明の移動通信端末は、上記の構成に加えて、前記要求メッセージが前記第２接続ポイントとの同期を確立するために必要な情報を要求するものであり、前記第２接続ポイントとの同期を確立するために必要な情報を含む、前記要求メッセージに対する応答メッセージを受信する応答メッセージ受信手段と、
前記第２接続ポイントとの同期を確立するために必要な情報に基づいて、前記第２接続ポイントとの同期確立を試みる同期確立手段とを、
有する。
上記の構成により、移動通信端末は、例えば同期信号の送信抑制を行っている接続ポイントとの間で、同期確立を行うことが可能となる。
【００２２】
また、本発明の移動通信端末は、上記の構成に加えて、前記第２接続ポイントとの同期を確立するために必要な情報が、前記第２接続ポイントからの同期信号の送信タイミングを示す情報であり、前記第２接続ポイントからの同期信号の送信タイミングに一致するタイミングで前記第２接続ポイントから前記同期信号が送信される。
上記の構成により、移動通信端末は、同期信号の送信タイミングを示す情報に基づいて、同期信号を確実に受信することが可能となり、接続ポイントとの間で同期確立を行うことが可能となる。
【００２３】
また、本発明の通信装置は、上記の目的を達成するため、ネットワーク上に位置する通信装置であって、
移動通信端末が前記ネットワークに接続できるように前記移動通信端末のインタフェースと無線通信を介して接続している第１接続ポイント経由で、前記移動通信端末がこの後に接続を試みようとする第２接続ポイントへの接続の準備を要求する要求メッセージを受信する要求メッセージ受信手段と、
前記要求メッセージ受信手段で前記要求メッセージを受信した場合に、前記第２接続ポイントに対して前記移動通信端末による接続の準備を行うように指示するとともに、前記要求メッセージに対する応答メッセージであって、前記準備が行われたことを示す前記応答メッセージを前記第１接続ポイント経由で前記移動通信端末に送信する応答メッセージ送信手段とを、
有する。
上記の構成により、移動通信端末が第２接続ポイントに接続する際に、効率的な接続の確立が実現され、遅延や無駄な電力の消費が起こらないようにすることが可能となる。
【００２４】
また、本発明の通信装置は、上記の構成に加えて、前記第２接続ポイントに対して、前記移動通信端末が前記第２接続ポイントへの接続を試みる際のビーコンの送信間隔を狭くするように指示するように構成されている。
上記の構成により、移動通信端末は、第２接続ポイントとの接続を確立する際に、通常よりも短い待機時間でビーコンを受信することができるようになる。
【００２５】
また、本発明の通信装置は、上記の構成に加えて、前記移動通信端末がこの後に接続を試みようとする第２接続ポイントの候補が複数存在し、前記複数の第２接続ポイントの候補のそれぞれから前記移動通信端末への応答メッセージに、前記移動通信端末が前記第２接続ポイントへの接続に必要な情報を取得することができる特定のタイミング情報が含まれており、前記複数の第２接続ポイントの候補のそれぞれによって設定された前記特定のタイミング情報が同時期にオーバラップしていないか確認する競合確認手段と、
前記競合確認手段において、前記複数の第２接続ポイントの候補によって設定された前記特定のタイミング情報同士が同時期にオーバラップしている場合には、一方の前記複数の第２接続ポイントの候補に対して、前記特定のタイミング情報の再設定を要求する再設定要求手段とを、
有する。
上記の構成により、同一タイミングで複数の第２接続ポイントの候補から情報が送信された場合に発生し得る衝突によって、移動通信端末が情報を正確に受信することができなくなってしまうことを防ぐことが可能となる。
【００２６】
また、本発明の通信装置は、上記の構成に加えて、前記応答メッセージが、前記移動通信端末に関する接続パラメータを含むメッセージである。
この構成により、別の目的のために使用されるメッセージと組み合わせて、本発明に係る応答メッセージを実現することが可能である。
【００２７】
また、本発明の通信装置は、上記の構成に加えて、前記移動通信端末に関する接続パラメータを含むメッセージが、ＩＥＥＥ８０２．２１の仕様に基づいて実現される。
この構成により、既存のＩＥＥＥ８０２．２１の仕様に本発明を適用させることが可能となる。
【００２８】
また、本発明の通信装置は、上記の構成に加えて、前記応答メッセージが、前記移動通信端末が必要とするリソースが使用可能となった旨を通知するためのメッセージである。
この構成により、別の目的のために使用されるメッセージと組み合わせて、本発明に係る応答メッセージを実現することが可能である。
【００２９】
また、本発明の通信装置は、上記の構成に加えて、前記移動通信端末が必要とするリソースが使用可能となった旨を通知するためのメッセージが、ＩＥＥＥ８０２．２１の仕様に基づいて実現される。
この構成により、既存のＩＥＥＥ８０２．２１の仕様に本発明を適用させることが可能となる。
【００３０】
また、本発明の通信装置は、上記の構成に加えて、前記要求メッセージが前記第２接続ポイントとの同期を確立するために必要な情報を要求するものであり、前記応答メッセージが前記第２接続ポイントとの同期を確立するために必要な情報を含むように構成されている。
上記の構成により、要求メッセージの送信者である移動通信端末に対して、接続ポイントとの間で同期確立を行えるようにするための情報を通知することが可能となる。
【００３１】
また、本発明の通信装置は、上記の構成に加えて、前記第２接続ポイントとの同期を確立するために必要な情報が、前記第２接続ポイントからの同期信号の送信タイミングを示す情報であり、前記第２接続ポイントからの同期信号の送信タイミングに一致するタイミングで前記第２接続ポイントから前記同期信号が送信される。
上記の構成により、移動通信端末は、同期信号の送信タイミングを示す情報に基づいて、同期信号を確実に受信することが可能となり、接続ポイントとの間で同期確立を行うことが可能となる。
【００３２】
また、本発明の通信装置は、上記の目的を達成するため、ネットワークに接続されているとともに、移動通信端末が前記ネットワークに接続できるように移動通信端末のインタフェースと無線通信を介して接続することが可能な接続ポイントとして機能する通信装置であって、
前記移動通信端末が前記ネットワークに接続できるように前記移動通信端末のインタフェースと無線通信を介して接続している別の接続ポイント経由で、前記移動通信端末がこの後に自身に接続を試みようとしており、前記接続の準備の要求を受ける要求受信手段と、
前記要求受信手段によって受信した前記要求に係る前記移動通信端末に対して、前記接続に必要な情報を前記移動通信端末に提供する特定のタイミング情報を設定するタイミング設定手段と、
前記要求受信手段で受信した前記要求に対する応答メッセージに前記特定のタイミング情報を挿入して、前記移動通信端末に返送する応答手段とを、
有する。
上記の構成により、移動通信端末が第２接続ポイントに接続する際に、効率的な接続の確立が実現され、遅延や無駄な電力の消費が起こらないようにすることが可能となる。
【００３３】
また、本発明の通信装置は、上記の構成に加えて、前記特定のタイミング情報で示される特定のタイミングにおいて、前記移動通信端末に提供する前記接続に必要な情報を含むビーコンの送信間隔を狭くするビーコン送信制御手段を有する。
上記の構成により、移動通信端末は、第２接続ポイントとの接続を確立する際に、通常よりも短い待機時間でビーコンを受信することができるようになる。
【００３４】
また、本発明の通信装置は、上記の構成に加えて、前記移動通信端末に返送した前記特定のタイミング情報に対して、所定の通信装置から変更するように指示を受けた場合には、前記特定のタイミングとは異なるタイミングを示す別のタイミング情報を生成し、前記別のタイミング情報を前記移動通信端末に返送するように構成されている。
上記の構成により、同一タイミングで複数の第２接続ポイントの候補から情報が送信された場合に発生し得る衝突によって、移動通信端末が情報を正確に受信することができなくなってしまうことを防ぐことが可能となる。
【００３５】
また、本発明の通信装置は、上記の目的を達成するため、ネットワークに接続されているとともに、移動通信端末が前記ネットワークに接続できるように移動通信端末のインタフェースと無線通信を介して接続することが可能な接続ポイントとして機能する通信装置であって、
前記移動通信端末が前記ネットワークに接続できるように前記移動通信端末のインタフェースと無線通信を介して接続している別の接続ポイント経由で、前記移動通信端末がこの後に通信装置自身に接続を試みようとしており、前記接続の準備の要求を受ける要求受信手段と、
前記要求受信手段で受信した前記要求に対する応答メッセージに、前記移動通信端末が通信装置自身との同期を確立するために必要な情報を挿入して、前記移動通信端末に返送する応答手段と、
前記同期を確立するために必要な情報に基づいて、同期信号の送信を行う同期信号送信手段とを、
有する。
上記の構成により、通信装置は、例えば、同期を確立するために必要な情報を渡すことで移動通信端末の選択的な接続制御を行うことが可能となる。
【００３６】
また、本発明の通信装置は、上記の構成に加えて、前記同期を確立するために必要な情報が、前記通信装置自身からの同期信号の送信タイミングを示す情報であり、前記同期信号送信手段は、前記同期信号の送信タイミングに一致するタイミングで前記同期信号を送信するように構成されている。
上記の構成により、移動通信端末は、同期信号の送信タイミングを示す情報に基づいて、同期信号を確実に受信することが可能となり、接続ポイントとの間で同期確立を行うことが可能となる。
【発明の効果】
【００３７】
本発明は、上記の構成を有しており、移動通信端末が通信を開始する際の遅延を低減させるという効果や、移動通信端末の電力リソースの消費を抑えるという効果を有している。
【発明を実施するための最良の形態】
【００３８】
以下、図面を参照しながら、本発明の実施の形態について説明する。なお、以下の説明では、本発明を説明するために、特定の番号や時間、構造、プロトコル名、及びその他のパラメータなどが詳細に説明される場合があるが、本明細書で用いられている特定の条件は、本発明を説明するために用いられているにすぎず、本発明を限定するものではない。
【００３９】
＜第１の実施の形態＞
まず、本発明の第１の実施の形態について説明する。図１には、本発明の第１の実施の形態におけるネットワーク構成の一例が図示されている。なお、図１には、モバイルノード（ＭＮ：Mobile Node）（１０１２）、サービングＰｏＡ（Serving Point Of Attachment）（１００８）、ターゲットＰｏＡ（Ｔａｒｇｅｔ Point Of Attachment）（１０１０）、インターネット１０６０の接続関係が図示されている。
【００４０】
図１において、ＭＮ（１０１２）は、２つのインタフェース（ＩＦ−１（１０３０）及びＩＦ−２（１０２８））を有している。なお、一例としては、一方のインタフェースは３ＧＰＰネットワークに接続可能であり、他方のインタフェースはＷＬＡＮに接続可能な異種ネットワークインタフェースである。ＭＮ（１０１２）は、ＩＦ−１（１０３０）を通じて、サービングＰｏＡ（１００８）に接続されている。一方、別のネットワークタイプのインタフェースであるＩＦ−２（１０２８）は、現在、電源が切られた状態にあって、いかなる信号の送受信も行わない状態にある。
【００４１】
ＭＮ（１０１２）は、ある時刻において、ＩＦ−１（１０３０）から別のネットワークインタフェース（すなわち、ＩＦ−２（１０２８））に切り換えて、ターゲットＰｏＡ（１０１０）を通じてＩＦ−２（１０２８）からデータを受信しようとしたとする。
【００４２】
なお、サービングＰｏＡ（１００８）は、ＭＮ（１０１２）が通信を行うためにＭＮ（１０１２）のインタフェースが既に接続されている接続ポイントを表している。一方、ターゲットＰｏＡは、ＭＮ（１０１２）のあるインタフェースがこれから接続を行おうとしている接続ポイント（あるいは、まだ接続されていない接続ポイント）を表している。
【００４３】
通常、ディープスリープモード又は非接続モードにおいては、ＭＮ（１０１２）は少なくとも所定の期間は起動（ウェイクアップ）し、ＰｏＡ（Point of Attachment：接続ポイント）からブロードキャストメッセージ（例えば、特別なビーコン）を受信する。この特別なビーコンには、ＭＮ（１０１２）がＰｏＡとの接続を開始して適切な送信タイムスロット（あるいは受信タイムスロット）を定めるために必要な情報（例えば、ＰｏＡとの同期や正しい競合ウィンドウパラメータの取得など）が含まれている。
【００４４】
なお、通常、この所定の期間は、例えば通常のビーコン間隔の数回分程度までの非常に長い期間になってしまう可能性がある。したがって、ＭＮ（１０１２）は、このブロードキャストメッセージを１回聞き逃した場合（あるいは、受信した１回のブロードキャストメッセージだけでは必要なすべての情報が得られなかった場合など）には、別のブロードキャストメッセージを受信するまでの期間（すなわち、ビーコン間隔）、インタフェースを起動状態にし続ける必要がある。
【００４５】
なお、ＭＮ（１０１２）は、この期間は、電力を節約するためにディープスリープ状態になることはできない。例えば、ＷＬＡＮネットワークでは、ある情報要素（例えば、ＱｏＳパラメータなど）が、毎回のビーコンに含まれているとは限らない。したがって、ＭＮ（１０１２）は、インタフェースをディープスリープ状態にすることなく、ＡＰ（すなわち、ターゲットＰｏＡ（１０１０））にクエリ（問い合わせ）を行うか、あるいは、次に特別なビーコンがブロードキャストされるのを待つ必要がある。
【００４６】
この状態は、例えば、ＭＮ（１０１２）は、ある時間だけ待機した後でクエリを送信する機会を得なければならなかったり、ビーコン間隔だけ待機状態になったりする必要があり、長時間の遅延を引き起こす可能性があるとともに、ＭＮ（１０１２）の限られた電力を消費してしまう可能性がある。
【００４７】
処理を促進して遅延を少なくするため、ＭＮ（１０１２）は、まるで別のノードがＭＮ（１０１２）のＩＦ−２（１０２８）への接続を試みているかのように、既存の接続（例えばＩＦ−１（１０３０）及びサービングＰｏＡ（１００８）、インターネット（１０６０））を経由して、ページングリクエストメッセージをターゲットＰｏＡ（１０１０）に送信する。
【００４８】
上記のページングリクエストを通常のシステムにおけるページングと区別するため、このページングリクエストメッセージには、特別なメディア独立ページングオブジェクト（ＭＩＰＯ： Media Independent Paging Object）が含まれている。
【００４９】
例えば、ＭＩＰＯには、ページングが、ＭＮ（１０１２）自身によって開始された旨を示す情報（例えば、フラグやＭＮ（１０１２）の識別子、あるいは、ターゲットＰｏＡ（１０１０）との間における任意のセキュリティアソシエーション情報）が含まれている。また、ＭＮ(１０１２)は、ページングリクエストメッセージに、ＭＮ（１０１２）自身が所望する様々な要求を挿入することで、ＭＮ（１０１２）が所望する条件を要求することが可能である。
【００５０】
ページングリクエストメッセージを受信すると、ターゲットＰｏＡ（１０１０）はＩＦ−２（１０２８）上のＭＮ（１０１２）を起動させるための通常の処理（例えば、必要なコンテキストの検索、リソースの割り当て、送信スケジュールの調整など）を実行する。同時に、ターゲットＰｏＡ（１０１０）は、ページングリクエストメッセージ内のＭＩＰＯを調べて、ＭＩＰＯがそのローカルの検証を通った場合には特別な動作を実行する。
【００５１】
例えば、ＭＮ（１０１２）の識別子が有効であり、かつセキュリティアソシエーションが正統なものであることをターゲットＰｏＡ（１０１０）が検証した場合に、ターゲットＰｏＡ（１０１０）は、ＭＮ（１０１２）の接続確立のために必要な情報を、通常のスケジュール期間（通常予定されている期間）Ｔよりも早く（狭く）ブロードキャストする。なお、ＭＮ（１０１２）の接続確立のために必要な情報には、例えば、関連するＱｏＳパラメータセットやタイミング情報などが含まれる。
【００５２】
ターゲットＰｏＡ（１０１０）が行うことができる動作の一例として、ポーリングリストにＭＮ（１０１２）を設定し、次のスケジュール期間でＩＦ−２（１０２８）からのリクエストを待機せずに、ＭＮ（１０１２）に対して送信機会を割り当てることが挙げられる。
【００５３】
なお、ＭＮ（１０１２）がある特定の情報のみを必要としている場合には、ターゲットＰｏＡ（１０１０）（例えば、ＡＰ）は、この特別な情報をビーコンに埋め込み、ビーコン間隔ごとに送信するように調整する。この結果、ＭＮ（１０１２）はそのインタフェース（ＩＦ−２（１０３０））を起動した場合に、ターゲットＰｏＡ（１０１０）からのビーコン間隔が通常よりも狭くなっているため、必要な情報を通常よりも迅速に取得できるようになる。
【００５４】
また、ターゲットＰｏＡ（１０１０）は、別の接続（例えば、インターネット１０６０、サービングＰｏＡ（１００８）及びＩＦ−１（１０３０））を経由してＭＮ（１０１２）にページングレスポンスメッセージを送信することが可能である。これにより、ＭＮ（１０１２）に関連情報（例えば、ＡＰがブロードキャストメッセージを送信する期間Ｔ）が提供されるようになる。さらに、ターゲットＰｏＡ（１０１０）は、アクセス技術（１０２４）の実際のタイミングには依存しない情報を含ませてもよい。すなわち、例えば何らかの鍵情報、ウィンドウサイズ、接続の識別値、あるいはその他の様々な情報が、サービングＰｏＡ（１００８）及びＩＦ−１（１０３０）を経由してＭＮ（１０１２）に直接送信されてもよい。
【００５５】
なお、別の動作として、ページングリクエストメッセージに、ＭＩＰＯのトリガ情報要素（ＴＩＥ：Trigger Information Element）が含まれてもよい。ターゲットＰｏＡ（１０１０）は、このＴＩＥを受信すると、ページングレスポンスメッセージを即座に生成する代わりに、監視スケジュールを設定する。そして、ＴＩＥに関連する情報が閾値を超えたことが監視によって把握された場合に、ターゲットＰｏＡ（１０１０）は、起動（ウェイクアップ）イベントを作成し、この起動イベントを別のインタフェース（すなわち、ＩＦ−１（１０３０））及びサービングＰｏＡ（１００８）経由でＭＮ（１０１２）に送信されるページングレスポンスに挿入する。
【００５６】
なお、このような閾値を超える一例としては、ターゲットＰｏＡ（１０１０）に格納され待機されているパケット(キューイングされているパケット）が所定の制限を超えた場合が挙げられる。この閾値を超えるイベントの発生によって、ＭＮ（１０１２）は、ＩＦ−１（１０３０）で受信する起動イベントに基づきＩＦ−２（１０２８）において起動されるようになり、その結果、単に所定の期間に起動状態となっている場合に比べてより迅速に、キューイングされているパケットを受信することができるようになる。
【００５７】
＜第２の実施の形態＞
次に、本発明の第２の実施の形態について説明する。図２には、本発明の第２の実施の形態における動作の一例を示すシーケンスチャートが図示されている。図２に示すシーケンスチャートの初期状態として、図１に図示されているように、ＭＮ（１０１２）のＩＦ−１（１０３０）がサービングＰｏＡ（１００８）に接続されており、サービングＰｏＡ（１００８）経由でデータ（２００１：Ｄａｔａ）を受信しているものとする。
【００５８】
この状態において、ＭＮ（１０１２）は、要求に応じた（オンデマンドの）ページングシグナルを送信するようにターゲットＰｏＡ（１０１０）にリクエストするため、ページングリクエストメッセージ（２００２：Ｐａｇｉｎｇ＿Ｒｅｑ）をそのサービングＰｏＡ（１００８）に送信する。サービングＰｏＡ（１００８）は、ターゲットＰｏＡ（１０１０）にページングリクエストメッセージ（２００４：Ｐａｇｉｎｇ＿Ｒｅｑ）を転送する。
【００５９】
ページングリクエストメッセージは、下記のフィールドを有している。
【００６０】
・送信元及びあて先アドレスやメッセージ識別子などの情報を含む共通ヘッダ
・セッションＩＤ
・ページングリクエストＩＤ
・必要なリソース
・ターゲットＰｏＡのＩＤ（例えば、ＭＮの履歴として保持されているか、あらかじめ情報が設定されている）
・ドーマント状態のインタフェース（ここでは、ＩＦ−２（１０２８））のタイプ
・ターゲットＰｏＡの加入者情報
【００６１】
ターゲットＰｏＡ（１０１０）は、ページングリクエストメッセージのリソース要求フィールドに記載されているＭＮ（１０１２）が必要としているリソースをＭＮ（１０１２）に割り当てられるか否かをチェックする。そして、ターゲットＰｏＡ（１０１０）は、必要とされるリソースをＭＮ（１０１２）に割り当てることができる場合には、サービングＰｏＡ（１００８）にページングレスポンスメッセージ（２００７：Ｐａｇｉｎｇ＿Ｃｆｒｍ）を送信する。
【００６２】
ページングレスポンスメッセージは、下記のフィールドを有している。
【００６３】
・送信元及びあて先アドレスやメッセージ識別子などの情報を含む共通ヘッダ
・セッションＩＤ
・ページングリクエストＩＤ
・ページング予定相対時刻（Relative Scheduled Paging time）
・利用可能なリソース
・ターゲットＰｏＡのＩＤ
・チャンネル番号
・確認メッセージを受信する受信時刻（オプション）
【００６４】
ページング予定相対時刻は、ＭＮ（１０１２）がある期間だけアクティブ状態にするための相対的な時刻であり、ＭＮ（１０１２）が必要とする情報を取得することをターゲットＰｏＡ（１０１０）が保証できる時刻である。
【００６５】
なお、ＭＮ（１０１２）はこのときにはサービングＰｏＡ（１００８）と同期しているので、サービングＰｏＡ（１００８）の時計に合っているが、この予定された起動時刻（ウェイクアップ時刻）は、ターゲットＰｏＡ（１０１０）の時計に基づいている。
【００６６】
ページングレスポンスメッセージ（２００７：Ｐａｇｉｎｇ＿Ｒｅｓ）を受信したサービングＰｏＡ（１００８）は、ページングレスポンスメッセージ（２００８：Ｐａｇｉｎｇ＿Ｒｅｓ）をＭＮ（１０１２）に送信する。このとき、ＭＮ（１０１２）はページング確認メッセージ（２００９、２０１０：Ｐａｇｉｎｇ＿Ｃｆｒｍ）をターゲットＰｏＡ（１０１０）に送り返し、ＭＮ（１０１２）がターゲットＰｏＡ（１０１０）からデータを受信する準備ができているか否かを通知してもよい。
【００６７】
ページング確認メッセージは、下記のフィールドを有している。
【００６８】
・送信元及びあて先アドレスやメッセージ識別子などの情報を含む共通ヘッダ
・ページングリクエストＩＤ
・ターゲットＰｏＡのＩＤ
【００６９】
次に、ＭＮ（１０１２）は、ページングレスポンスメッセージ（２００８）に記載されているウェイクアップ時刻（ページング予定相対時刻フィールド）にＩＦ−２（１０２８）を起動させるようにスケジュール調整を行う。また、ターゲットＰｏＡ（１０１０）は、ページング予定相対時刻において、ＭＮ（１０１２）に対して短いオンデマンドのページングメッセージ（２０１４：Ｐａｇｉｎｇ）を送信する。
【００７０】
オンデマンドのページングメッセージは、下記のフィールドを有している。
【００７１】
・送信元及びあて先アドレスやメッセージ識別子などの情報を含む共通ヘッダ
・ページングリクエストＩＤ
・ターゲットＰｏＡのＩＤ
・データ送信予定時刻
・確認メッセージの送信予定時刻
・無線リソースが利用可能であるという確認を行う確認メッセージを送信するためにスケジュールされた時刻
【００７２】
ページングメッセージ（２０１４：Ｐａｇｉｎｇ）は、ターゲットＰｏＡ（１０１０）を経由してインタフェース（ＩＦ−２）に送信されるメディアアクセスコントロール（ＭＡＣ：Medium Access Control）レイヤの制御シグナルである。通常、ページングメッセージ（２０１４：Ｐａｇｉｎｇ）は、確立されるべき接続の呼び出し待機が存在していることをＭＮ（１０１２）に警告するために送信される。
【００７３】
さらに、ページングメッセージ（２０１４：Ｐａｇｉｎｇ）に、ＭＮ（１０１２）がデータ送受信を行う際にＭＮ（１０１２）に割り当てることが可能な無線リソース（例えば、チャンネル番号、タイムスロット、データレートなど）の情報を含ませてもよい。これら無線リソースに関する情報は、ページングレスポンスメッセージ（２００８：Ｐａｇｉｎｇ＿Ｒｅｓ）に含ませてもよい。さらに、ページングメッセージ（２０１４：Ｐａｇｉｎｇ）を受信する前は、ＭＮ（１０１２）のＩＦ−２（１０２８）は完全にオフの状態になっていてもよく、ページングメッセージ（２０１４）によって、ターゲットＰｏＡ（１０１０）からインタフェースＩＦ−２（１０２８）を経由してＭＮ（１０１２）に到達可能であることがテストされてもよい。
【００７４】
ページングメッセージ（２０１４：Ｐａｇｉｎｇ）がＭＮ（１０１２）でエラーがない状態で受信された場合には，ＭＮ（１０１２）は、確認メッセージ（２０１６：Ｃｏｎｆｉｒｍ）をターゲットＰｏＡ（１０１０）に送り返す。
【００７５】
確認メッセージは、下記のフィールドを有している。
【００７６】
・送信元及びあて先アドレスやメッセージ識別子などの情報を含む共通ヘッダ
・ページングリクエストＩＤ
・ターゲットＰｏＡのＩＤ
【００７７】
また、確認メッセージ（２０１６：Ｃｏｎｆｉｒｍ）をＭＮ（１０１２）から受信した後、ターゲットＰｏＡ（１０１０）は、ハンドオーバ完了メッセージ（２０２０：ＨＯ（Handover Complete））をサービングＰｏＡ（１００８）に送信する。
【００７８】
ＨＯメッセージは、下記のフィールドを有している。
【００７９】
・送信元及びあて先アドレスやメッセージ識別子（メッセージのタイプ、予約、リザーブ（ＲＥＳＥＲＶＥ）、ティア（ＴＥＡＲ）など）の情報を含む共通ヘッダ
・予約識別情報
【００８０】
ターゲットＰｏＡ（１０１０）は、データ送信予定時刻（ページングメッセージ内に記載）に、ＭＮ（１０１２）あてのデータ（２０２２：Ｄａｔａ）の送信を開始する。また、ＭＮ（１０１２）は、ページングメッセージ（２０１４）に記載されているデータ送信予定時刻にドーマント状態のインタフェース（ここでは、ＩＦ−２（１０２８））アクティブ状態にする。
【００８１】
＜第３の実施の形態＞
次に、本発明の第３の実施の形態について説明する。図３には、本発明の第３の実施の形態におけるネットワーク構成の一例が図示されている。また、図４には、本発明の第３の実施の形態における動作の一例を示すシーケンスチャートが図示されている。なお、図４には、図３に図示されているネットワーク構成に基づく動作が図示されている。また、図４に示すシーケンスチャートの初期状態として、図３に図示されているように、ＭＮ（３０１６）のＩＦ−１（３０４０）がサービングＰｏＡ（３０１０）に接続されており、サービングＰｏＡ（３０１０）経由でデータ（４００１：Ｄａｔａ）を受信しているものとする。
【００８２】
図３において、ＭＮ（３０１６）が動作中のインタフェース（ＩＦ−１（３０４０））からドーマント状態のインタフェース（ＩＦ−２（３０３８））に切り換えようとしている場合に、ＭＮ（３０１６）がドーマント状態のＩＦ−２（３０３８）に対するターゲットＰｏＡ（３０１２、３０１４）に関する情報を持っていない場合や、サービングＰｏＡ（３０１０）にターゲットＰｏＡに関する情報が存在しない可能性もある。
【００８３】
しかしながら、サービングＰｏＡ（３０１０）は、図３に示すように、ターゲットＰｏＡとなり得る接続ポイントに関する情報を得るために、情報サーバ（ＩＳ：Information Server）（３００８）にアクセスできる場合がある。
【００８４】
ＭＮ（３０１６）が、ＩＦ−１（３０４０）から別のネットワークインタフェース（ＩＦ−２（３０３８））に切り換える際に、まず、ＭＮ（３０１６）はターゲットＰｏＡからページングメッセージを受信する必要がある。ＭＮ（３０１６）のためのオンデマンドのページングメッセージを送信するようにターゲットＰｏＡに対して要求するため、ＭＮ（３０１６）は、まず、現在の位置情報（例えば、ＧＰＳ位置情報）及びＩＦ−２（３０３８））のネットワークインタフェースのタイプ情報を含む情報リクエストメッセージ（４００２：Ｉｎｆｏ＿Ｒｅｑ）をサービングＰｏＡ（３０１０）に送信する。
【００８５】
情報リクエストメッセージは、下記のフィールドを有している。
【００８６】
・送信元及びあて先アドレスやメッセージ識別子などの情報を含む共通ヘッダ
・ページングリクエストＩＤ
・ドーマント状態のインタフェースのタイプ
・ＭＮの加入者情報
・ＭＮの位置情報
【００８７】
サービングＰｏＡ（３０１０）は、情報サーバ（３００８）に情報リクエストメッセージ（４００４：Ｉｎｆｏ＿Ｒｅｑ）を転送する。そして、情報サーバ（３００８）は、自身のデータベースをチェックする。このデータベースには、ある範囲を有する地理的な領域とネットワークＰｏＡとの対応情報が格納されている。情報サーバ（３００８）のデータベースは、例えば、ＭＮ（３０１６）が位置している領域（ＭＮ（３０１６）の現在位置を含む領域）を担当しているネットワークＰｏＡを探索するため、ＧＰＳサーバにリンクされている。
【００８８】
情報サーバ（３００８）は、データベースを参照して、ＭＮ（３０１６）の現在位置に対応する１つ又は複数のネットワークＰｏＡの情報を情報レスポンスメッセージ（４００６：Ｉｎｆｏ＿Ｒｅｓ）によってサービングＰｏＡ（３０１０）に返送する。
【００８９】
情報レスポンスメッセージは、下記のフィールドを有している。
【００９０】
・送信元及びあて先アドレスやメッセージ識別子などの情報を含む共通ヘッダ
・ページングリクエストＩＤ
・ターゲットＰｏＡ−１のＩＤ
・ターゲットＰｏＡ−２のＩＤ
・ターゲットＰｏＡ−ＮのＩＤ
（ターゲットＰｏＡの数は１つ又は複数であってよい）
【００９１】
サービングＰｏＡ（３０１０）は、ＭＮ（３０１６）に情報レスポンスメッセージ（４００８：Ｉｎｆｏ＿Ｒｅｓ）を送信する。ＭＮ（３０１６）は情報レスポンスメッセージ（４００８：Ｉｎｆｏ＿Ｒｅｓ）を受信すると、ターゲットＰｏＡを選択する。この選択は、例えば加入者情報やコストなどに基づいて行われてもよい。
【００９２】
ターゲットＰｏＡを選択した後、ＭＮ（３０１６）は、選択したターゲットＰｏＡ（例えば、２つのターゲットＰｏＡ３０１２、３０１４）あてのページングリクエストメッセージを、集約されたページングリクエストメッセージ（４０１０：Ｐａｇｉｎｇ＿Ｒｅｑ）によって、サービングＰｏＡ（３０１０）に送信する。
【００９３】
集約されたページングリクエストメッセージは、下記のフィールドを有している。
【００９４】
・送信元及びあて先アドレスやメッセージ識別子などの情報を含む共通ヘッダ
【００９５】
・セッションＩＤ
・ページングリクエストＩＤ
・必要なＱＳＰＥＣ
・利用可能なＱＳＰＥＣ
・ターゲットＰｏＡ−１のＩＤ
・ターゲットＰｏＡ−２のＩＤ
・ターゲットＰｏＡ−ＮのＩＤ
・ドーマント状態のインタフェースのタイプ
・ターゲットＰｏＡの加入者情報
（ターゲットＰｏＡの数は１つ又は複数であってよい）
【００９６】
集約ページングリクエストメッセージ（４０１０：Ｐａｇｉｎｇ＿Ｒｅｑ）をＭＮ（３０１６）から受信すると、サービングＰｏＡ（３０１０）は、各ページングリクエストメッセージ（４０１２、４０１４：Ｐａｇｉｎｇ＿Ｒｅｑ）を集約ページングリクエストメッセージ（４０１０：Ｐａｇｉｎｇ＿Ｒｅｑ）集約ページングリクエストメッセージ（４０１０：Ｐａｇｉｎｇ＿Ｒｅｑ）に記載されているターゲットＰｏＡ（３０１２、３０１４）に送信する。
【００９７】
ページングリクエストメッセージ（４０１２、４０１４：Ｐａｇｉｎｇ＿Ｒｅｑ）を受信すると、ターゲットＰｏＡ（３０１２、３０１４）は、ページングレスポンスメッセージ（４０１６、４０１８）をサービングＰｏＡ（３０１０）に返送する。そして、サービングＰｏＡ（３０１０）は、２つのページングレスポンスメッセージ（４０１９、４０２２）をＭＮ（３０１６）に送信する。
【００９８】
サービングＰｏＡ（３０１０）からページングレスポンスメッセージ（４０１９、４０２２）を受信すると、ＭＮ（３０１６）は、ページングレスポンスメッセージ（４０１９、４０２２）に記載されているページング予定相対時刻において、ＩＦ−２（３０３８）へ切り換える。
【００９９】
ＭＮ（３０１６）は、ページングレスポンスメッセージ（４０１９、４０２２）に記載されたページング予定相対時刻において、ドーマント状態のＩＦ−２（３０２８）をアクティブ状態にし、ターゲットＰｏＡ（３０１２、３０１４）からのページングメッセージの受信待機状態となる。
【０１００】
ＭＮ（３０１６）がターゲットＰｏＡ（３０１２、３０１４）からページングメッセージ（４０２４、４０２６）を受信すると、ＭＮ（３０１８）は、ページングメッセージ（４０２４、４０２６）のシグナル品質に基づいて、最適なターゲットＰｏＡ（ここでは、ターゲットＰｏＡ３０１４とする）を選択する。
【０１０１】
なお、ページングメッセージ（４０２４、４０２６）には、ＭＮ（３０１６）が確認メッセージを送信する時刻（確認メッセージの送信予定時刻）と、ＭＮ（３０１６）がデータ受信を開始するスケジュールされたデータ送信時刻（データ送信予定時刻）とが含まれている。
【０１０２】
ＭＮ（３０１６）は、送信予定時刻（ページングメッセージに記載されている確認メッセージの送信予定時刻）に確認メッセージ（４０２８：Ｃｏｎｆｉｒｍ）を選択されたターゲットＰｏＡ（３０１４）に送信し、さらにハンドオーバが完了した旨を示すハンドオーバ完了メッセージ（４０２９：ＨＯ）が選択されたターゲットＰｏＡ（３０１４）からサービングＰｏＡ（３０１０）に送信され、サービングＰｏＡ（３０１０）とＭＮ（３０１６）との間の接続が切断されるとともに、サービングＰｏＡ（３０１０）から選択されたターゲットＰｏＡ（３０１４）にデータ（４０３２：Ｄａｔａ）の転送が行われる。そして、  ＭＮ（３０１６）は、予定された起動時刻（ウェイクアップ時刻）に、選択されたターゲットＰｏＡ（３０１４）から送信されるデータ（４０３４：Ｄａｔａ）の受信を開始する。
【０１０３】
＜第４の実施の形態＞
次に、本発明の第４の実施の形態について説明する。図５には、本発明の第４の実施の形態におけるネットワーク構成の一例が図示されている。また、図６には、本発明の第４の実施の形態における動作の一例を示すシーケンスチャートが図示されている。なお、図６には、図５に図示されているネットワーク構成に基づく動作が図示されている。また、図６に示すシーケンスチャートの初期状態として、図５に図示されているように、ＭＮ（５０１６）のＩＦ−１（５０３６）がサービングＰｏＡ（５０１２）に接続されており、サービングＰｏＡ（５０１２）経由でデータ（６００４：Ｄａｔａ）を受信しているものとする。
【０１０４】
図５に図示されているように、ＭＮ（５０１６）が動作中のインタフェースからドーマント状態のインタフェースに切り換えようとしているネットワークに、ページングコントローラ（ＰＣ：Paging Controller）（図５のＰＣ−１（５００８）及びＰＣ−２（５０１０））が存在する場合もある。このページングコントローラ（５００８、５０１０）は、オンデマンドのページングメッセージをＭＮ（５０１６）に送信するターゲットＰｏＡとの間で、ＭＮ（５０１６）が通信を行えるようにするものである。
【０１０５】
上述のように、ＭＮ（５０１６）がＩＦ−１（５０３６）から別のネットワークインタフェース（例えば、ＩＦ−２（５０３８））（最初は電源オフの状態）に切り換えようとしている場合、ＭＮ（５０１６）は、ターゲットＰｏＡ（５０１４）からのページングメッセージを受信する必要がある。
【０１０６】
ＩＦ−２（５０３８）をアクティブ状態にしてページングメッセージを待機する通常の処理を行うことなく、ターゲットＰｏＡ（５０１４）からのページングメッセージを受信するために、ＭＮ（５０１６）は、図６に図示されているように、オンデマンドのページングリクエストメッセージ（６００６：Ｐａｇｉｎｇ＿Ｒｅｑ）をサービングＰｏＡ（５０１２）に送信する。サービングＰｏＡ（５０１２）は、ページングコントローラ（ＰＣ−１）（５００８）にページングリクエストメッセージ（６００８：Ｐａｇｉｎｇ＿Ｒｅｑ）を転送する。また、ＰＣ−１（５００８）は、ページングリクエストメッセージ（６０１０：Ｐａｇｉｎｇ＿Ｒｅｑ）をＰＣ−２（５０１０）に転送する。さらに、このページングリクエストメッセージ（６０１２）は転送されて、ページングリクエストメッセージ（６０１２：Ｐａｇｉｎｇ＿Ｒｅｑ）がターゲットＰｏＡ（５０１４）に到達する。
【０１０７】
ターゲットＰｏＡ（５０１４）は、ページングリクエストメッセージ（６０１２：Ｐａｇｉｎｇ＿Ｒｅｑ）を受信すると、ＰＣ−２（５０１０）、ＰＣ−１（５００８）、ターゲットＰｏＡ（５０１２）を経由してＭＮ（５０１６）にページングレスポンスメッセージ（６０２２、６０２４、６０２６、６０２８：Ｐａｇｉｎｇ＿Ｒｅｓ）を送信する。
【０１０８】
ＭＮ（５０１６）は、ページングレスポンスメッセージ（６０２８：Ｐａｇｉｎｇ＿Ｒｅｓ）を受信すると、このページングレスポンスメッセージ（６０２８：Ｐａｇｉｎｇ＿Ｒｅｓ）に記載されている起動時刻（ウェイクアップ時刻）にＩＦ−２（５０３８）を起動し、ターゲットＰｏＡ（５０１４）からのページングメッセージ（６０３０：Ｐａｇｉｎｇ）を受信する。
【０１０９】
ページングメッセージ（６０３０：Ｐａｇｉｎｇ）をエラーのない状態で受信すると、ＭＮ（５０１６）は、ターゲットＰｏＡ（５０１４）から送信されたページングメッセージ（６０３０：Ｐａｇｉｎｇ）を受信したインタフェースと同一のネットワークインタフェースＩＦ−２（５０３８）を経由して、ターゲットＰｏＡ（５０１４）に確認メッセージ（６０３２：Ｃｏｎｆｉｒｍ）を送信する。
【０１１０】
また、ターゲットＰｏＡ（５０１４）は、確認メッセージ（６０３２）を受信すると、ハンドオーバの完了を通知するハンドオーバ完了メッセージ（６０３４：ＨＯ）をＰＣ−２（５０１０））に送信する。ＰＣ−２（５０１０）はハンドオーバ完了メッセージ（６０３６：ＨＯ）をＰＣ−１（５００８）に転送し、ＰＣ−１（５００８）はハンドオーバ完了メッセージ（６０３８：ＨＯ）をサービングＰｏＡ（５０１２）に転送する。
【０１１１】
＜第５の実施の形態＞
次に、本発明の第５の実施の形態について説明する。図７には、本発明の第５の実施の形態における動作の一例を示すシーケンスチャートが図示されている。なお、図７には、図３に図示されているネットワーク構成に基づく動作が図示されている。また、図７に示すシーケンスチャートの初期状態として、図３に図示されているように、ＭＮ（３０１６）のＩＦ−１（３０４０）がサービングＰｏＡ（３０１０）に接続されており、サービングＰｏＡ（３０１０）経由でデータ（７００１：Ｄａｔａ）を受信しているものとする。
【０１１２】
なお、図７に示すシーケンスチャートに示されている処理の中には、先に説明した図４に示すシーケンスチャートと同様の処理を行うものもあり、ここでは、必要な処理についてのみ説明を行う。また、制御ノード３００６は、ＭＮ（３０１６）へのデータパスの分岐点／集約点に相当するノードである。制御ノード（３０１６）は、例えば、サービングＰｏＡ（３０１０）から送信された集約ページングリクエストメッセージ（７０１１）を、ターゲットＰｏＡ−１（３０１２）へのページングリクエストメッセージ（７０１２）と、ターゲットＰｏＡ−２（３０１４）へのページングリクエストメッセージ（７０１４）とに分散させる分岐点や、ターゲットＰｏＡ−１（３０１２）からのページングレスポンスメッセージ（７０２０）と、ターゲットＰｏＡ−２からのページングリクエストメッセージ（７０１８）とを、１つの集約ページングレスポンスメッセージ（７０２２）にまとめてサービングＰｏＡ（３０１０）に送信する集約点としての機能を有している。この制御ノード（３００６）は、データパスの効率的な管理を行う上で有用であるが、本発明では、必須のノードではない。すなわち、例えば制御ノード（３００６）を設けずに、サービングＰｏＡ（３０１０）がターゲットＰｏＡ−１（３０１２）及びターゲットＰｏＡ−２（３０１４）へのメッセージを集約／分散せずに、各ターゲットＰｏＡとの間で独立してメッセージの送受信を行えばよい。
【０１１３】
本発明の第５の実施の形態では、図３に図示されているネットワーク構成において、２つのターゲットＰｏＡ−１（３０１２）及びターゲットＰｏＡ−２（３０１４）がＭＮ（３０１６）へのページングメッセージを、同時又は非常に近いタイミングで送信するようにスケジューリングが行われてしまった場合について説明する。
【０１１４】
このようなスケジューリングによって、２つのページングメッセージが衝突してしまう場合には、ＭＮ（３０１６）がこれら２つのページングメッセージを正確に受信できない可能性がある。
【０１１５】
例えば、図７に図示されているように、ターゲットＰｏＡ−１（３０１２）及びターゲットＰｏＡ−２（３０１４）が、同一のページング予定相対時刻に設定して、ページングレスポンスメッセージ（７０１８、７０２０）をＭＮ（３０１６）に送信したとする。
【０１１６】
このとき、図７においては、ターゲットＰｏＡ−１（３０１２）からのページングレスポンスメッセージ（７０２０）が制御ノード（７０２０）で受信され、その後、ターゲットＰｏＡ−２（３０１４）からのページングレスポンスメッセージ（７０１８）が制御ノード（３００６）で受信されて、制御ノード（３００６）からサービングＰｏＡ（３０１０）にこれらのページングレスポンスメッセージ（７０２０、７０１８）が集約された集約ページングレスポンスメッセージ（７０２２）が送信されている。
【０１１７】
なお、制御ノード（３００６）を設けない構成を考え、まず、ターゲットＰｏＡ−１（３０１２）からのページングレスポンスメッセージ（７０２０）がサービングＰｏＡ（３０１０）で受信され、その後、ターゲットＰｏＡ−２（３０１４）からのページングレスポンスメッセージ（７０１８）がサービングＰｏＡ（３０１０）で受信されたと考えてもよい。
【０１１８】
以下、図９を参照しながら、この場合におけるサービングＰｏＡの処理の一例について説明する。図９には、本発明の第５の実施の形態におけるサービングＰｏＡの処理の一例を示すフローチャートが図示されている。
【０１１９】
サービングＰｏＡ（３０１０）は、ページングレスポンスメッセージを受信すると（ステップＳ９０００）、同一のＭＮのＩＤに関して、自身が保持しているページングテーブルレコード（図８参照）の各エントリ（既に定まっているスケジュールに係るエントリ）のページング予定相対時刻と、受信したページングレスポンスメッセージに含まれているページング予定相対時刻とが競合していないか否か（同一時刻又は非常に近い時刻でオーバラップしているか否か）を確認する（ステップＳ９００２）。
【０１２０】
両方のページング予定相対時刻が競合している場合には、受信したページングレスポンスメッセージの送信元に対して、ページング予定相対時刻の変更（再スケジュール）を指示する再スケジュールメッセージを送信する（ステップＳ９００４）。一方、両方のページング予定相対時刻が競合していない場合には、図８に図示されているようなページングエントリテーブルにエントリを追加して、受信したページングレスポンスメッセージの内容をそのエントリに記載する（ステップＳ９００４）。また、サービングＰｏＡ（３０１０）は、この受信したページングレスポンスメッセージをＭＮ（３０１６）に転送する（ステップＳ９００６）。
【０１２１】
図７においては、サービングＰｏＡ（３０１０）は、集約ページングレスポンスメッセージ（７０２２）内の複数のページングレスポンスメッセージのうちの最初に処理を行うもの（あるいは、制御ノード（３００６）を設けない構成の場合には、最初に受信して処理を行ったページングレスポンスメッセージ）に関しては、ＭＮ（３０１６）に転送する。その結果、図７に図示されているように、ページングレスポンスメッセージ（７０２４：Ｐａｇｉｎｇ＿Ｒｅｓ）はＭＮ（３０１６）に転送される。一方、同一時間又は非常に近い時間でページング予定相対時刻がオーバラップしているページングレスポンスメッセージ（７０１８：Ｐａｇｉｎｇ＿Ｒｅｓ）に関しては、図７に図示されているように、再スケジュールメッセージ（７０２６：Ｒｅｓｃｈｅｄｕｌｅ）が返送される。
【０１２２】
返送されてきた再スケジュールメッセージ（７０２８：Ｒｅｓｃｈｅｄｕｌｅ）を受信したターゲットＰｏＡ−１（３０１２）は、先に送信したページングレスポンスメッセージに含まれているページング予定相対時刻とは異なる時刻を新たに設定した別のページングレスポンスメッセージ（７０３０：Ｐａｇｉｎｇ＿Ｒｅｓ）を生成して送信する返送する。この新たに送信されたページングレスポンスメッセージに関しても、図９に図示されているアルゴリズムを用いて同様にページング予定相対時刻のオーバラップの確認が行われ、時刻の競合がない場合には、ページングレスポンスメッセージ（７０３３：Ｐａｇｉｎｇ＿Ｒｅｓ）がＭＮ（３０１６）に転送される。
【０１２３】
なお、再スケジュールメッセージは、下記のフィールドを有している。
・送信元及びあて先アドレスやメッセージ識別子などの情報を含む共通ヘッダ
・ページングリクエストＩＤ
・ターゲットＰｏＡのＩＤ
【０１２４】
＜第６の実施の形態＞
次に、本発明の第６の実施の形態について説明する。
【０１２５】
上述の第１〜第３の実施の形態において、ターゲットＰｏＡは、モバイルノードから要求されたオンデマンドのページングメッセージを送信する。このとき図１０に図示されているように、ターゲットＰｏＡは、ターゲットＰｏＡの時間フレーム内において、モバイルノードから要求されたオンデマンドのページングメッセージを送信するための短いオンデマンドのページング（ＯＤＰ：on-demand Paging）用のタイムスロット（１０００１、１０００２、１０００３）や無線チャンネルを有するようにする。
【０１２６】
この場合、ターゲットＰｏＡは、図１１に図示されているように、自身が受信したオンデマンドのページングリクエストメッセージの一覧を含むテーブルを保持している。ターゲットＰｏＡは、ページングリクエストメッセージを受信すると、図１１に図示されているようなオンデマンドのページングリクエストテーブルにエントリを追加し、受信したページングリクエストメッセージの内容を挿入する。また、ターゲットＰｏＡは、オンデマンドのページングメッセージを送信するための次の利用可能な空きタイムスロットを確認し、ページングリクエストに従って送信するオンデマンドのページングメッセージの送信フレーム番号や送信タイムスロットを設定する。
【０１２７】
また、図１２は、本発明を実現するためのＭＮの構成の一例を示す図である。なお、図１２には、上述のすべての実施の形態を実現できるようなＭＮの構成が模式的に図示されているが、適宜必要な機能のみを選択的に使用又は実装することで、上述の実施の形態のそれぞれの機能を実現する構成にすることが可能である。
【０１２８】
図１２に図示されているＭＮは、１つ又は複数の無線通信インタフェース１２００１（図１２では２つの無線通信インタフェース１２００１を図示）、識別情報取得部１２００２、ページングリクエストメッセージ送信部１２００３、ページングレスポンスメッセージ受信部１２００４、接続制御部１２００５、給電制御部１２００６を有している。
【０１２９】
無線通信インタフェース１２００１は、ＰｏＡ（サービングＰｏＡやターゲットＰｏＡ）と無線通信を介して接続するためのインタフェースである。
【０１３０】
また、識別情報取得部１２００２は、ターゲットＰｏＡの識別情報を取得するための機能を有している。ターゲットＰｏＡの識別情報は、例えば過去の移動履歴や何らかの設定情報、あるいは、情報サーバに対する問い合わせなどによって取得することが可能である。
【０１３１】
また、ページングリクエストメッセージ送信部１２００３は、接続されているサービングＰｏＡ経由でターゲットＰｏＡに対して送信されるページングリクエストメッセージを生成して送信する機能を有している。
【０１３２】
また、ページングレスポンスメッセージ受信部１２００４は、ページングリクエストメッセージに対する応答であり、ターゲットＰｏＡにおける接続処理の準備ができたことや、ページング予約相対時刻などの各種情報を含むページングレスポンスメッセージを受信して処理する機能を有している。
【０１３３】
また、接続制御部１２００５は、ページングレスポンスメッセージに従って、このメッセージに含まれる情報要素に基づいてターゲットＰｏＡとの接続確立処理を行う機能を有している。
【０１３４】
また、給電制御部１２００６は、各無線通信インタフェース１２００１のモード（アクティブモード、ドーマントモード、スリープモードなど）を管理し、非動作時における無駄な電力消費を抑える機能を有している。
【０１３５】
また、図１３は、本発明を実現するためのＰｏＡ（サービングＰｏＡ又はターゲットＰｏＡ）の構成の一例を示す図である。なお、図１２には、上述のすべての実施の形態を実現できるようなＭＮの構成が模式的に図示されているが、適宜必要な機能のみを選択的に使用又は実装することで、上述の実施の形態のそれぞれの機能を実現する構成にすることが可能である。
【０１３６】
図１３に図示されているＰｏＡは、無線通信インタフェース１３００１、ネットワークインタフェース１３００２、ページングリクエストメッセージ受信部１３００３、ページングレスポンスメッセージ送信部１３００４、競合確認部１３００５、再スケジュール要求部１３００６、タイミング設定部１３００７、ビーコン送信制御部１３００８を有している。
【０１３７】
無線通信インタフェース１３００１は、ＭＮと無線通信を介して接続するためのインタフェースである。また、ネットワークインタフェース１３００２は、コアネットワークやインターネットなどに接続するためのインタフェースである。したがって、ＭＮは、ＰｏＡと接続することで、無線通信インタフェース１３００１、ネットワークインタフェース１３００２を通じて、インターネットなどに接続することが可能である。
【０１３８】
また、ページングリクエストメッセージ受信部１３００３は、ＭＮ（あるいは、ＭＮからの要求を中継するその他の通信装置）から送信されるページングリクエストメッセージを受信して処理する機能を有している。
【０１３９】
また、ページングレスポンスメッセージ送信部１３００４は、ページングリクエストメッセージに対する応答であり、ターゲットＰｏＡにおける接続処理の準備ができたことや、ページング予約相対時刻などの各種情報を含むページングレスポンスメッセージを生成して送信する機能を有している。
【０１４０】
また、競合確認部１３００５は、複数のターゲットＰｏＡの候補のそれぞれが設定したページング予定相対時刻が同一のＭＮに対して同一のタイミングあるいは非常に近いタイミングでオーバラップしていないかどうかを確認する機能を有している。なお、競合確認部１３００５では、図８に図示されているページングテーブルレコードの管理も行われている。
【０１４１】
また、再スケジュール要求部１３００６は、ページング予定相対時刻のオーバラップが確認された場合に、どちらか一方のターゲットＰｏＡに対して、ページング予定相対時刻の変更を要求する再スケジュールメッセージの送信を行う機能を有している。
【０１４２】
また、タイミング設定部１３００７は、ページングリクエストメッセージによってＭＮの接続の確立を支援するように要求を受けた場合に、ＭＮの電力消費を抑えるための最適な起動時刻を示すページング予定相対時刻を設定する機能を有している。このページング予定相対時刻は、例えばページングリクエストメッセージに挿入されてＭＮに通知される。
【０１４３】
また、ビーコン送信制御部１３００８は、ビーコンの送信間隔（送信周期）を調整する機能を有している。本発明では、基本的にＭＮがターゲットＰｏＡに接続する際には、ビーコン受信に係る待機時間を短くするためにビーコン送信間隔を通常よりも狭くする。また、例えばページング予定相対時刻に合わせてビーコン送信間隔を狭くすることで、ＭＮは、通知された時刻に迅速に（少ない待機時間で）ビーコンを受信することができるようになる。
【０１４４】
さらに、下記の本発明の第７〜第１４の実施の形態において、本発明が、ＩＥＥＥ８０２．２１のフレームワーク（枠組み）に適用され、このフレームワーク内で実施可能であることについて説明する。
【０１４５】
＜第７の実施の形態＞
以下、本発明の第７の実施の形態について説明する。図１４には、本発明の第７の実施の形態における動作の概要を示すシーケンスチャートが図示されている。
【０１４６】
ＭＮ（１０１２）は、まず、接続の意志（接続を行うことを所望している旨）をターゲットＰｏＡ（１０１０）に通知する。このメッセージ（１４０３０）は、アクティブなインタフェースＩＦ−１（１０３０）を通じてサービングＰｏＡ（１００８）に伝送される。サービングＰｏＡ（１００８）は、ＭＮ（１０１２）による接続の意志を通知するメッセージ（１４０４０）をターゲットＰｏＡ（１０１０）に送信する。
【０１４７】
ターゲットＰｏＡ（１０１０）は、このメッセージ（１４０４０）を受けて、ＭＮ（１０１２）が確立しようとしている接続に有用なパラメータ（ＭＮ（１０１２）の接続パラメータ）を含むメッセージを返信してもよい。ＭＮ（１０１２）の接続パラメータを含むメッセージ（１４０５０、１４０６０）は、サービングＰｏＡ（１００８）を経由して、ＭＮ（１０１２）に伝送される。
【０１４８】
また、ターゲットＰｏＡ（１０１０）は、ＭＮ（１０１２）との間で行われようとしている接続（ＭＮ（１０１２）が所望している接続）に対する準備を開始してもよい（１４０７０）。この場合、ＭＮ（１０１２）は、サービングＰｏＡ（１００８）から接続パラメータを受信すると、ＩＦ−２（１０２８）を動作させて（１４０８０）、ターゲットＰｏＡ（１０１０）から直接送られてくる更なる接続パラメータ（１４０９０）を受信してもよい。
【０１４９】
ＩＥＥＥ８０２．２１仕様のプリミティブ（構成要素）を変更する拡張を若干行うことで、本発明を実現することが可能である。例えば、ＭＮ（１０１２）が、ＭＩＨＦ（Media Independent Handover Function：メディア独立ハンドオーバ機能）のＩＳ（Information Service：情報サービス）コンポーネントを利用して、ターゲットＰｏＡ（１０１０）に関する情報を取得できるようにすることが可能である。
【０１５０】
図１５には、本発明の第７の実施の形態におけるコールフロー動作の一例を示すシーケンスチャートが図示されている。ＭＮ（１０１２）は、MIH_Get_Information Request message（ＭＩＨゲットインフォメーションリクエストメッセージ）（１５０３０）をサービングＰｏＡ（１００８）に送信する。MIH_Get_Information Request messageは、ＩＳサーバ（１５０１０）に伝送される（１５０４０）。
【０１５１】
ＩＳサーバ（１５０１０）は、必要な情報を既に持っているかもしれず、あるいは、関連するネットワークノードにその情報の問い合わせを行ってもよい。問い合わせを行う場合には、例えば、MIH_N2N_HO_Query_Resources message（ＭＩＨ＿Ｎ２Ｎハンドオーバクエリリソースメッセージ）を使用することが可能であり、ＩＳサーバ（１５０１０）から、ＰｏＡの候補となり得るポテンシャルＰｏＡ（１５０２０）（ターゲットＰｏＡ（１０１０）を含む）に対して、MIH_N2N_HO_Query_Resources Request messageが送信される（１５０５０）。おして、ＩＳサーバ（１５０１０）は、問い合わせ先のネットワークノードから応答（MIH_N2N_HO_Query_Resources Response message）を受信すると（１５０６０）、サービングＰｏＡ（１００８）を経由して、MIH_Get_Information Request message（１５０４０）への応答（MIH_Get_Information Response message）を行う（１５０７０、１５０８０）。
【０１５２】
これらのメッセージにＭＮ（１０１２）によるターゲットＰｏＡ（１０１０）への接続パラメータの要求や、その応答（接続パラメータ）を挿入することによって、本発明を実現することが可能である。
【０１５３】
＜第８の実施の形態＞
次に、本発明の第８の実施の形態について説明する。本発明の第８の実施の形態において、ＩＳサーバ（１５０１０）は、既存のページングシステムを利用して、ＭＮ（１０１２）に関する接続パラメータを検索することが可能である。
【０１５４】
このようなシナリオでは、ＭＮ（１０１２）のＩＦ−２（１０３０）の代わりに、関連するページングコントローラにページングリクエストを送信するために、新たなＩＥＥＥ８０２．２１プリミティブが用いられる可能性がある。例えば、ＥＡＰ（PPP Extensible Authentication Protocol）をサポートするＡＡＡ（Authentication、Authorization、Accounting）などのセキュリティフレームワークが適切に設定されて、技術（アクセスシステム）間又はドメイン間での交換がサポートされる必要がある。
【０１５５】
セキュリティフレームワークによって、プロキシネットワークアクセス経由による信頼関係の事前確立（pre-emptive establishment）が可能となり得る。例えば、ＷｉＭＡＸ（Worldwide Interoperability for Microwave Access）ネットワークとの間でセキュリティアソシエーションをあらかじめ確立しておくことで、ＷｉＦｉによる接続のみを使用いる場合であっても、セッションを移す際にシームレスなユーザエクスペリエンスを実現することが可能となる。
【０１５６】
ページングリクエストは、ＭＮ（１０１２）による接続の意志（ＭＮ（１０１２）が接続を行おうとしている）とみなすことが可能である。ページングコントローラは、レスポンスメッセージによって、関連する接続パラメータを応答してもよい。このメッセージを実現することが可能なものとしては、ターゲットＰｏＡ（１０１０）ネットワーク上においてＭＮ（１０１２）のページングを開始するトリガとして用いられる、ＩＥＥＥ８０２．２１仕様のpaging UE_Location_Query message（ページングＵＥロケーションクエリメッセージ）が挙げられる。
【０１５７】
また、図１６には、本発明の第８の実施の形態において、ＭＮ（１０１２）がＩＦ−２（１０２８）を通じて接続する特定のターゲットＰｏＡ（１０１０）を既に決定している場合のシナリオの一例を示すシーケンスチャートが図示されている。
【０１５８】
ＭＮ（１０１２）による接続の意志は、MIH_MH_HO_Candidate_Query Request message（ＭＩＨ＿ＭＨハンドオーバ候補クエリリクエストメッセージ）（１６０１０）によって伝送される。なお、サービングＰｏＡ（１００８）とターゲットＰｏＡ（１０１０）との間においては、MIH_N2N_HO_Candidate_Query Request message（ＭＩＨ＿Ｎ２Ｎ＿ハンドオーバ候補クエリリクエストメッセージ）（１６０２０）を用いて中継されてもよい。
【０１５９】
一方、ターゲットＰｏＡ（１０１０）から送信される接続パラメータは、例えば、ターゲットＰｏＡ（１０１０）からサービングＰｏＡ１００８に、MIH_N2N_HO_Candidate_Query Response message（ＭＩＨ＿Ｎ２Ｎハンドオーバ候補クエリレスポンスメッセージ）（１６０３０）によって運ばれ、サービングＰｏＡ（１００８）からＭＮ（１０１２）に、MIH_MH_HO_Candidate_Query Response message（ＭＩＨ＿ＭＨハンドオーバ候補クエリレスポンスメッセージ）（１６０４０）によって伝送されてもよい。
【０１６０】
＜第９の実施の形態＞
次に、本発明の第９の実施の形態について説明する。本発明の第９の実施の形態において、ＭＮ（１０１２）の接続の意志や、ターゲットＰｏＡ（１０１０）からの接続パラメータなどの交換が、MIH_MH_HO_Commit（ＭＩＨ＿ＭＨハンドオーバコミット）プリミティブやMIH_N2N_HO_Commit（ＭＩＨ＿Ｎ２Ｎハンドオーバコミット）プリミティブを使用して伝送されてもよい。
【０１６１】
図１７には、本発明の第９の実施の形態において、ＭＮ（１０１２）がターゲットＰｏＡ（１０１０）に接続を行おうとしていることを示す接続の意志が、サービングＰｏＡ（１００８）に送信されるMIH_MH_HO_Commit Request message（ＭＩＨ＿ＭＨハンドオーバコミットリクエストメッセージ）によって送信される場合のシーケンスチャートが図示されている。
【０１６２】
図１７において、ＭＮ（１０１２）によるターゲットＰｏＡ（１０１０）への接続の意志（ＭＮ（１０１２）がターゲットＰｏＡ（１０１０）に接続を行う旨）が、サービングＰｏＡ（１００８）に送信されるMIH_MH_HO_Commit Request message（１７０１０）によって伝送される。また、この接続の意志は、サービングＰｏＡ（１００８）からターゲットＰｏＡ（１０１０）へは、MIH_N2N_HO_Commit Request message（ＭＩＨ＿Ｎ２Ｎハンドオーバコミットリクエストメッセージ）（１７０２０）によって伝送されてもよい。
【０１６３】
ターゲットＰｏＡ（１０１０）は、上述の実施の形態と同様にＭＮ（１０１２）が迅速に接続できるようにするために有用な追加パラメータ（例えば、接続パラメータ）を含むMIH_N2N_HO_Commit Response message（ＭＩＨ＿Ｎ２Ｎハンドオーバコミットレスポンスメッセージ）（１７０３０）で応答を行う。また、追加パラメータは、サービングＰｏＡ（１００８）から送信されるMIH_MH_HO_Commit Response message（ＭＩＨ＿ＭＨハンドオーバコミットレスポンスメッセージ）（１７０４０）を使用してＭＮ（１０１２）に伝送可能である。
【０１６４】
＜第１０の実施の形態＞
次に、本発明の第１０の実施の形態について説明する。複数のインタフェースを有するＭＮ（１０１２）の省電力を実現するため、オプションとして、ＩＥＥＥ８０２．２１フレームワークに基づく異種ページングシステムが実現可能となることが予見される。
【０１６５】
図１８には、本発明の第１０の実施の形態において、ＭＮ（１０１２）のＩＦ−１（１０３０）がアイドルモードを終了して、ターゲットＰｏＡ（１０１０）に通知を行う場合の動作の一例を示すシーケンスチャートが図示されている。
【０１６６】
ＭＮ（１０１２）は、Paging_IM_Exit Request message（ページングＩＭイグジットリクエストメッセージ）（１８０２０）を使用して、ＭＮ（１０１２）のＩＦ−１（１０３０）がアイドルモードを終了する旨をＩＦ−１（１０３０）からネットワークに通知する。サービングＰｏＡ（１００８）は、ターゲットＰｏＡ（１０１０）を管理しているページングコントローラ（１８０１０）にこのメッセージ（１８０３０）を転送する（１６０３０）。
【０１６７】
ページングコントローラ（１８０１０）は、この時点でＭＮ（１０１２）による接続の意志（１８０４０）をターゲットＰｏＡ（１０１０）に通知することが可能である。また、ターゲットＰｏＡ（１０１０）は、ＭＮ（１０１２）に関する接続パラメータ（１６０５０）をページングコントローラ（１８０１０）に応答することが可能である。ページングコントローラ（１８０１０）は、ターゲットＰｏＡ（１０１０）から供給された接続パラメータを含むPaging_IM_Exit Response message（ページングＩＭイグジットレスポンスメッセージ）（１８０６０）を送信する。この接続パラメータを含むPaging_IM_Exit Response message（１８０７０）は、さらに、サービングＰｏＡ（１００８）からＭＮ（１０１２）に伝送される。
【０１６８】
＜第１１の実施の形態＞
次に、本発明の第１１の実施の形態について説明する。図１９には、本発明の第１１の実施の形態において、ＭＮ（１０１２）がPaging_Indication Request（ページング指示リクエスト）プリミティブを使用して、接続の意志をターゲットＰｏＡ（１０１０）に通知する場合のシーケンスチャートが図示されている。
【０１６９】
図１９において、ＭＮ（１０１２）は、Paging_Indication Request message（ページング指示リクエストメッセージ）（１９０１０）をネットワークに送信する。サービングＰｏＡ（１００８）は、ターゲットＰｏＡ（１０１０）を担当しているページングコントローラ（１８０１０）にこのPaging_Indication Request message（１９０２０）を転送する。
【０１７０】
ページングコントローラ（１８０１０）は、この時点で、ＭＮ１０１２による接続の意志（１８０４０）をターゲットＰｏＡ（１０１０）に通知することが可能である。また、ターゲットＰｏＡ（１０１０）は、ＭＮ（１０１２）に関する接続パラメータ（１８０５０）をページングコントローラ（１８０１０）に応答することが可能である。ページングコントローラ（１８０１０）は、ターゲットＰｏＡ（１０１０）から供給された接続パラメータを含むPaging_Indication Response message（ページング指示レスポンスメッセージ）（１９０３０）を送信する。この接続パラメータを含むPaging_Indication Response message（１９０４０）は、さらに、サービングＰｏＡ（１００８）からＭＮ（１０１２）に伝送される。
【０１７１】
＜第１２の実施の形態＞
次に、本発明の第１２の実施の形態について説明する。本発明の第１２の実施の形態では、ＭＮ（１０１２）が、ターゲットＰｏＡ（１０１０）におけるリソースのレベルの監視を望んでいるものとする。このようにＭＮ（１０１２）がターゲットＰｏＡ（１０１０）におけるリソースのレベルの監視を望む場合としては、例えば、十分なリソースが利用可能な状態となってからターゲットＰｏＡ（１０１０）に接続しようとする場合や、バッファがほぼいっぱいになった場合にのみページの最適化を行う場合などが挙げられる。図２０には、本発明の第１２の実施の形態における動作の概要を示すシーケンスチャートが図示されている。
【０１７２】
図２０において、ターゲットＰｏＡ（１０１０）は、初期状態として、ＭＮ（１０１２）（あるいは、不特定のクライアント）に対するリソースを十分に確保することができない状態にあるとする。
【０１７３】
ＭＮ（１０１２）は、例えば、十分なリソースが利用可能な状態のターゲットＰｏＡ１０１０に接続するため、ターゲットＰｏＡ１０１０において所望のリソースの監視するよう要求するResource Monitor Request message（リソース監視リクエストメッセージ）（２００２０）を送信する。サービングＰｏＡ１００８は、要求されたリソースレベルの監視を行うよう要求するこのResource Monitor Request message（２００３０）をターゲットＰｏＡ（１０１０）に伝送する。
【０１７４】
このメッセージを受信したターゲットＰｏＡ（１０１０）は、リソース監視（リソースモニタリング）を行って（２００４０）、ＭＮ（１０１０）が必要とするリソースレベル（要求されたリソースレベル）を超えるリソースが確保できる状態となった場合に、所望のレベルのリソースが得られた旨の通知（Sufficiet Resource Notification）（２００５０）をＭＮ（１０１２）に送信する。この通知メッセージ（Sufficiet Resource Notification）（２００６０）は、サービングＰｏＡ（１００８）を中継してＭＮ（１０１２）に送信される。このようにＭＮ（１０１２）とターゲットＰｏＡ（１０１０）との間で交換されるメッセージを利用して、ＭＮ（１０１２）が接続パラメータを取得できるようにすることも可能である。
【０１７５】
また、例えば、図２１に図示されている実施例を実現することで、本発明に係る機能をＩＥＥＥ８０２．２１のフレームワーク内で利用できるようにすることが可能となる。図２１においても、ターゲットＰｏＡ（１０１０）は、初期状態として、ＭＮ（１０１２）（あるいは、不特定のクライアント）に対するリソースを十分に確保することができない状態にあるとする。
【０１７６】
ＭＮ（１０１２）は、まず、監視対象のリソースを指定するためのMIH_Event_Subscribe Request message（ＭＩＨイベント予約リクエストメッセージ）（２１０１０）を送信する。MIH_Event_Subscribe Request messageは、サービングＰｏＡ（１００８）からターゲットＰｏＡ（１０１０）に転送される（２１０２０）。
【０１７７】
次に、ＭＮ（１０１２）は、監視対象のリソースに関する所望の閾レベルを設定するためのMIH_Link_Configure_Thresholds Request message（ＭＩＨリンク構成閾値リクエストメッセージ）（２１０３０）を送信する。このMIH_Link_Configure_Thresholds Request messageも同様に、サービングＰｏＡ（１００８）によってターゲットＰｏＡ（１０１０）に転送される（２１０４０）。
【０１７８】
ターゲットＰｏＡ（１０１０）は、リソース監視（リソースモニタリング）を行って（２００４０）、ＭＮ（１０１０）が必要とするリソースレベル（要求されたリソースレベル）以上のリソースが確保できる状態となった場合に、所望のレベルのリソースが得られた旨の通知（MIH_Link_Parameters_Report Indication）（２１０５０）をＭＮ（１０１２）に送信する。この通知メッセージ（MIH_Link_Parameters_Report Indication）（２１０６０）は、サービングＰｏＡ（１００８）を中継してＭＮ（１０１２）に送信される。
【０１７９】
＜第１３の実施の形態＞
次に、本発明の第１３の実施の形態について説明する。本発明の第１３の実施の形態において、ＭＮ（１０１２）は、例えばリソースレベルが必要な閾値を超えた場合にページング処理を開始するようにターゲットＰｏＡ（１０１０）に要求するためのMIH_Link_Actions primitive（ＭＩＨリンクアクションプリミティブ）を利用して、本発明に係る情報交換を実現することも可能である。
【０１８０】
＜第１４の実施の形態＞
次に、本発明の第１４の実施の形態について説明する。本発明の第１４の実施の形態において、ターゲットＰｏＡ（１０１０）が積極的に処理を行うことで、ＩＥＥＥ８０２．２１に規定されている適切なプリミティブを利用して、ＭＮ（１０１２）に通知を行ってもよい。なお、ターゲットＰｏＡ（１０１０）が積極的に行う処理の一例としては、例えば、ビーコンの期間やビーコンの情報量などのビーコンのブロードキャストパラメータの調整処理、リソースやＱｏＳ保証の事前予約処理、セキュリティメカニズム動作や最適化処理などが挙げられる。
【０１８１】
＜第１５の実施の形態＞
例えば図２２に図示されているように、ＭＡＣレイヤで制御され、アクセスシステムの同期のために送信されるビーコンのタイミング（ビーコンタイミング）に対し、物理レイヤにおいて装置の同期のために送信される同期信号のタイミング（同期タイミング）が、より細かなスケール（若しくはその逆に大きなスケール）で存在することが考えられる。
【０１８２】
各レイヤにおける同期のタイミングのあり方はレイヤごとに様々であるが、ＰｏＡのそれぞれのレイヤにおいて必要な同期のタイミングの観点において、上述の各実施の形態において示したようにビーコンタイミングを通知するページング機能へ本発明を適用するだけではなく、当該第１５の実施の形態で説明するようにサービングＰｏＡにおけるターゲットＰｏＡの同期タイミングを通知することに本発明を適用することも可能である。以下、本発明の第１５の実施の形態において、サービングＰｏＡにおけるターゲットＰｏＡの同期タイミングを通知する場合の動作例について説明する。
【０１８３】
なお、ビーコンタイミングと同期タイミングとの間には、例えば時間スケール上の差異や制御を行うレイヤの違いなどがあるものの、ネットワーク側から周期的に（必ずしも厳密な一定期間ごとではなく、システムが許容できる範囲内で誤差を持つ場合も含まれる）報知される情報、信号であるという点では同じであり、ビーコンタイミングに対してだけではなく、同期タイミングに対して本発明を適用することが可能である。
【０１８４】
ＰｏＡとなり得る基地局間においては、接続可能な端末（ＭＮ）の数を調整することで、処理負荷や各ＰｏＡのサービスエリアの均衡、選択的な端末の管理（優先制御など）を行うことができる関係にある場合がある。このようなＰｏＡの関係性を持つ一例として、３ＧＰＰ（3rd Generation Partnership Project）におけるＬＴＥ／ＳＡＥ（Long Term Evolution/System Architecture Evolution）システムが挙げられる。
【０１８５】
図２３には、本発明の第１５の実施の形態におけるＬＴＥ／ＳＡＥシステムの一例が図示されている。図２３に図示されているように、ＬＴＥ／ＳＡＥシステムでは、主に屋外に設置される、セル半径の大きなマクロセル無線通信基地局装置（ｅＮＢ：Evolved NodeB）に加えて、家庭やオフィス、更にはレストランなどの屋内施設に、フェムトセル（Femto Cell）と呼ばれる、数十メートル程度のセル半径の小セル無線通信基地局装置（Ｈ−ｅＮＢ：Home Evolved NodeB）の設置が検討されている。３ＧＰＰで検討されている小セル無線通信基地局装置は、限られたグループメンバにだけアクセスを許可することが検討されている。このようなセルは限定加入者グループ（ＣＳＧ：Closed Subscriber Group）セルと呼ばれる。
【０１８６】
アクセスが許可された無線通信端末装置（ＵＥ：User Equipment）は、ＣＳＧセルを形成する無線通信基地局装置（以下、ＣＳＧ基地局と記載）に優先的に接続するようネットワークから制御される。すなわち、任意のＵＥがＣＳＧ基地局のエリアに入った場合、ｅＮＢからの電波を受信できたとしても、ＣＳＧ基地局に優先度に応じて（例えば認証レベルで）接続制御される。なお、３ＧＰＰにおけるＬＴＥ／ＳＡＥシステムに関しては、例えば、非特許文献２や非特許文献３に開示されている。
【０１８７】
上述のＬＴＥ／ＳＡＥシステムのようなシステムにおいて、各基地局への端末の配分（どの端末をどの基地局に接続させるか）を制御する方法として、例えば、端末の収容可能数が上限に近づいてきた基地局は同期信号の送信を抑制する方法（同期信号の送信抑制方法）が存在する。同期信号の報知方法にも様々な種類があり、その目的にも差異があるが、比較的初期段階の基地局との同期信号の送信自体が抑制されると、端末は、新たに基地局に接続（接続可能な基地局を探索）する際に基地局と同期自体が取れないため、その基地局と接続ができなかったり、その基地局自体を発見できなかったりする。
【０１８８】
上述のように、特定の基地局における同期信号の送信を抑制することによって、新規に接続しようとする端末が（例えば、認証レベルよりも早い段階で）この特定の基地局に対して接続できないように制御することが可能である。なお、基地局からの同期信号の送信が抑制された場合であっても、既にこの基地局との同期が確立している端末については、そのタイミングを維持する（また、基地局との同期確立後に参照可能となる詳細な同期信号を受信する）ことによって接続を維持することが可能である。ただし、例えばアクティブな通信を終了したり、送信や受信を終了したりしたような場合など、端末がいったん基地局との同期状態を解消した場合の後には、その端末は、未接続な端末と同様に基地局との間で同期状態を確立することができなくなる。このように、基地局からの同期信号の送信を抑制した場合には、通信を終了した端末が順次基地局を離れていくことによって、基地局の端末収容数（すなわち混雑）が低減していくことになる。
【０１８９】
しかしながら、このような同期信号の送信抑制方法を用いると、例えば、上述のＣＳＧ基地局において、グループメンバの制御を行っている状態で、その制御端末（例えばＣＳＧ基地局の所有者の端末）がそのＣＳＧ基地局との通信を終了してしまうと、それ以降、制御端末はＣＳＧ基地局に直接接続できなくなってしまうことが考えられる。すなわち、たとえ制御端末であっても、他の端末と同様に、ＣＳＧ基地局からの同期信号を受信できないため、ＣＳＧ基地局との間で再び同期状態を確立することができなくなってしまう。
【０１９０】
したがって、制御端末が、自身が管理するネットワークの制御を行うために、例えば、マクロセル無線通信基地局装置（ｅＮＢ）経由で通信を行う必要が生じてしまうことになる。また、制御端末は、同期信号の送信抑制をｅＮＢ経由で解除することが可能かもしれないが、この場合、同期信号の送信抑制の解除と同時に他の端末（このＣＳＧ基地局に接続できないよう制御されていた端末）も同期信号が検出可能となってＣＳＧ基地局に接続できてしまう可能性があり、端末の管理上望ましくない状態となってしまう。
【０１９１】
このようにＣＳＧ基地局で同期信号の送信抑制を行っている場合であっても、本発明を用いることで、特定の端末（例えば、制御端末）に対してターゲットＰｏＡ（ＣＳＧ基地局）の同期タイミングをサービングＰｏＡ（ｅＮＢ）から通知し、特定の端末がターゲットＰｏＡに接続できるようにすることが可能である。
【０１９２】
例えば、本発明を用いる場合の最も端的な方法としては、ターゲットＰｏＡとの初期の同期確立後に確認可能な詳細な同期のための同期信号の送信タイミングをサービングＰｏＡから（すなわち、サービングＰｏＡ経由で）通知する方法が挙げられる。この方法では、サービングＰｏＡにしか接続できない状態にある制御端末は、まずサービングＰｏＡ経由でターゲットＰｏＡに接続するために必要な同期に関する情報を依頼する。同期に関する情報は、例えばターゲットＰｏＡの詳細な同期信号を受信するために必要な情報を含むタイミングのトリガである。
【０１９３】
ネットワーク側では必要な確認を完了した後、サービングＰｏＡ経由でターゲットＰｏＡ（若しくはサービングＰｏＡそのもの）が制御端末に対して同期に関する情報を送信する。これにより、ターゲットＰｏＡからの同期信号の送信は抑制された状態のまま、制御端末は、サービングＰｏＡ経由で受信した同期に関する情報に基づいて、ターゲットＰｏＡから送信される詳細な同期信号を受信し、ターゲットＰｏＡとの接続状態を確立することが可能となる。
【０１９４】
また、初期段階の同期確立を行わない状態で詳細な同期信号を受信することが困難な場合は、別の使用方法として、制御端末がまずサービングＰｏＡ経由でターゲットＰｏＡからの同期信号の送信を一定期間（一定回数）のみ送信するよう依頼するとともに、この同期信号を受信するために必要な情報を含むタイミングのトリガを依頼することも可能である。
【０１９５】
ネットワーク側では必要な確認を完了した後、サービングＰｏＡ経由でターゲットＰｏＡ（若しくはサービングＰｏＡそのもの）が制御端末に対して、ターゲットＰｏＡから同期信号が送信されるタイミングでトリガを送信する。これにより、制御端末はトリガの受信に合わせてターゲットＰｏＡからの同期信号を受信し、ターゲットＰｏＡとの接続状態を確立することが可能となる。なお、このとき、ターゲットＰｏＡは、制御端末が接続可能となるように同期信号を限定的に送信するのみであるので、この限定的な同期信号の送信タイミングを知らない他の端末が同期信号を発見する可能性を低く抑えることが可能となり、制御端末のみ接続させるようにすることで同期信号の送信抑制の効果を最大限維持することが可能となる。
【０１９６】
なお、実際のシステムにおいては、基地局との間で同期状態を確立しようとする端末は、ただ１回の同期信号の受信を基に同期を確立することは少なく、複数回の同期信号の受信を行って十分な受信状態（同期状態）となった場合に同期を確立することが考えられる。
【０１９７】
十分な同期状態となったか否かの判定基準は、例えば、受信電力、同期信号の連続受信回数、同期に関するパラメータの閾値との比較など、様々な基準を採用することが可能である。以下では、その判定モデルとして、例えば、同期信号の送信周期として適切なタイミングにおいて４回中３回の正しい受信ができた場合に同期確立ができたとみなせるモデルを用いた場合について説明する。この判定モデルによれば、より効果的に、他の端末によるターゲットＰｏＡへの接続を抑制しながら、制御端末のみをターゲットＰｏＡに接続させることが可能となる。
【０１９８】
このように、ターゲットＰｏＡは同期信号の送信依頼を適切な制御端末から受けると、通常の端末（最終的には接続許可を得られないような非優先の端末など）が同期確立しようとしてもその判定基準に満たないような頻度で同期信号の送信を開始し、ターゲットＰｏＡから同期信号を送信しているタイミングに関して、適切な制御端末（優先的に接続することが許可されている端末）に対してサービングＰｏＡ経由で通知する。
【０１９９】
なお、この通知は、例えば、ターゲットＰｏＡから同期信号が送信されるタイミングでサービングＰｏＡからそのタイミングに合わせたトリガを送信することで行われてもよく、あるいは、絶対的な時刻や相対的な時刻（サービングＰｏＡの所定信号からの経過時間）などの情報（送信パターン情報）を含むトリガを制御端末に渡すことで行われてもよい。また、ターゲットＰｏＡは制御端末からの送信依頼に応じて、同期信号の送信を開始してもよく、あるいは、通常の端末にとっては同期信号として利用できない送信パターン（すなわち、同期確立の判定基準に満たない頻度）で同期信号を送信しているのであれば、制御端末からの送信依頼とは無関係に同期信号の送信を行っていてもよい。
【０２００】
また、図２４は、本発明の第１５の実施の形態における判定モデルの一例を模式的に示す図である。なお、図２４は、制御端末がターゲットＰｏＡ及びサービングＰｏＡから信号を受信するタイミングを示すものである。例えば図２４に図示されているように、制御端末は、ターゲットＰｏＡから同期信号が送信されるタイミングを示すトリガをサービングＰｏＡから受信し、このトリガ受信のタイミングでターゲットＰｏＡからの同期信号を検出、受信することが可能となる。そして、例えばトリガに基づいてターゲットＰｏＡからの同期信号を３回連続して受信できた段階で、制御端末はターゲットＰｏＡとの間で同期確立を完了することが可能となる。なお、図２４の判定モデルでは、通常の端末（ターゲットＰｏＡへの接続が許可されていない端末）は、ターゲットＰｏＡから送信される同期信号の送信パターンを把握していないので、同期信号が一定間隔で送信される送信パターンを想定しており、同期信号を３回連続で受信することが不可能である。したがって、通常の端末はターゲットＰｏＡとの間で同期確立を行うことができず、ターゲットＰｏＡから送信される同期信号の送信パターンを把握している制御端末のみが、ターゲットＰｏＡとの間で同期確立を行うことが可能となる。
【０２０１】
このように、通常の端末が同期信号として利用できない同期タイミングでターゲットＰｏＡから送信される同期信号に関して、この制御端末のみがターゲットＰｏＡからの同期信号を高い頻度で受信することに成功し、速やかにターゲットＰｏＡとの間で同期確立を完了することが可能となる。
【０２０２】
なお、上述の説明では、同期信号の送信を抑制しているＣＳＧ基地局に特別に接続させたい端末として、例えばＣＳＧ基地局の所有者の端末などのような制御端末を一例に説明を行ったが、本発明では、任意の無線通信端末を選択的に接続させることが可能である。
【０２０３】
また、上述の判定モデルでは、所定の同期信号の送信回数（一例として４回）に対して、制御端末が閾値以上の回数（一例として３回）だけ同期信号の受信に成功した場合に同期確立が完了したとみなしているが、その判定基準は、同期信号の受信回数だけではなく、平均受信電力の大きさが閾値を超えた場合を同期確立の完了とみなすなど、任意のパラメータが一定の基準を満たした場合を同期確立が完了したとみなすことが可能である。
【０２０４】
また、ＬＴＥ／ＳＡＥシステムにおけるＣＳＧ基地局の例では、比較的初期段階の基地局との同期信号として、例えば、Ｐ−ＳＳ（Primary Synchronization Signal）、Ｓ−ＳＳ（Secondary Synchronization Signal）のいずれかまたはその両方が考えられる。また、Ｐ−ＳＳを比較的初期段階の基地局との同期信号、Ｓ−ＳＳを詳細な同期信号として適用することも可能である。
【０２０５】
なお、上述の各実施の形態では、ＭＮが２つのインタフェース（ＩＦ−１及びＩＦ−２）を有しているが、３つ以上のインタフェースを有する場合も同様に本発明は適用される。また、本発明は、基本的には、複数のインタフェースのうちの１つが接続状態にあり（サービングＰｏＡと接続）、さらに、別のインタフェースの接続を行おうとする際（ターゲットＰｏＡへの接続）に、サービングＰｏＡ経由で情報のやり取りを行っておくことで、ターゲットＰｏＡとの接続を効率良く行うものである。すなわち、ＭＮは、空間的あるいは周波数的に異なる一方のパスを経由して他方のパスの接続効率を向上させるように構成されている。
【０２０６】
一方、ＭＮにとって複数のパスは、空間的あるいは周波数的にだけではなく、時間的にも存在している。すなわち、ＭＮは、ある時間に接続していたパスを経由して情報のやり取りを行うことで、別の時間（この後の接続）における接続効率を向上させることも可能である。本発明は、このように空間的あるいは周波数的に複数のパスが存在する場合だけでなく、時間的に複数のパスが存在する場合に対しても同様に適用可能である。なお、時間的に複数のパスが存在する場合は、ＭＮが必ずしも複数のインタフェースを持つ必要がないことは明らかである。すなわち、時間的に複数のパスが存在する場合に適用された場合には、ＭＮは、１つのインタフェースのみを有するＭＮに対しても本発明は適用可能である。さらに、ＭＮのネットワークインタフェースが複数であることを前提に説明を行っているが、本発明を実施するうえでの論理的なインタフェースが複数あればよい。例えば、１つの無線部を複数の接続方式で共用し、ネットワークインタフェースの観点からはその変化が問題にならない程度の速度で切り替えたり、レイヤ２で論理的なリンクを維持したりすることにより、ネットワーク部からは複数のインタフェースを介してネットワークに接続している場合と同等に動作できるよう構成されていてもよい。
【０２０７】
また、上述の本発明の各実施の形態の説明で用いた各機能ブロックは、典型的には集積回路であるＬＳＩ（Large Scale Integration）として実現される。これらは個別に１チップ化されてもよいし、一部又はすべてを含むように１チップ化されてもよい。なお、ここでは、ＬＳＩとしたが、集積度の違いにより、ＩＣ（Integrated Circuit）、システムＬＳＩ、スーパーＬＳＩ、ウルトラＬＳＩと呼称されることもある。
【０２０８】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０２０９】
さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適応などが可能性としてあり得る。
【産業上の利用可能性】
【０２１０】
本発明は、移動通信端末が通信を開始する際の遅延を低減させるという効果や、移動通信端末の電力リソースの消費を抑えるという効果を有しており、無線メディアを介して接続を行うための通信技術に適用可能であり、特に、移動通信端末が複数のネットワークインタフェースを使用して通信を行うための通信技術に適用可能である。
【図面の簡単な説明】
【０２１１】
【図１】本発明の第１の実施の形態におけるネットワーク構成の一例を示す図
【図２】本発明の第２の実施の形態における動作の一例を示すシーケンスチャート
【図３】本発明の第３の実施の形態におけるネットワーク構成の一例を示す図
【図４】本発明の第３の実施の形態における動作の一例を示すシーケンスチャート
【図５】本発明の第４の実施の形態におけるネットワーク構成の一例を示す図
【図６】本発明の第４の実施の形態における動作の一例を示すシーケンスチャート
【図７】本発明の第５の実施の形態における動作の一例を示すシーケンスチャート
【図８】本発明の第５の実施の形態におけるサービングＰｏＡが保持しているページングテーブルレコードの一例を示す図
【図９】本発明の第５の実施の形態におけるサービングＰｏＡの処理の一例を示すフローチャート
【図１０】本発明の第５の実施の形態におけるサービングＰｏＡの時間フレーム内におけるオンデマンドのページング（ＯＤＰ）用のタイムスロットの配置の一例を示す図
【図１１】本発明の第６の実施の形態におけるサービングＰｏＡが保持するページングリクエストテーブルの一例を示す図
【図１２】本発明を実現するためのＭＮの構成の一例を示す図
【図１３】本発明を実現するためのＰｏＡの構成の一例を示す図
【図１４】本発明の第７の実施の形態における動作の概要を示すシーケンスチャート
【図１５】本発明の第７の実施の形態における動作の一例を示すシーケンスチャート
【図１６】本発明の第８の実施の形態における動作の一例を示すシーケンスチャート
【図１７】本発明の第９の実施の形態における動作の一例を示すシーケンスチャート
【図１８】本発明の第１０の実施の形態における動作の一例を示すシーケンスチャート
【図１９】本発明の第１１の実施の形態における動作の一例を示すシーケンスチャート
【図２０】本発明の第１２の実施の形態における動作の概要を示すシーケンスチャート
【図２１】本発明の第１２の実施の形態における動作の一例を示すシーケンスチャート
【図２２】本発明の第１５の実施の形態において、ビーコンタイミングと同期タイミングとのスケールの違いを表すための図
【図２３】本発明の第１５の実施の形態におけるＬＴＥ／ＳＡＥシステムの一例を示す図
【図２４】本発明の第１５の実施の形態における判定モデルの一例を模式的に示す図
【手続補正３】
【補正対象書類名】図面
【補正対象項目名】全図
【補正方法】変更
【補正の内容】
【図１】
2008139707.tif 000027
【図２】
2008139707.tif 000028
【図３】
2008139707.tif 000029
【図４】
2008139707.tif 000030
【図５】
2008139707.tif 000031
【図６】
2008139707.tif 000032
【図７】
2008139707.tif 000033
【図８】
2008139707.tif 000034
【図９】
2008139707.tif 000035
【図１０】
2008139707.tif 000036
【図１１】
2008139707.tif 000037
【図１２】
2008139707.tif 000038
【図１３】
2008139707.tif 000039
【図１４】
2008139707.tif 000040
【図１５】
2008139707.tif 000041
【図１６】
2008139707.tif 000042
【図１７】
2008139707.tif 000043
【図１８】
2008139707.tif 000044
【図１９】
2008139707.tif 000045
【図２０】
2008139707.tif 000046
【図２１】
2008139707.tif 000047
【図２２】
2008139707.tif 000048
【図２３】
2008139707.tif 000049
【図２４】
2008139707.tif 000050
【国際調査報告】
2008139707.tif 000051
2008139707.tif 000052
2008139707.tif 000053
2008139707.tif 000054
2008139707.tif 000055
2008139707.tif 000056
2008139707.tif 000057
2008139707.tif 000058